(57)【要約】モバイルで開始される通信専用（ＭＩＣＯ）モードにある無線送受信ユニット（ＷＴＲＵ）の接続状態を管理するための方法、装置、およびシステムが開示される。１つの代表的な方法は、ＷＴＲＵは、ＷＴＲＵがサービス要求（ＳＲ）を送る前に登録を開始することになることを示す情報を取得することを含むことができる。代表的な方法は、ＷＴＲＵが、取得された情報に従って登録要求を送り、かつネットワークエンティティとの登録後、ＳＲを送ることをさらに含むことができる。
2020519155.tif 000002
【特許請求の範囲】
【請求項１】
無線送受信ユニット（ＷＴＲＵ）により実施される方法であって、
ネットワークエンティティ（ＮＥ）と第１の登録を実施するステップであって、前記ＷＴＲＵは、前記ＷＴＲＵが、モバイルで開始される通信専用（ＭＩＣＯ）モードで動作していることを示している、ステップと、
「全ＰＬＭＮ」登録エリアに前記ＷＴＲＵが登録されているかどうかを決定するステップと、
前記ＭＩＣＯモードで動作している前記ＷＴＲＵが、前記「全ＰＬＭＮ」登録エリアに登録されていない条件で、（１）前記ＷＴＲＵの前記第１の登録の後に受信された、前記ＷＴＲＵに関連付けられた位置関連情報、または、（２）ネットワークで提供されるフラグのいずれかに基づいて、前記ＷＴＲＵが前記第１の登録に関連付けられた登録エリアの外側にあるかどうかを決定するステップと、
前記ＷＴＲＵによって、サービス要求（ＳＲ）を送るステップと、
前記ＷＴＲＵが前記登録エリアの外側にあると決定される条件で、前記ＳＲの前に、第２の登録または登録更新を実施するステップと
を備える方法。
【請求項２】
前記ＷＴＲＵによって、前記ＳＲを送る前記ステップの前に、前記ＷＴＲＵが前記第２の登録または前記登録更新を開始することになることを示す情報を取得するステップをさらに備え、
前記第２の登録または前記登録更新を実施する前記ステップは、前記取得された情報に従って、登録要求を送ることを含む請求項１に記載の方法。
【請求項３】
前記第２の登録または前記登録更新を開始するための前記情報を取得する前記ステップは、事前構成によってまたはネットワークシグナリングによって、前記情報を取得することを含む請求項１または２に記載の方法。
【請求項４】
前記ＷＴＲＵが、「全ＰＬＭＮ」登録エリアに登録されていることを決定するステップと、
前記ＷＴＲＵが前記「全ＰＬＭＮ」登録エリアに登録されている条件で、「常に登録」表示が設定されているかどうかを決定するステップと、
「常に登録」表示が設定されている条件で、前記ＳＲの前に前記第２の登録を実施するための登録要求を送るステップと
をさらに備える請求項１乃至３のいずれかに記載の方法。
【請求項５】
ブロードキャスト信号で示された前記ＷＴＲＵのＴＡのトラッキングエリア（ＴＡ）識別子を取得するステップをさらに含み、
前記ＷＴＲＵが前記登録エリアの外側にあるかどうかを決定する前記ステップは、前記取得されたＴＡ識別子が、前記ＷＴＲＵを最後にサーブしたＮＥに関連付けられた、記憶されたＴＡ識別子に一致するかどうかに基づき、したがって、前記第２の登録または前記登録更新を実施する前記ステップは、前記取得されたＴＡ識別子が、前記記憶されたＴＡに一致しない条件による請求項１乃至４のいずれかに記載の方法。
【請求項６】
ブロードキャスト信号で示された前記ＷＴＲＵの登録エリアに関連付けられた識別子を取得するステップをさらに備え、
前記ＷＴＲＵが前記登録エリアの外側にあるかどうかを決定する前記ステップは、前記取得された識別子が、前記ＷＴＲＵを最後にサーブしたＮＥに関連付けられた、記憶された識別子に一致するかどうかに基づき、したがって前記第２の登録または前記登録更新を実施する前記ステップは、前記取得された識別子が、前記記憶された識別子に一致しない条件による請求項１乃至５のいずれかに記載の方法。
【請求項７】
前記識別子は、（１）トラッキングエリア識別子、または、（２）ＡＭＦ識別子の一方である請求項６に記載の方法。
【請求項８】
前記取得されたＴＡ識別子が、前記記憶されたＴＡ識別子と一致する条件で、前記ＳＲを送る前に何らかの第２の登録または登録更新をせずに、前記ＳＲを送る請求項５または７に記載の方法。
【請求項９】
モバイルで開始される通信専用（ＭＩＣＯ）モードで動作しており、かつ第１の登録エリアに登録されたＷＴＲＵにより実施される方法であって、
（１）前記ＷＴＲＵの前記登録の後に受信された、前記ＷＴＲＵに関連付けられた位置関連情報、または、（２）ネットワークで提供されるフラグのいずれかに基づいて、前記ＷＴＲＵが前記第１の登録エリアの外側にあるかどうかを決定するステップと、
前記ＷＴＲＵが前記登録エリアの外側にあると決定された条件で、登録更新を実施するステップと、
前記ＷＴＲＵによって、前記登録更新の後に、サービス要求（ＳＲ）を送るステップと
を備える方法。
【請求項１０】
無線送受信ユニット（ＷＴＲＵ）により実施される方法であって、
ネットワークエンティティ（ＮＥ）と第１の登録を実施するステップであって、前記ＷＴＲＵは、前記ＷＴＲＵが、モバイルで開始される通信専用（ＭＩＣＯ）モードで動作していることを示す、ステップと、
前記ＷＴＲＵは、「全ＰＬＭＮ」登録エリアに登録されているかどうかを決定するステップと、
前記ＷＴＲＵが「全ＰＬＭＮ」登録エリアに登録されておらず、および、前記ＷＴＲＵが前記第１の登録に関連付けられた登録エリアの外側にあることに基づいて、サービス要求（ＳＲ）を送る前に、第２の登録または登録更新を選択的に実施するステップと、
前記ＷＴＲＵによって、前記ＳＲを送るステップと
を備える方法。
【請求項１１】
無線送受信ユニット（ＷＴＲＵ）により実施される方法であって、
前記ＷＴＲＵによって、ＷＴＲＵ特有の情報を含むサービス要求（ＳＲ）を送るステップであって、前記ＷＴＲＵ特有の情報は、（１）前記ＷＴＲＵがＭＩＣＯモードで動作していることの表示、および（２）前記ＷＴＲＵの一時的なユーザ識別子（ＴＵＩＤ）を含む、ステップと、
前記ＷＴＲＵによって、接続再構成メッセージ、および、前記ＳＲ内の前記ＴＵＩＤとは異なる新しいＴＵＩＤを含むＷＴＲＵ構成メッセージを受信するステップと
を備える方法。
【請求項１２】
無線送受信ユニット（ＷＴＲＵ）により実施される方法であって、
前記ＷＴＲＵによって、前記ＷＴＲＵを現在サーブしているＮＥに関連付けられたネットワークエンティティ（ＮＥ）識別子を示すブロードキャスト信号を受信するステップと、
上位レイヤからの接続要求を受信するステップと、
第２のレイヤによって、前記ＷＴＲＵがモバイルで開始される通信専用（ＭＩＣＯ）モードで動作しているかどうかを決定するステップと、
前記ＷＴＲＵがＭＩＣＯモードで動作している条件で、前記ＷＴＲＵによって、前記受信されたＮＥ識別子が、前記ＷＴＲＵを最後にサーブしたＮＥに関連付けられた、記憶されたＮＥ識別子と一致するかどうかを決定するステップと、
前記受信されたＮＥ識別子が、前記記憶されたＮＥ識別子と一致している条件で、ＷＴＲＵ特有の情報を含むサービス要求（ＳＲ）を送るステップと
を備える方法。
【請求項１３】
前記受信されたＮＥ識別子が、前記記憶されたＮＥ識別子に一致しない条件で、ＳＲを送る前に、新しい登録または登録更新を送るステップをさらに備える請求項１２に記載の方法。
【請求項１４】
無線送受信ユニット（ＷＴＲＵ）により実施される方法であって、
前記ＷＴＲＵによって、前記ＷＴＲＵがサービス要求（ＳＲ）を送る前に登録を開始することになることを示す情報を取得するステップと、
前記取得された情報に従って、登録要求を送るステップと、
ネットワークエンティティ（ＮＥ）に登録した後、前記ＳＲを送るステップと
を備える方法。
【請求項１５】
前記情報を取得する前記ステップは、事前構成によりまたはネットワークシグナリングにより、前記情報を取得することを含むことができる請求項１４に記載の方法。
【請求項１６】
前記ＷＴＲＵがモバイルで開始される通信専用（ＭＩＣＯ）モードで動作しているかどうかを決定するステップと、
前記ＷＴＲＵが前記モバイルで開始される通信専用（ＭＩＣＯ）モードで動作している条件で、前記ＳＲの前に前記登録要求を送るステップと
をさらに備える請求項１４または１５に記載の方法。
【請求項１７】
前記ＷＴＲＵが「全ＰＬＭＮ」登録エリアに登録されているかを決定するステップと、
前記ＷＴＲＵが「全ＰＬＭＮ」登録エリアに登録されている条件で、前記ＳＲの前に前記登録要求を送るステップと
をさらに備える請求項１４乃至１６のいずれかに記載の方法。
【請求項１８】
前記ＷＴＲＵによって、前記ＷＴＲＵのＴＡのトラッキングエリア（ＴＡ）識別子を示すブロードキャスト信号を受信するステップと、
上位レイヤから接続要求を受信するステップと、
第２のレイヤによって、前記ＷＴＲＵがモバイルで開始される通信専用（ＭＩＣＯ）モードで動作しているかどうかを決定するステップと、
前記ＷＴＲＵによって、前記ＷＴＲＵがＭＩＣＯモードで動作している条件で、前記示されたＴＡ識別子が、前記ＷＴＲＵを最後にサーブしたネットワークエンティティ（ＮＥ）に関連付けられた、記憶されたＴＡ識別子に少なくとも一致するかどうかを決定するステップと、
前記示されたＴＡ識別子が、前記記憶されたＴＡ識別子と一致する条件で、前記ＳＲを送るステップと
をさらに備える請求項１４乃至１７のいずれかに記載の方法。
【請求項１９】
前記示されたＴＡ識別子が前記記憶されたＴＡ識別子と一致しない条件で、ＳＲを送る前に、新しい登録または登録更新を送るステップをさらに備える請求項１８に記載の方法。
【請求項２０】
モバイルで開始される通信専用（ＭＩＣＯ）モードにある無線送受信ユニット（ＷＴＲＵ）により実施される方法であって、
前記ＷＴＲＵによって、接続解除をネットワークエンティティ（ＮＥ）から受信するステップと、
前記ＷＴＲＵによって、接続解除を受け入れるかどうかを決定するステップと、
前記ＷＴＲＵが前記接続解除を受け入れる条件で、（１）前記ＷＴＲＵによって、接続解除完了を送り、および（２）前記ＷＴＲＵによって、アイドルモードに入るステップと、
前記ＷＴＲＵが接続解除を受け入れない条件で、（１）前記ＷＴＲＵによって、前記ＷＴＲＵが前記ＭＩＣＯモードで動作していることを示す原因コードを有する接続解除拒否を送り、および（２）前記ＷＴＲＵによって、接続モードに留まるステップと
を備える方法。
【請求項２１】
無線送受信ユニット（ＷＴＲＵ）により実施される方法であって、
前記ＷＴＲＵによって、第１のメッセージをネットワークエンティティ（ＮＥ）に送るステップと、
前記ＷＴＲＵによって、前記ＷＴＲＵは登録を開始することになることを示す情報を前記ＮＥから取得するステップと、
前記取得された情報に従って、登録要求を送るステップと
を備える方法。
【請求項２２】
前記取得された情報は、前記ＮＥからの第２のメッセージに含まれる原因コードまたは表示である請求項２１に記載の方法。
【請求項２３】
前記第１のメッセージは、サービス要求であり、および、
前記第２のメッセージは、サービス受入れメッセージまたはサービス拒否メッセージである請求項２１または２２に記載の方法。
【請求項２４】
前記ＷＴＲＵによって、登録更新を実施するステップと、
前記ＷＴＲＵによって、前記実施された登録更新に基づき、構成パラメータを更新するステップと
をさらに備える請求項２１乃至２３のいずれかに記載の方法。
【請求項２５】
ネットワークエンティティ（ＮＥ）により実施される方法であって、
前記ＮＥによって、ＷＴＲＵがサービス要求（ＳＲ）を送る前に登録を開始することになることを示す情報を送るステップと、
前記ＮＥによって、前記取得された情報に従って登録要求を受信するステップと、
前記ＮＥによって、前記ＷＴＲＵが登録された後、ＳＲを受信するステップと
を備える方法。
【請求項２６】
接続状態にある無線送受信ユニット（ＷＴＲＵ）と通信するネットワークエンティティ（ＮＥ）により実施される方法であって、
前記ＮＥによって、前記ＷＴＲＵがモバイルで開始される通信専用（ＭＩＣＯ）モードで動作しているかどうかを決定するステップと、
前記ＷＴＲＵが前記ＭＩＣＯ  ＷＴＲＵモードで動作している条件で、（１）ＭＩＣＯモードにないＷＴＲＵに対する期間よりも長い期間にわたって不活動タイマを設定する、（２）前記ＷＴＲＵの不活動のため、前記ＷＴＲＵの接続解除を阻止する、または、（３）前記ＷＴＲＵが前記ＮＥとの接続を自律的に解除すべく構成されるように、前記ＷＴＲＵとネゴシエートするのうちのいずれかのステップと
を備える方法。
【請求項２７】
ネットワークエンティティ（ＮＥ）により実施される方法であって、
前記ＮＥによって、ＷＴＲＵ特有の情報を含む、無線送受信ユニット（ＷＴＲＵ）の接続を要求するメッセージを受信するステップと、
前記ＮＥによって、前記ＷＴＲＵを最後にサーブした別のＮＥを、前記ＷＴＲＵ特有の情報から決定するステップと、
前記ＮＥによって、前記ＷＴＲＵを前記ＮＥに接続するための情報を求める情報要求を、他のＮＥに送るステップと
を備える方法。
【請求項２８】
前記ＮＥによって、前記ＷＴＲＵを接続するための前記要求された情報を前記他のＮＥから受信するステップと、
前記ＮＥによって、前記他のＮＥから受信された前記情報に基づいて、前記ＷＴＲＵを認証しかつ接続するステップと
をさらに備える請求項２７に記載の方法。
【請求項２９】
前記ＷＴＲＵ特有の情報は、（１）前記ＷＴＲＵがＭＩＣＯモードで動作していることの表示、または（２）前記ＷＴＲＵの一時的なユーザ識別子（ＴＵＩＤ）のいずれかを含む請求項２７または２８に記載の方法。
【請求項３０】
ネットワークエンティティ（ＮＥ）により実施される方法であって、
前記ＮＥによって、ＷＴＲＵがモバイルで開始される通信専用（ＭＩＣＯ）モードで動作している表示を含む、前記無線送受信ユニット（ＷＴＲＵ）を登録するための登録要求を受信するステップと、
前記ＮＥによって、前記ＷＴＲＵのＷＴＲＵで開始される接続解除に対するプリファレンスを含むサービス要求（ＳＲ）を、登録後に前記ＷＴＲＵから受信するステップと、
前記ＷＴＲＵを解除するための要求を、前記ＷＴＲＵまたは無線アクセスネットワーク（ＲＡＮ）エンティティの一方から受信するステップと、
前記ＮＥにより、前記ＷＴＲＵに対する接続を解除するステップと
を備える方法。
【請求項３１】
前記ＮＥによって、前記プリファレンスを受け入れるかどうかを決定するステップと、
前記プリファレンスが受け入れられたことを、前記ＷＴＲＵにサーブする前記ＲＡＮエンティティに送るステップと
をさらに備える請求項３０に記載の方法。
【請求項３２】
前記プリファレンスを受け入れるかどうかを決定する前記ステップは、（１）ＷＴＲＵプロファイルまたは（２）ＷＴＲＵモビリティパターンのいずれかを調べることを含む請求項３０または３１に記載の方法。
【請求項３３】
ネットワークエンティティ（ＮＥ）により実施される方法であって、
前記ＮＥによって、第１のメッセージを無線送受信ユニット（ＷＴＲＵ）から受信するステップと、
前記ＮＥによって、前記ＷＴＲＵが登録を開始することになることを決定するステップと、
前記ＮＥによって、前記ＷＴＲＵが前記登録を開始することになることを示す情報を前記ＷＴＲＵに送るステップと、
前記送られた情報に従って、登録要求を受信するステップと
を備える方法。
【請求項３４】
前記送られた情報は、前記ＮＥからの第２のメッセージに含まれる原因コードまたは表示である請求項３３に記載の方法。
【請求項３５】
前記第１のメッセージは、サービス要求であり、および
前記第２のメッセージは、サービス受入れメッセージまたはサービス拒否メッセージである請求項３３または３４に記載の方法。
【請求項３６】
無線送受信ユニット（ＷＴＲＵ）にサービスするＲＡＮエンティティ（ＲＥ）により実施される方法であって、ネットワークエンティティ（ＮＥ）との前記ＷＴＲＵの登録は、前記ＷＴＲＵがモバイルで開始される通信専用（ＭＩＣＯ）モードで動作していることを示しており、前記方法は、
前記ＲＥによって、前記ＷＴＲＵのためのサービス要求（ＳＲ）を含むメッセージを受信するステップと、
前記ＲＥによって、前記ＳＲを前記ＮＥに送るステップと、
前記ＲＥによって、前記ＷＴＲＵが前記ＭＩＣＯモードで動作している情報を含むメッセージを前記ＮＥから受信するステップと、
前記ＲＥによって、前記ＷＴＲＵが前記ＭＩＣＯモードで動作している情報を前記ＷＴＲＵのコンテキストに記憶するステップと、
前記ＲＥによって、前記ＷＴＲＵの前記コンテキストに前記記憶された情報に基づき、前記ＷＴＲＵに対するＲＲＣ不活動状態への変化のトリガを停止するステップと
を備える方法。
【請求項３７】
動作可能に通信し、かつ請求項１乃至２４のいずれかに記載の方法を実行するよう構成されたプロセッサ、送信機、および受信機を備えた無線送受信ユニット（ＷＴＲＵ）。
【請求項３８】
動作可能に通信し、かつ請求項２５乃至３５のいずれかに記載の方法を実行するよう構成されたプロセッサ、送信機、および受信機を備え、ＡＭＦ、ＵＰＦ、ＳＭＦ、またはＤＮのうちのいずれかを含むネットワークエンティティ（ＮＥ）。
【請求項３９】
動作可能に通信し、かつ請求項３６に記載の方法を実行するように構成されたプロセッサ、送信機、および受信機を備え、ｇＮＢを含むＲＥ。
【発明の詳細な説明】
【技術分野】
【０００１】
本開示は無線通信の分野に関し、より詳細には（例えば５Ｇにおける）ＭＩＣＯ（Mobile Initiated Connection Only）ＷＴＲＵをサポートする方法、装置、およびシステムに関する。
【背景技術】
【０００２】
本出願は、２０１７年５月５日に出願された米国特許仮出願第６２／５０２、０４３号明細書からの優先権を主張し、その内容を、本明細書に完全に記載されている場合と同様に参照により組み込むものである。
【発明の概要】
【課題を解決するための手段】
【０００３】
モバイルで開始される通信専用（ＭＩＣＯ）モードにある無線送受信ユニット（ＷＴＲＵ）の接続状態を管理するための方法、装置、およびシステムが開示される。１つの代表的な方法は、ＷＴＲＵは、ＷＴＲＵがサービス要求（ＳＲ）を送る前に登録を開始することになることを示す情報を取得することを含むことができる。代表的な方法は、ＷＴＲＵが、取得された情報に従って登録要求を送り、かつネットワークエンティティとの登録後、ＳＲを送ることをさらに含むことができる。
【０００４】
より詳細な理解は、本明細書に添付された図面と共に例として示される以下の発明を実施するための形態から得ることができる。このような図面における諸図は、発明を実施するための形態と同様に例である。したがって、図および詳細な説明は、限定するものと見なすべきではなく、他の同様に有効な例も可能であり、存在する可能性が高い。さらに、図中、同様の参照数字は、同様の要素を示す。
【図面の簡単な説明】
【０００５】
【図１Ａ】１つまたは複数の開示される実施形態が実施され得る例示的通信システムを示す図である。
【図１Ｂ】実施形態で図１Ａの通信システム内で使用される例示的無線送受信ユニット（ＷＴＲＵ）を示す図である。
【図１Ｃ】実施形態で図１Ａの通信システム内で使用される例示的な無線アクセスネットワーク（ＲＡＮ）、コアネットワーク（ＣＮ）の図である。
【図１Ｄ】実施形態で図１Ａの通信システム内で使用される他の例示的ＲＡＮおよび他のＣＮを示す図である。
【図１Ｅ】図１Ａの通信システム内で使用され得る別の例示的な無線アクセスネットワークおよび別のＣＮを示す図である。
【図１Ｆ】図１Ａの通信システム内で使用され得るさらに別の例示的なアクセスネットワークおよびさらに別のＣＮを示す図である。
【図２】新しいサービングＡＭＦに移動する代表的ＭＩＣＯＷＴＲＵの図である。
【図３】５Ｇ新無線で代表的なＲＲＣ＿ＩＮＡＣＴＩＶＥ状態を含む状態図である。
【図４】代表的な登録手順を示す図である。
【図５】代表的な決定手順を示す図である。
【図６】別の代表的な決定手順を示す図である。
【図７】代表的サービス要求（ＳＲ）でトリガされたＷＴＲＵコンテキスト取得手順の図である。
【図８】登録／ＳＲ手順を示す図である。
【図９】代表的なＭＩＣＯ  ＷＴＲＵで開始される接続解除手順を示す図である。
【図１０】ＲＡＮがＷＴＲＵのＭＩＣＯモードを認識する代表的な手順の図である。
【図１１】ＭＩＣＯ  ＷＴＲＵのＲＡＮシグナリング受入れ／拒否手順の図である。
【図１２】ＳＲを容易にする代表的な方法を示すフロー図である。
【図１３】ＳＲを容易にする別の代表的な方法を示すフロー図である。
【図１４】ＳＲを容易にする他の代表的な方法を示すフロー図である。
【図１５】ＳＲを容易にするさらなる代表的な方法を示すフロー図である。
【図１６】ＳＲを容易にするさらに別の代表的な方法を示すフロー図である。
【図１７】ＳＲを容易にするさらに他の代表的な方法を示すフロー図である。
【図１８】接続解除を受け入れまたは拒否するさらに他の方法のフロー図である。
【図１９】登録を容易にするための代表的な方法を示すフロー図である。
【図２０】ＳＲを容易にするためＮＷで実施される代表的な方法のフロー図である。
【図２１】ＷＴＲＵがＭＩＣＯモードでＮＷで実施される別の方法フロー図である。
【図２２】接続要求を容易にするＮＷで実施される他の方法のフロー図である。
【図２３】ＳＲを容易にするＮＷで実施されるさらに代表的方法のフロー図である。
【図２４】登録を容易にするＮＷで実施される代表的方法を示すフロー図である。
【図２５】ＳＲを容易にするＲＡＮエンティティで実施される代表的方法のフロー図である。
【発明を実施するための形態】
【０００６】
次に、図を参照して例示的な実施形態の詳細な説明を述べるものとする。しかし、本発明は、代表的な実施形態に関して述べることができるが、それに限定されるものではなく、本発明の同じ機能を実施するために、本発明から逸脱することなく他の実施形態を使用することができ、または述べられた実施形態に対して修正または追加を行うことも可能であることを理解されたい。
【０００７】
無線ネットワークアーキテクチャを用いて、代表的な実施形態が以下で概略的に示されるが、例えば、有線の構成要素および／または無線の構成要素を有するネットワークを含む任意の数の異なるネットワークアーキテクチャを使用することができる。
【０００８】
図１Ａは、１つまたは複数の開示される実施形態が実施され得る例示的な通信システム１００を示す図である。通信システム１００は、複数の無線ユーザに、音声、データ、ビデオ、メッセージング、ブロードキャストなどのコンテンツを提供する複数のアクセスシステムとすることができる。通信システム１００は、複数の無線ユーザに、無線帯域幅を含むシステムリソースを共用することにより、このようなコンテンツにアクセスできるようにする。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ拡散ＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロック−フィルタ処理されたＯＦＤＭ（resource block-filtered OFDM）、フィルタバンクマルチキャリア（ＦＢＭＣ）、および同様のものなど、１つまたは複数のチャネルアクセス法を使用することができる。
【０００９】
図１Ａで示すように、通信システム１００は、無線送受信ユニット（ＷＴＲＵ）１０２ａ、１０２ｂ、１０２ｃ、１０２ｄ、無線アクセスネットワーク（ＲＡＮ）１０３／１０４／１０５／１１３、ＣＮ１０６／１０７／１０９／１１５、公衆交換電話網（ＰＳＴＮ）１０８、インターネット１１０、および他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄのそれぞれは、無線環境で動作し、かつ／または通信するように構成された任意のタイプのデバイスとすることができる。例として、ＷＴＲＵ１０２ａ、１０２ｂ、１０２ｃ、１０２ｄは、そのいずれも「ステーション」および／または「ＳＴＡ」と呼ばれ得るが、無線信号を送信かつ／または受信するように構成され、またユーザ機器（ＵＥ）、移動局、固定または移動加入者ユニット、サブスクリプションベースのユニット、ページャ、セルラ式電話、携帯情報端末（ＰＤＡ）、スマートフォン、ラップトップ、ネットブック、パーソナルコンピュータ、無線センサ、ホットスポットもしくはＭｉ−Ｆｉデバイス、モノのインターネット（ＩｏＴ）デバイス、時計もしくは他のウェアラブル、頭部搭載型ディスプレイ（ＨＭＤ）、車両、ドローン、医用デバイスおよび応用（例えば、遠隔手術）、産業用デバイスおよび応用（例えば、産業および／または自動化処理チェーン状況で動作するロボットおよび／または他の無線デバイス）、家庭用電子デバイス、商用および／または産業用無線ネットワークで動作するデバイスなどを含むことができる。ＷＴＲＵ１０２ａ、１０２ｂ、１０２ｃ、および１０２ｄのいずれも、相互に交換可能にＵＥと呼ぶことができる。
【００１０】
通信システム１００はまた、基地局１１４ａおよび／または基地局１１４ｂを含むことができる。基地局１１４ａ、１１４ｂのそれぞれは、ＣＮ１０６／１０７／１０９／１１５、インターネット１１０、および／または他のネットワーク１１２などの１つまたは複数の通信ネットワークへのアクセスを容易するために、ＷＴＲＵ１０２ａ、１０２ｂ、１０２ｃ、１０２ｄの少なくとも１つと無線でインターフェースをとるように構成された任意のタイプのデバイスとすることができる。例として、基地局１１４ａ、１１４ｂは、送受信機基地局（ＢＴＳ）、ノードＢ、ｅＮｏｄｅＢ、５Ｇアクセスポイント（例えば、ｇＮＢ）、ホームノードＢ、ホームｅＮｏｄｅＢ、ＮＲノードＢ、サイトコントローラ、アクセスポイント（ＡＰ）、無線ルータ、および同様のものとすることができる。基地局１１４ａ、１１４ｂが、それぞれ、単一の要素として示されているが、基地局１１４ａ、１１４ｂは、任意の数の相互接続された基地局および／またはネットワーク要素を含み得ることが理解されよう。
【００１１】
基地局１１４ａは、ＲＡＮ１０３／１０４／１０５／１１３の一部とすることができ、それはまた、基地局制御装置（ＢＳＣ）、無線ネットワーク制御装置（ＲＮＣ）、中継ノードなどの他の基地局および／またはネットワーク要素（図示せず）を含むことができる。基地局１１４ａおよび／または基地局１１４ｂは、セル（図示せず）と呼ばれ得る１つまたは複数のキャリア周波数で無線信号を送信および／または受信するように構成され得る。セルは、セルセクタへとさらに分割することができる。これらの周波数は、認可スペクトル、未認可スペクトル、または認可および未認可スペクトルの組合せとすることができる。セルは、時間経過に対して比較的固定され得る、または変化し得る特定の地理学的エリアに対して無線サービスを行うための通達範囲を提供することができる。セルは、セルセクタへとさらに分割され得る。例えば、基地局１１４ａに関連付けられたセルは、３つのセクタに分割することができる。したがって、一実施形態では、基地局１１４ａは、３つの送受信機、例えば、セルの各セクタに対して１つを含むことができる。実施形態では、基地局１１４ａは、多入力多出力（ＭＩＭＯ）技術を使用することができ、またセルの各セクタに対して複数の送受信機を利用することができる。例えば、望ましい空間方向において、信号を送信および／または受信するために、ビーム形成を使用することができる。
【００１２】
基地局１１４ａ、１１４ｂは、無線インターフェース１１５／１１６／１１７／１１９を介して、ＷＴＲＵ１０２ａ、１０２ｂ、１０２ｃ、１０２ｄの１つまたは複数のものと通信することができ、それは、任意の適切な無線通信リンクとすることができる（例えば、無線周波数（ＲＦ）、マイクロ波、センチメートル波、マイクロメートル波、赤外線（ＩＲ）、紫外線（ＵＶ）、可視光など）。無線インターフェース１１５／１１６／１１７／１１９は、任意の適切な無線アクセス技術（ＲＡＴ）を用いて確立することができる。
【００１３】
より具体的には、上記のように、通信システム１００は、複数のアクセスシステムとすることができ、またＣＤＭＡ、ＴＤＭＡ、ＦＤＭＡ、ＯＦＤＭＡ、ＳＣ−ＦＤＭＡ、および同様のものなど、１つまたは複数のチャネルアクセス方式を使用することができる。例えば、ＲＡＮ１０３／１０４／１０５／１１３における基地局１１４ａ、およびＷＴＲＵ１０２ａ、１０２ｂ、１０２ｃは、広帯域ＣＤＭＡ（ＷＣＤＭＡ）を用いて無線インターフェース１１５／１１６／１１７／１１９を確立できるユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンク（ＤＬ）パケットアクセス（ＨＳＤＰＡ）および／または高速ＵＬパケットアクセス（ＨＳＵＰＡ）を含むことができる。
【００１４】
別の実施形態では、基地局１１４ａおよびＷＴＲＵ１０２ａ、１０２ｂ、１０２ｃは、進化型ＵＭＴＳ地上無線アクセス（Ｅ−ＵＴＲＡ）などの無線技術を実施することができ、それは、ロングタームエボリューション（ＬＴＥ）、および／またはＬＴＥアドバンスト（ＬＴＥ−Ａ）、ＬＴＥアドバンストプロ（ＬＴＥ−Ａ  Ｐｒｏ）および／または５Ｇ新無線（ＮＲ）を用いて、無線インターフェース１１５／１１６／１１７／１１９を確立することができる。
【００１５】
実施形態では、基地局１１４ａおよびＷＴＲＵ１０２ａ、１０２ｂ、１０２ｃは、ＮＲを用いる無線インターフェース１１９を確立できるＮＲ無線アクセスなどの無線技術を実施することができる。
【００１６】
実施形態では、基地局１１４ａおよびＷＴＲＵ１０２ａ、１０２ｂ、１０２ｃは、複数の無線アクセス技術を実施することができる。例えば、基地局１１４ａおよびＷＴＲＵ１０２ａ、１０２ｂ、１０２ｃは、例えば、デュアルコネクティビティ（ＤＣ）原理を用いて、ＬＴＥ無線アクセス、およびＮＲ無線アクセスを共に実施することができる。したがって、ＷＴＲＵ１０２ａ、１０２ｂ、１０２ｃにより利用される無線インターフェースは、複数タイプの無線アクセス技術により、かつ／または複数タイプの基地局（例えば、ｅＮＢおよびｇＮＢ）との間で送られる送信により特徴付けることができる。
【００１７】
他の実施形態では、基地局１１４ａおよびＷＴＲＵ１０２ａ、１０２ｂ、１０２ｃは、ＩＥＥＥ８０２．１１（すなわち、ＷｉＦｉ：Wireless Fidelity）、ＩＥＥＥ８０２．１６（すなわち、ワールドワイドインターオペラビリティフォーマイクロウェーブアクセス（ＷｉＭＡＸ））、ＣＤＭＡ２０００、ＣＤＭＡ２０００  １Ｘ、ＣＤＭＡ２０００  ＥＶ−ＤＯ、暫定基準２０００（ＩＳ−２０００）、暫定基準９５（ＩＳ−９５）、暫定基準８５６（ＩＳ−８５６）、グローバルシステムフォーモバイル通信（ＧＳＭ）、ＧＳＭエボリューション拡張データレート（ＥＤＧＥ）、ＧＳＭ  ＥＤＧＥ（ＧＥＲＡＮ）、および同様のものなどの無線技術を実施することができる。
【００１８】
図１Ａの基地局１１４ｂは、例えば、無線ルータ、ホームノードＢ、ホームｅＮｏｄｅＢ、またはアクセスポイントとすることができ、また職場、家庭、車両、キャンパス、産業施設、空中回廊（例えば、ドローンで使用される）、車道、および同様の場所など、局所化されたエリアにおける無線接続を容易にするために任意の適切なＲＡＴを利用することができる。一実施形態では、基地局１１４ｂおよびＷＴＲＵ１０２ｃ、１０２ｄは、無線ローカルエリアネットワーク（ＷＬＡＮ）を確立するために、ＩＥＥＥ８０２．１１などの無線技術を実施することができる。別の実施形態では、基地局１１４ｂおよびＷＴＲＵ１０２ｃ、１０２ｄは、無線パーソナルエリアネットワーク（ＷＰＡＮ）を確立するために、ＩＥＥＥ８０２．１５などの無線技術を実施することができる。さらに別の実施形態では、基地局１１４ｂおよびＷＴＲＵ１０２ｃ、１０２ｄは、ピコセルまたはフェムトセルを確立するために、セルラベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用することができる。図１Ａで示されるように、基地局１１４ｂは、インターネット１１０への直接接続を有することができる。したがって、基地局１１４ｂは、ＣＮ１０６／１０７／１０９／１１５を介してインターネット１１０にアクセスする必要のないこともあり得る。
【００１９】
ＲＡＮ１０３／１０４／１０５／１１３は、ＣＮ１０６／１０７／１０９／１１５と通信することができ、それは、ＷＴＲＵ１０２ａ、１０２ｂ、１０２ｃ、１０２ｄの１つまたは複数のものに対して、音声、データ、アプリケーション、および／またはボイスオーバインターネットプロトコル（ＶｏＩＰ）サービスを提供するように構成された任意のタイプのネットワークとすることができる。データは、異なるスループット要件、待ち時間要件、誤り許容要件、信頼性要件、データスループット要件、移動性要件、および同様のものなど、様々なサービス品質（ＱｏＳ）要件を有することがあり得る。例えば、ＣＮ１０６／１０７／１０９／１１５は、呼制御、課金サービス、モバイル位置ベースサービス、プリペイドコーリング、インターネット接続、ビデオ配信などを提供し、かつ／またはユーザ認証などの高水準のセキュリティ機能を実施することができる。図１Ａで示されていないが、ＲＡＮ１０３／１０４／１０５／１１３および／またはＣＮ１０６／１０７／１０９／１１５は、ＲＡＮ１０３／１０４／１０５／１１３と同じＲＡＴ、または異なるＲＡＴを使用する他のＲＡＮと直接または間接的に通信できることが理解されよう。例えば、ＮＲまたはＥ−ＵＴＲＡ無線技術を利用することのできるＲＡＮ１０３／１０４／１０５／１１３に接続されるのに加えて、ＣＮ１０６／１０７／１０９／１１５はまた、ＧＳＭ、ＵＭＴＳ、ＣＤＭＡ２０００、ＷｉＭＡＸ、またはＷｉＦｉ無線技術を使用する別のＲＡＮ（図示せず）と通信することもできる。
【００２０】
ＣＮ１０６／１０７／１０９／１１５はまた、ＰＳＴＮ１０８、インターネット１１０、および／または他のネットワーク１１２にアクセスするための、ＷＴＲＵ１０２ａ、１０２ｂ、１０２ｃ、１０２ｄに対するゲートウェイとして働くことができる。ＰＳＴＮ１０８は、基本電話サービス（ＰＯＴＳ）を提供する回線交換電話網を含むことができる。インターネット１１０は、ＴＣＰ／ＩＰインターネットプロトコル群における伝送制御プロトコル（ＴＣＰ）、ユーザデータグラムプロトコル（ＵＤＰ）、および／またはインターネットプロトコル（ＩＰ）などの共通の通信プロトコルを使用する相互接続されたコンピュータネットワークおよびデバイスの大域システムを含むことができる。ネットワーク１１２は、他のサービスプロバイダにより所有され、かつ／または運営される有線および／または無線通信ネットワークを含むことができる。例えば、ネットワーク１１２は、ＲＡＮ１０３／１０４／１０５／１１３と同じＲＡＴ、または異なるＲＡＴを使用できる１つまたは複数のＲＡＮに接続された別のＣＮを含むことができる。
【００２１】
通信システム１００におけるＷＴＲＵ１０２ａ、１０２ｂ、１０２ｃ、１０２ｄのいくつか、またはすべては、マルチモード機能を含むことができる（例えば、ＷＴＲＵ１０２ａ、１０２ｂ、１０２ｃ、１０２ｄは、様々な無線リンクを介して、様々な無線ネットワークと通信するための複数の送受信機を含むことができる）。例えば、図１Ａで示されるＷＴＲＵ１０２ｃは、セルラベースの無線技術を使用できる基地局１１４ａと、かつＩＥＥＥ８０２無線技術を使用できる基地局１１４ｂと通信するように構成することができる。通信システム１００におけるＷＴＲＵ１０２ａ、１０２ｂ、１０２ｃ、１０２ｄのいくつか、またはすべては、例えば、Ｂｌｕｅｔｏｏｔｈ技術を用いる他のデバイスと通信することができる。
【００２２】
図１Ｂは、例示的なＷＴＲＵ１０２を示すシステム図である。図１Ｂで示されるように、ＷＴＲＵ１０２は、いくつかある中で特に、プロセッサ１１８、送受信機１２０、送信／受信素子１２２、スピーカ／マイクロフォン１２４、キーパッド１２６、ディスプレイ／タッチパッド１２８、取外し不能メモリ１３０、取外し可能メモリ１３２、電源１３４、全地球測位システム（ＧＰＳ）チップセット１３６、干渉管理ユニット１３９、および／または他の周辺装置１３８を含むことができる。ＷＴＲＵ１０２は、実施形態との一貫性を有しながら、前述の要素の任意の下位の組合せを含むことができることが理解されよう。
【００２３】
プロセッサ１１８は、汎用プロセッサ、専用プロセッサ、従来のプロセッサ、デジタル信号プロセッサ（ＤＳＰ）、複数のマイクロプロセッサ、ＤＣＰコアと関連付けられた１つまたは複数のマイクロプロセッサ、コントローラ、マイクロコントローラ、特定用途向け集積回路（ＡＳＩＣ）、書替え可能ゲートアレイ（ＦＰＧＡ）回路、任意の他のタイプの集積回路（ＩＣ）、状態機械、および同様のものとすることができる。プロセッサ１１８は、信号符号化、データ処理、電力制御、入力／出力処理、および／またはＷＴＲＵ１０２を無線環境で動作できるようにする任意の他の機能を実施することができる。プロセッサ１１８は、送受信機１２０に結合され得るが、送受信機１２０は、送信／受信素子１２２に結合され得る。図１Ｂは、プロセッサ１１８と送受信機１２０とを別々の構成要素として示しているが、プロセッサ１１８および送受信機１２０は、電子パッケージまたはチップにおいて共に一体化され得ることが理解されよう。
【００２４】
送信／受信素子１２２は、無線インターフェース１１５／１１６／１１７／１１９を介して、基地局（例えば、基地局１１４ａ）に信号を送信する、かつ／または信号を受信するように構成され得る。例えば、一実施形態では、送信／受信素子１２２は、ＲＦ信号を送信および／または受信するように構成されたアンテナとすることができる。別の実施形態では、送信／受信素子１２２は、例えば、ＩＲ、ＵＶ、または可視光信号を送信および／または受信するように構成された発光体／検出器とすることができる。さらに別の実施形態では、送信／受信素子１２２は、ＲＦおよび光信号を共に送信および／または受信するように構成することができる。送信／受信素子１２２は、無線信号の任意の組合せを送信および／または受信するように構成できることが理解されよう。
【００２５】
送信／受信素子１２２が、図１Ｂで単一の要素として示されているが、ＷＴＲＵ１０２は、任意の数の送信／受信素子１２２を含むことができる。より具体的には、ＷＴＲＵ１０２は、ＭＩＭＯ技術を使用することができる。したがって、一実施形態では、ＷＴＲＵ１０２は、無線インターフェース１１５／１１６／１１７／１１９を介して、無線信号を送信および／または受信するために、２つ以上の送信／受信素子１２２（例えば、複数のアンテナ）を含むことができる。
【００２６】
送受信機１２０は、送信／受信素子１２２により送信される信号を変調し、かつ／または送信／受信素子１２２により受信される信号を復調するように構成され得る。前述のように、ＷＴＲＵ１０２は、マルチモード機能を有することができる。したがって、送受信機１２０は、ＷＴＲＵ１０２が、例えば、ＮＲ、ＵＴＲＡ、および／またはＩＥＥＥ８０２．１１などの複数のＲＡＴにより通信できるようにするための複数の送受信機を含むことができる。
【００２７】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニット、または有機発光ダイオード（ＯＬＥＤ）ディスプレイユニット）に結合され得るが、またそこからユーザ入力データを受信することができる。プロセッサ１１８はまた、ユーザデータを、スピーカ／マイクロフォン１２４、キーパッド１２６、および／またはディスプレイ／タッチパッド１２８に出力することができる。加えて、プロセッサ１１８は、取外し不能メモリ１３０、および／または取外し可能メモリ１３２など、任意のタイプの適切なメモリからの情報にアクセスし、かつ／またはデータをそこに記憶することができる。取外し不能メモリ１３０は、ランダムアクセスメモリ（ＲＡＭ）、読み出し専用メモリ（ＲＯＭ）、ハードディスク、または任意のタイプのメモリ記憶デバイスを含むことができる。取外し可能メモリ１３２は、加入者識別モジュール（ＳＩＭ）カード、メモリスティック、セキュアデジタル（ＳＤ）メモリカード、および同様のものを含むことができる。他の実施形態では、プロセッサ１１８は、サーバまたは家庭用コンピュータ（図示せず）上など、ＷＴＲＵ１０２上に物理的に位置していないメモリからの情報にアクセスし、かつ／またはそこにデータを記憶することができる。
【００２８】
プロセッサ１１８は、電源１３４から電力を受け取ることができ、またＷＴＲＵ１０２における他の構成要素に電力を配布し、かつ／または制御するように構成され得る。電源１３４は、ＷＴＲＵ１０２に電力を供給するための任意の適切なデバイスとすることができる。例えば、電源１３４は、１つまたは複数の乾電池（例えば、ニッケルカドミウム（ＮｉＣｄ）、ニッケル亜鉛（ＮｉＺｎ）ニッケル水素（ＮｉＭＨ）、リチウムイオン（Ｌｉ−ｉｏｎ）など）、太陽電池、燃料電池、および同様のものを含むことができる。
【００２９】
プロセッサ１１８は、ＷＴＲＵ１０２の現在位置に関する位置情報（例えば、経度および／または緯度）を提供するように構成され得るＧＰＳチップセット１３６に結合することができる。ＧＰＳチップセット１３６からの情報に加えて、またはそれに代えて、ＷＴＲＵ１０２は、基地局（例えば、基地局１１４ａ、１１４ｂ）から無線インターフェース１１５／１１６／１１７／１１９を介して位置情報を受け取り、かつ／または２つ以上の近傍の基地局から受信される信号のタイミングに基づき、その位置を決定することができる。ＷＴＲＵ１０２は、実施形態との一貫性を有しながら、任意の適切な位置決定法により位置情報を取得できることが理解されよう。
【００３０】
プロセッサ１１８は、さらなる特徴、機能性、および／または有線もしくは無線接続性を提供する１つまたは複数のソフトウェアおよび／またはハードウェアモジュールを含むことのできる他の周辺装置１３８に結合され得る。例えば、周辺装置１３８は、加速度計、電子コンパス、衛星送受信機、デジタルカメラ（写真および／またはビデオ用）、ユニバーサルシリアルバス（ＵＳＢ）ポート、振動デバイス、テレビジョン送受信機、手を使用しないヘッドセット、Ｂｌｕｅｔｏｏｔｈ（登録商標）モジュール、周波数変調（ＦＭ）無線ユニット、デジタルミュージックプレーヤ、メディアプレーヤ、ビデオゲームプレーヤモジュール、インターネットブラウザ、仮想現実および／または拡張現実感（ＶＲ／ＡＲ）デバイス、活動量計（activity tracker）、および同様のものを含むことができる。周辺装置１３８は、１つまたは複数のセンサを含むことができ、センサは、ジャイロスコープ、加速度計、ホール効果センサ、磁力計、方向センサ、近接センサ、温度センサ、時間センサ、ジオロケーションセンサ、高度計、光センサ、タッチセンサ、気圧計、ジェスチャセンサ、生物測定センサ、および／または湿度センサなどのうちの１つまたは複数のものとすることができる。
【００３１】
ＷＴＲＵ１０２のプロセッサ１１８は、本明細書で開示される代表的な実施形態を実施するために、例えば、１つまたは複数の加速度計、１つまたは複数のジャイロスコープ、ＵＳＢポート、他の通信インターフェース／ポート、ディスプレイ、および／または他の視覚的／オーディオインジケータのうちのいずれかを含む様々な周辺装置１３８と動作可能に通信することができる。
【００３２】
ＷＴＲＵ１０２は、全二重無線を含むことができ、その場合、（例えば、ＵＬ（例えば、送信用）とダウンリンク（例えば、受信用）の両方に対する特定のサブフレームに関連付けられた信号のいくつか、またはすべての送信および受信は、例えば、部分的に、または完全に一致しており、かつ／または同時に行うことができる。全二重無線は、干渉管理ユニット１３９を含み、ハードウェア（例えば、チョーク）による自己干渉、またはプロセッサによる（例えば、別個のプロセッサ（図示せず）もしくはプロセッサ１１８による）信号処理を低減する、かつ／または実質的になくすことができる。実施形態では、ＷＲＴＵ１０２は、（例えば、ＵＬ（例えば、送信用）またはダウンリンク（例えば、受信用）に対する特定のサブフレームに関連付けられた）信号のいくつか、またはすべてを送信および受信するための半二重無線を含むことができる。
【００３３】
図１Ｃは、別の実施形態によるＲＡＮ１０３およびＣＮ１０６を示すシステム図である。上記のように、ＲＡＮ１０３は、無線インターフェース１１５を介してＷＴＲＵ１０２ａ、１０２ｂ、１０２ｃと通信するために、ＵＴＲＡ無線技術を使用することができる。ＲＡＮ１０３はまた、ＣＮ１０６と通信することができる。図１Ｃで示されるように、ＲＡＮ１０３は、ノードＢ１４０ａ、１４０ｂ、１４０ｃを含むことができ、それはそれぞれ、無線インターフェース１１５を介して、ＷＴＲＵ１０２ａ、１０２ｂ、１０２ｃと通信するための１つまたは複数の送受信機を含むことができる。ノードＢ１４０ａ、１４０ｂ、１４０ｃはそれぞれ、ＲＡＮ１０３内の特定のセル（図示せず）と関連付けることができる。ＲＡＮ１０３はまた、ＲＮＣ１４２ａ、１４２ｂを含むことができる。ＲＡＮ１０３は、実施形態との一貫性を有しながら、任意の数のノードＢおよびＲＮＣを含み得ることが理解されよう。
【００３４】
図１Ｃで示されるように、ノードＢ１４０ａ、１４０ｂは、ＲＮＣ１４２ａと通信することができる。さらに、ノードＢ１４０ｃは、ＲＮＣ１４２ｂと通信することができる。ノードＢ１４０ａ、１４０ｂ、１４０ｃは、Ｉｕｂインターフェースを介して、各ＲＮＣ１４２ａ、１４２ｂと通信することができる。ＲＮＣ１４２ａ、１４２ｂは、Ｉｕｒインターフェースを介して互い通信することができる。ＲＮＣ１４２ａ、１４２ｂのそれぞれは、それが接続される各ノードＢ１４０ａ、１４０ｂ、１４０ｃを制御するように構成することができる。さらに、ＲＮＣ１４２ａ、１４２ｂのそれぞれは、外側ループ電力制御、負荷制御、受付制御、パケットスケジューリング、ハンドオーバ制御、マクロダイバーシティ、セキュリティ機能、データ暗号化、および同様のものなど、他の機能を実行する、またはサポートするように構成され得る。
【００３５】
図１Ｃで示されるＣＮ１０６は、メディアゲートウェイ（ＭＧＷ）１４４、モバイルスイッチングセンタ（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。前述の要素のそれぞれは、ＣＮ１０６の一部として示されているが、これらの要素のいずれも、ＣＮ運営者以外のエンティティによって所有され、かつ／運営され得ることが理解されよう。
【００３６】
ＲＡＮ１０３におけるＲＮＣ１４２ａは、ＩｕＣＳインターフェースを介して、ＣＮ１０６内のＭＳＣ１４６に接続され得る。ＭＳＣ１４６は、ＭＧＷ１４４に接続することができる。ＭＳＣ１４６およびＭＧＷ１４４は、ＷＴＲＵ１０２ａ、１０２ｂ、１０２ｃと従来の陸線通信デバイスの間の通信を容易にするために、ＰＳＴＮ１０８などの回線交換網へのアクセスを、ＷＴＲＵ１０２ａ、１０２ｂ、１０２ｃに提供することができる。
【００３７】
ＲＡＮ１０３におけるＲＮＣ１４２ａはまた、ＩｕＰＳインターフェースを介してＣＮ１０６におけるＳＧＳＮ１４８に接続することができる。ＳＧＳＮ１４８は、ＧＧＳＮ１５０に接続することができる。ＳＧＳＮ１４８およびＧＧＳＮ１５０は、ＷＴＲＵ１０２ａ、１０２ｂ、１０２ｃとＩＰ対応デバイス（IP-enabled device）との間の通信を容易にするために、インターネット１１０などのパケット交換網へのアクセスをＷＴＲＵ１０２ａ、１０２ｂ、１０２ｃに提供することができる。
【００３８】
上記のように、ＣＮ１０６はまた、他のネットワーク１１２に接続することができ、それは、他のサービスプロバイダにより所有され、かつ／あるいは運営される他の有線および／または無線ネットワークを含むことができる。
【００３９】
図１Ｄは、実施形態によるＲＡＮ１０４およびＣＮ１０７を示すシステム図である。上記のように、ＲＡＮ１０４は、Ｅ−ＵＴＲＡ無線技術を使用し、無線インターフェース１１６を介してＷＴＲＵ１０２ａ、１０２ｂ、１０２ｃと通信することができる。ＲＡＮ１０４はまた、ＣＮ１０７と通信することができる。
【００４０】
ＲＡＮ１０４は、ｅＮｏｄｅＢ１６０ａ、１６０ｂ、１６０ｃを含むことができるが、ＲＡＮ１０４は、実施形態との一貫性を有しながら、任意の数のｅＮｏｄｅＢを含み得ることが理解されよう。ｅＮｏｄｅＢ１６０ａ、１６０ｂ、１６０ｃは、それぞれ、無線インターフェース１１６を介して、ＷＴＲＵ１０２ａ、１０２ｂ、１０２ｃと通信するための１つまたは複数の送受信機を含むことができる。一実施形態では、ｅＮｏｄｅＢ１６０ａ、１６０ｂ、１６０ｃは、ＭＩＭＯ技術を実施することができる。したがって、例えば、ｅＮｏｄｅＢ１６０ａは、ＷＴＲＵ１０２ａに無線信号を送信し、かつ／またはそこから無線信号を受信するために複数のアンテナを使用することができる。
【００４１】
ｅＮｏｄｅＢ１６０ａ、１６０ｂ、１６０ｃのそれぞれは、特定のセル（図示せず）に関連付けることができ、また無線リソース管理決定、ハンドオーバ決定、ＵＬおよび／またはＤＬにおけるユーザのスケジューリング、ならびに同様のものを扱うように構成され得る。図１Ｄで示されるように、ｅＮｏｄｅＢ１６０ａ、１６０ｂ、１６０ｃは、Ｘ２インターフェースを介して互いに通信することができる。ｅＮｏｄｅＢは、ＷＴＲＵ１０２のもの（例えば、干渉管理ユニットを備える）と同様の全二重無線を含むことができる。図１Ｄで示されるＣＮ１０７は、モビリティ管理ユニット（ＭＭＥ）１６２、サービングゲートウェイ（ＳＧＷ）１６４、およびパケットデータネットワーク（ＰＤＮ）ゲートウェイ（またはＰＧＷ）１６６を含むことができる。前述の要素のそれぞれは、ＣＮ１０７の一部として示されているが、これらの要素のいずれも、ＣＮ運営者以外のエンティティによって所有され、かつ／または運営され得ることが理解されよう。
【００４２】
ＭＭＥ１６２は、Ｓ１インターフェースを介してＲＡＮ１０４におけるｅＮｏｄｅＢ１６０ａ、１６０ｂ、１６０ｃのそれぞれに接続することができ、制御ノードとして働くことができる。例えば、ＭＭＥ１６２は、ＷＴＲＵ１０２ａ、１０２ｂ、１０２ｃのユーザを認証すること、ベアラの活動化／非活動化、ＷＴＲＵ１０２ａ、１０２ｂ、１０２ｃの初期アタッチ中に特定のサービングゲートウェイを選択すること、および同様のものを扱うことができる。ＭＭＥ１６２は、ＲＡＮ１０４と、ＧＳＭおよび／またはＷＣＤＭＡなどの他の無線技術を使用する他のＲＡＮ（図示せず）との間を切り換えるための制御プレーン機能を提供することができる。
【００４３】
サービングゲートウェイ１６４は、Ｓ１インターフェースを介して、ＲＡＮ１０４におけるｅＮｏｄｅＢ１６０ａ、１６０ｂ、１６０ｃのそれぞれに接続され得る。サービングゲートウェイ１６４は、概して、ＷＴＲＵ１０２ａ、１０２ｂ、１０２ｃとの間で、ユーザデータパケットを経路指定し、かつ転送することができる。サービングゲートウェイ１６４は、ｅＮｏｄｅＢ間のハンドオーバ中にユーザプレーンを固定すること、ＤＬデータがＷＴＲＵ１０２ａ、１０２ｂ、１０２ｃに利用可能であるとき、ページングをトリガすること、ＷＴＲＵ１０２ａ、１０２ｂ、１０２ｃのコンテキストを管理し、かつ記憶すること、および同様のものなどの他の機能を実施することができる。
【００４４】
サービングゲートウェイ１６４は、ＰＤＮゲートウェイ１６６に接続することができ、それは、ＷＴＲＵ１０２ａ、１０２ｂ、１０２ｃとＩＰ対応デバイスとの間の通信を容易にするために、インターネット１１０などのパケット交換網へのアクセスをＷＴＲＵ１０２ａ、１０２ｂ、１０２ｃに提供することができる。
【００４５】
ＣＮ１０７は、他のネットワークとの通信を容易にすることができる。例えば、ＣＮ１０７は、ＷＴＲＵ１０２ａ、１０２ｂ、１０２ｃと従来の陸線通信デバイスとの間の通信を容易にするために、ＰＳＴＮ１０８などの回線交換網へのアクセスをＷＴＲＵ１０２ａ、１０２ｂ、１０２ｃに提供することができる。例えば、ＣＮ１０７は、ＣＮ１０７とＰＳＴＮ１０８の間のインターフェースとして働くＩＰゲートウェイ（例えば、ＩＰマルチメディアサブシステム（ＩＭＳ）サーバ）を含む、またはそれと通信することができる。さらに、ＣＮ１０７は、他のサービスプロバイダにより所有され、かつ／または運営される他の有線および／または無線ネットワークを含むことのできる他のネットワーク１１２へのアクセスをＷＴＲＵ１０２ａ、１０２ｂ、１０２ｃに提供することができる。
【００４６】
図１Ｅは、実施形態によるＲＡＮ１０５およびＣＮ１０９を示すシステム図である。ＲＡＮ１０５は、無線インターフェース１１７を介してＷＴＲＵ１０２ａ、１０２ｂ、１０２ｃと通信するために、ＩＥＥＥ８０２．１６無線技術を使用するアクセスサービスネットワーク（ＡＳＮ）とすることができる。以下でさらに論ずるように、ＷＴＲＵ１０２ａ、１０２ｂ、１０２ｃ、ＲＡＮ１０５、およびＣＮ１０９の様々な機能エンティティ間の通信リンクは、参照点として定義され得る。
【００４７】
図１Ｅで示されるように、ＲＡＮ１０５は、基地局１７０ａ、１７０ｂ、１７０ｃ、およびＡＳＮゲートウェイ１８２を含むことができるが、ＲＡＮ１０５は、実施形態との一貫性を有しながら、任意の数の基地局およびＡＳＮゲートウェイを含み得ることが理解されよう。基地局１７０ａ、１７０ｂ、１７０ｃはそれぞれ、ＲＡＮ１０５における特定のセル（図示せず）に関連付けることができ、またそれぞれ、無線インターフェース１１７を介して、ＷＴＲＵ１０２ａ、１０２ｂ、１０２ｃと通信するための１つまたは複数の送受信機を含むことができる。一実施形態では、基地局１７０ａ、１７０ｂ、１７０ｃは、ＭＩＭＯ技術を実施することができる。基地局１７０ａは、例えば、複数のアンテナを用いて、無線信号をＷＴＲＵ１０２ａに送信する、かつ／またはＷＴＲＵ１０２ａから無線信号を受信することができる。基地局１７０ａ、１７０ｂ、１７０ｃはまた、ハンドオフのトリガ、トンネル確立、無線リソース管理、トラフィック分類、サービス品質（ＱｏＳ）ポリシ施行、および同様のものなどのモビリティ管理機能を提供することができる。ＡＳＮゲートウェイ１８２は、トラフィック集約点として働くことができ、またページング、加入者プロファイルのキャッシング、ＣＮ１０９への経路指定、および同様のものを扱うことができる。
【００４８】
ＷＴＲＵ１０２ａ、１０２ｂ、１０２ｃとＲＡＮ１０５の間の無線インターフェース１１７は、ＩＥＥＥ８０２．１６規格を実施するＲ１参照点として定義することができる。さらにＷＴＲＵ１０２ａ、１０２ｂ、１０２ｃのそれぞれは、ＣＮ１０９と論理インターフェース（図示せず）を確立することができる。ＷＴＲＵ１０２ａ、１０２ｂ、１０２ｃとＣＮ１０９の間の論理インターフェースは、Ｒ２参照点として定義することができ、それは、認証、認可、ＩＰホスト構成管理、および／またはモビリティ管理に使用することができる。
【００４９】
基地局１７０ａ、１７０ｂ、１７０ｃのそれぞれの間の通信リンクは、基地局間で、ＷＴＲＵのハンドオーバ、およびデータの転送を容易にするためのプロトコルを含むＲ８参照点として定義することができる。基地局１７０ａ、１７０ｂ、１７０ｃとＡＳＮゲートウェイ１８２の間の通信リンクは、Ｒ６参照点として定義することができる。Ｒ６参照点は、ＷＴＲＵ１０２ａ、１０２ｂ、１０２ｃのそれぞれに関連するモビリティイベントに基づくモビリティ管理を容易にするためのプロトコルを含むことができる。
【００５０】
図１Ｅで示されるように、ＲＡＮ１０５は、ＣＮ１０９に接続することができる。ＲＡＮ１０５とＣＮ１０９の間の通信リンクは、例えば、データ転送およびモビリティ管理機能を容易にするためのプロトコルを含むＲ３参照点として定義することができる。ＣＮ１０９は、モバイルＩＰホームエージェント（ＭＩＰ−ＨＡ）１８４、認証、認可、アカウンティング（ＡＡＡ）サーバ１８６、およびゲートウェイ１８８を含むことができる。前述の要素のそれぞれは、ＣＮ１０９の一部として示されているが、これらの要素のいずれも、ＣＮ運営者以外のエンティティにより所有され、かつ／または運営され得ることが理解されよう。
【００５１】
ＭＩＰ−ＨＡ１８４は、ＩＰアドレス管理を扱うことができ、またＷＴＲＵ１０２ａ、１０２ｂ、１０２ｃが、異なるＡＳＮおよび／または異なるＣＮの間でローミングできるようにする。ＭＩＰ−ＨＡ１８４は、ＷＴＲＵ１０２ａ、１０２ｂ、１０２ｃとＩＰ対応デバイスとの間の通信を容易にするために、インターネット１１０などのパケット交換網へのアクセスをＷＴＲＵ１０２ａ、１０２ｂ、１０２ｃに提供することができる。ＡＡＡサーバ１８６は、ユーザ認証、およびユーザサービスのサポートを扱うことができる。ゲートウェイ１８８は、他のネットワークとの相互接続を容易にすることができる。例えば、ゲートウェイ１８８は、ＷＴＲＵ１０２ａ、１０２ｂ、１０２ｃにＰＳＴＮ１０８などの回路交換網へのアクセスを提供して、ＷＴＲＵ１０２ａ、１０２ｂ、１０２ｃと、従来の陸線通信デバイスとの間の通信を容易にすることができる。ゲートウェイ１８８は、他のサービスプロバイダにより所有され、かつ／または運営される他の有線および／または無線ネットワークを含むことのできる他のネットワーク１１２へのアクセスを、ＷＴＲＵ１０２ａ、１０２ｂ、１０２ｃに提供することができる。
【００５２】
図１Ｅで示されていないが、ＲＡＮ１０５は、他のＡＳＮ、他のＲＡＮ（例えば、ＲＡＮ１０３および／または１０４）に接続することができ、かつ／あるいはＣＮ１０９は、他のＣＮ（例えば、ＣＮ１０６および／または１０７）に接続できることが理解されよう。ＲＡＮ１０５と他のＡＳＮの間の通信リンクは、Ｒ４参照点として定義することができ、それは、ＲＡＮ１０５と他のＡＳＮの間でＷＴＲＵ１０２ａ、１０２ｂ、１０２ｃのモビリティを調整するためのプロトコルを含むことができる。ＣＮ１０９と他のＣＮの間の通信リンクは、Ｒ５参照点として定義することができ、それは、ホームＣＮと在圏ＣＮとの間の相互運用を容易にするためのプロトコルを含むことができる。
【００５３】
代表的な実施形態では、他のネットワーク１１２は、ＷＬＡＮとすることができる。
【００５４】
インフラストラクチャ基本サービスセット（ＢＳＳ）モードにおけるＷＬＡＮは、ＢＳＳに対するアクセスポイント（ＡＰ）と、ＡＰに関連付けられた１つまたは複数のステーション（ＳＴＡ）とを有することができる。ＡＰは、配信システム（ＤＳ）に対して、またはトラフィックをＢＳＳにかつ／もしくはＢＳＳから搬送する別タイプの有線／無線ネットワークに対して、アクセスできる、またはインターフェースを有することができる。ＢＳＳの外側から生じたＳＴＡへのトラフィックは、ＡＰを通して到来することができ、またＳＴＡに送達され得る。ＢＳＳの外側の宛先へのＳＴＡから生じたトラフィックは、ＡＰに送られて、各宛先へ送達され得る。ＢＳＳ内のＳＴＡ間のトラフィックは、例えば、ＡＰを通して送ることができ、その場合、ソースＳＴＡは、トラフィックをＡＰに送ることができ、またＡＰは、トラフィックを宛先ＳＴＡに送達することができる。ＢＳＳ内のＳＴＡ間のトラフィックは、ピアツーピアトラフィックであると見なされる、かつ／またはそのように呼ぶことができる。ピアツーピアトラフィックは、ダイレクトリンク設定（ＤＬＳ）を用いてソースと宛先ＳＴＡの間で（例えば、その間で直接）送ることができる。いくつかの代表的な実施形態では、ＤＬＳは、８０２．１１ｅ  ＤＬＳ、または８０２．１１ｚトンネルＤＬＳ（ＴＤＬＳ）を用いることができる。独立ＢＳＳ（ＩＢＳＳ）モードを用いるＷＬＡＮは、ＡＰを有しないこともあり、またＩＢＳＳ内の、またはＩＢＳＳを用いるＳＴＡ（例えば、ＳＴＡのすべて）は、互いに直接通信することができる。通信のＩＢＳＳモードは、本明細書で、通信の「アドホック」モードと呼ぶこともある。
【００５５】
８０２．１１ａｃインフラストラクチャ動作モード、または同様の動作モードを使用するとき、ＡＰは、プライマリチャネルなどの固定チャネルでビーコンを送信することができる。プライマリチャネルは、固定幅（例えば、２０ＭＨｚの幅の帯域幅）、またはシグナリングを介して動的に設定される幅とすることができる。プライマリチャネルは、ＢＳＳの動作チャネルとすることができ、またＡＰとの接続を確立するためにＳＴＡによって使用され得る。いくつかの代表的な実施形態では、例えば、８０２．１１システムにおいて、衝突回避を備えたキャリア感知多重アクセス（ＣＳＭＡ／ＣＡ）を実施することができる。ＣＳＭＡ／ＣＡの場合、ＡＰを含むＳＴＡ（例えば、あらゆるＳＴＡ）は、プライマリチャネルを感知することができる。特定のＳＴＡにより、プライマリチャネルが、ビジーであると感知／検出される、かつ／または決定された場合、特定のＳＴＡは、後退することになり得る。１つのＳＴＡ（例えば、１つのステーションだけ）が、所与のＢＳＳにおける任意の所与の時間に送信することができる。
【００５６】
高スループット（ＨＴ）ＳＴＡは、通信のために４０ＭＨｚ幅チャネルを使用することができるが、それは、例えば、プライマリ２０ＭＨｚチャネルを、隣接または非隣接の２０ＭＨｚチャネルと組み合わせることにより、４０ＭＨｚ幅チャネルを形成する。
【００５７】
超高スループット（ＶＨＴ）ＳＴＡは、２０ＭＨｚ、４０ＭＨｚ、８０ＭＨｚ、および／または１６０ＭＨｚ幅チャネルをサポートすることができる。４０ＭＨｚ、および／または８０ＭＨｚチャネルは、隣接する２０ＭＨｚチャネルを組み合わせることにより形成することができる。１６０ＭＨｚチャネルは、８個の隣接する２０ＭＨｚチャネルを組み合わせることにより、または２つの非隣接の８０ＭＨｚを組み合わせることにより形成することができるが、それは、８０＋８０構成と呼ぶことができる。８０＋８０構成の場合、チャネルエンコーディングの後、データを、２つのストリームへと分割できるセグメントパーサを通すことができる。逆高速フーリエ変換（ＩＦＦＴ）処理、および時間領域処理を、各ストリームに対して別々に行うことができる。ストリームは、２つの８０ＭＨｚチャネルにマップすることができ、またデータは、送信ＳＴＡにより送信され得る。受信ＳＴＡの受信機において、８０＋８０構成に対する上記で述べた動作は、逆にすることができ、また組み合わされたデータを、メディアアクセス制御（ＭＡＣ）に送ることができる。
【００５８】
サブ１ＧＨｚ動作モードは、８０２．１１ａｆおよび８０２．１１ａｈによりサポートされる。チャネル動作帯域幅、およびキャリアは、８０２．１１ｎおよび８０２．１１ａｃで使用されるものに対して、８０２．１１ａｆおよび８０２．１１ａｈにおいて低減され、また８０２．１１ａｆは、ＴＶホワイトスペース（ＴＶＷＳ）スペクトルにおける５ＭＨｚ、１０ＭＨｚ、および２０ＭＨｚ帯域幅をサポートし、また８０２．１１ａｈは、非ＴＶＷＳスペクトルを用いて１ＭＨｚ、２ＭＨｚ、４ＭＨｚ、８ＭＨｚ、および１６ＭＨｚ帯域幅をサポートする。代表的な実施形態によれば、８０２．１１ａｈは、マクロカバレッジエリアにおけるＭＴＣデバイスなど、メータタイプ制御／マシンタイプ通信をサポートすることができる。ＭＴＣデバイスは、例えば、いくつかの、かつ／または限られた帯域幅に対するサポート（例えば、それに対するサポートだけ）を含む限定された機能など、いくつかの機能を有することができる。ＭＴＣデバイスは、（例えば、非常に長い電池寿命を維持するために）閾値を超える電池寿命を有する電池を含むことができる。
【００５９】
８０２．１１ｎ、８０２．１１ａｃ、８０２．１１ａｆ、および８０２．１１ａｈなど、複数のチャネル、およびチャネル帯域幅をサポートできるＷＬＡＮシステムは、プライマリチャネルと指定できるチャネルを含む。プライマリチャネルは、ＢＳＳにおけるすべてのＳＴＡによりサポートされる最大の共通動作帯域幅に等しい帯域幅を有することができる。プライマリチャネルの帯域幅は、ＢＳＳにおいて動作するすべてのＳＴＡの中から、最少の帯域幅動作モードをサポートするＳＴＡにより設定され、かつ／または制限され得る。８０２．１１ａｈの例では、プライマリチャネルは、ＡＰ、およびＢＳＳにおける他のＳＴＡが、２ＭＨｚ、４ＭＨｚ、８ＭＨｚ、１６ＭＨｚ、および／または他のチャネル帯域幅動作モードをサポートする場合であっても、１ＭＨｚモードをサポートする（例えば、サポートするだけ）ＳＴＡ（例えば、ＭＴＣタイプデバイス）に対する１ＭＨｚ幅とすることができる。キャリア感知および／またはネットワーク割当てベクトル（ＮＡＶ）設定は、プライマリチャネルの状態に依存することがある。例えば、ＳＴＡ（１ＭＨｚ動作モードだけをサポートする）がＡＰに送信することに起因して、プライマリチャネルがビジーである場合、利用可能な周波数帯域全体は、周波数帯域の大部分がアイドル状態のままであり、かつ利用可能であるとしても、ビジーであると見なされ得る。
【００６０】
米国では、８０２．１１ａｈにより使用され得る利用可能な周波数帯は、９０２ＭＨｚから９２８ＭＨｚである。朝鮮では、利用可能な周波数帯は、９１７．５ＭＨｚから９２３．５ＭＨｚである。日本では、利用可能な周波数帯は、９１６．５ＭＨｚから９２７．５ＭＨｚである。８０２．１１ａｈに利用可能な全体の帯域幅は、国の法規に応じて６ＭＨｚから２６ＭＨｚである。
【００６１】
図１Ｆは、実施形態によるＲＡＮ１１３およびＣＮ１１５を示すシステム図である。上記のように、ＲＡＮ１１３は、ＮＲ無線技術を使用して、無線インターフェース１１９を介してＷＴＲＵ１０２ａ、１０２ｂ、１０２ｃと通信することができる。ＲＡＮ１１３はまた、ＣＮ１１５と通信することができる。
【００６２】
ＲＡＮ１１３は、ｇＮＢ１８０ａ、１８０ｂ、１８０ｃを含むことができるが、実施形態との一貫性を有しながら、ＲＡＮ１１３は、任意の数のｇＮＢを含み得ることが理解されよう。ｇＮＢ１８０ａ、１８０ｂ、１８０ｃは、それぞれ、無線インターフェース１１９を介して、ＷＴＲＵ１０２ａ、１０２ｂ、１０２ｃと通信するための１つまたは複数の送受信機を含むことができる。一実施形態では、ｇＮＢ１８０ａ、１８０ｂ、１８０ｃは、ＭＩＭＯ技術を実施することができる。例えば、ｇＮＢ１８０ａ、１８０ｂは、ビーム形成を利用して、ｇＮＢ１８０ａ、１８０ｂ、１８０ｃに信号を送信し、かつ／または信号をそこから受信することができる。したがって、例えば、ｇＮＢ１８０ａは、複数のアンテナを使用して、ＷＴＲＵ１０２ａに無線信号を送信し、かつ／またはそこから無線信号を受信することができる。実施形態では、ｇＮＢ１８０ａ、１８０ｂ、１８０ｃは、キャリア集約技術を実施することができる。例えば、ｇＮＢ１８０ａは、ＷＴＲＵ１０２ａ（図示せず）に複数のコンポーネントキャリアを送信することができる。これらのコンポーネントキャリアのサブセットは、未認可スペクトル上のものとすることができるが、残りのコンポーネントキャリアは、認可スペクトル上のものとすることができる。実施形態では、ｇＮＢ１８０ａ、１８０ｂ、１８０ｃは、複数基地局間協調送信（Coordinated Multi-Point）（ＣｏＭＰ）技術を実施することができる。例えば、ＷＴＲＵ１０２ａは、ｇＮＢ１８０ａおよびｇＮＢ１８０ｂ（および／またはｇＮＢ１８０ｃ）からの協調された送信を受信することができる。
【００６３】
ＷＴＲＵ１０２ａ、１０２ｂ、１０２ｃは、スケーラブルなニューメロロジに関連付けられた送信を用いて、ｇＮＢ１８０ａ、１８０ｂ、１８０ｃと通信することができる。例えば、ＯＦＤＭシンボルスペーシング、および／またはＯＦＤＭサブキャリアスペーシングは、異なる送信、異なるセル、および／または無線送信スペクトルの異なる部分に対して変化することができる。ＷＴＲＵ１０２ａ、１０２ｂ、１０２ｃは、様々な、もしくはスケーラブルな長さのサブフレーム、または送信時間間隔（ＴＴＩ）（例えば、様々な数のＯＦＤＭシンボルを含む、および／または様々な長さの絶対時間が続く）を用いて、ｇＮＢ１８０ａ、１８０ｂ、１８０ｃと通信することができる。
【００６４】
ｇＮＢ１８０ａ、１８０ｂ、１８０ｃは、スタンドアロン構成で、かつ／または非スタンドアロン構成で、ＷＴＲＵ１０２ａ、１０２ｂ、１０２ｃと通信するように構成され得る。スタンドアロン構成では、ＷＴＲＵ１０２ａ、１０２ｂ、１０２ｃは、他のＲＡＮ（例えば、ｅＮｏｄｅＢ１６０ａ、１６０ｂ、１６０ｃなど）にさらにアクセスすることなく、ｇＮＢ１８０ａ、１８０ｂ、１８０ｃと通信することができる。スタンドアロン構成では、ＷＴＲＵ１０２ａ、１０２ｂ、１０２ｃは、モビリティアンカーポイントとして、ｇＮＢ１８０ａ、１８０ｂ、１８０ｃのうちの１つまたは複数のものを利用することができる。スタンドアロン構成では、ＷＴＲＵ１０２ａ、１０２ｂ、１０２ｃは、未認可帯域における信号を用いてｇＮＢ１８０ａ、１８０ｂ、１８０ｃと通信することができる。非スタンドアロン構成では、ＷＴＲＵ１０２ａ、１０２ｂ、１０２ｃは、ｅＮｏｄｅＢ１６０ａ、１６０ｂ、１６０ｃなどの別のＲＡＮとも通信／接続しながら、ｇＮＢ１８０ａ、１８０ｂ、１８０ｃと通信／接続することができる。例えば、ＷＴＲＵ１０２ａ、１０２ｂ、１０２ｃは、ＤＣ原理を実施して、実質的に同時に、１つまたは複数のｇＮＢ１８０ａ、１８０ｂ、１８０ｃ、および１つまたは複数のｅＮｏｄｅＢ１６０ａ、１６０ｂ、１６０ｃと通信することができる。非スタンドアロン構成では、ｅＮｏｄｅＢ１６０ａ、１６０ｂ、１６０ｃは、ＷＴＲＵ１０２ａ、１０２ｂ、１０２ｃに対するモビリティアンカーとして働くことができ、またｇＮＢ１８０ａ、１８０ｂ、１８０ｃは、ＷＴＲＵ１０２ａ、１０２ｂ、１０２ｃをサービスするためにさらなる到達範囲および／またはスループットを提供することができる。
【００６５】
ｇＮＢ１８０ａ、１８０ｂ、１８０ｃのそれぞれは、特定のセル（図示せず）に関連付けることができ、また無線リソース管理決定、ハンドオーバ決定、ＵＬおよび／またはＤＬにおけるユーザのスケジューリング、ネットワークスライシングのサポート、デュアル接続、ＮＲとＥ−ＵＴＲＡとの間の相互接続、ユーザプレーン機能（ＵＰＦ）１８４ａ、１８４ｂに向けたユーザプレーンデータの経路指定、アクセスおよびモビリティ管理機能（ＡＭＦ）１８２ａ、１８２ｂに向けた制御プレーン情報の経路指定、および同様のものを処理するように構成され得る。図１Ｆで示されるように、ｇＮＢ１８０ａ、１８０ｂ、１８０ｃは、Ｘｎインターフェースを介して互いに通信することができる。
【００６６】
図１Ｆで示されるＣＮ１１５は、少なくとも１つのＡＭＦ１８２ａ、１８２ｂ、少なくとも１つのＵＰＦ１８４ａ、１８４ｂ、少なくとも１つのセッション管理機能（ＳＭＦ）１８３ａ、１８３ｂ、およびおそらくデータネットワーク（ＤＮ）１８５ａ、１８５ｂを含むことができる。前述の要素のそれぞれは、ＣＮ１１５の一部として示されているが、これらの要素のいずれも、ＣＮ運営者以外のエンティティにより所有され、かつ／または運営され得ることが理解されよう。
【００６７】
ＡＭＦ１８２ａ、１８２ｂは、Ｎ２インターフェースを介して、ＲＡＮ１１３におけるｇＮＢ１８０ａ、１８０ｂ、１８０ｃのうちの１つまたは複数のものに接続され、かつ制御ノードとして働くことができる。例えば、ＡＭＦ１８２ａ、１８２ｂは、ＷＴＲＵ１０２ａ、１０２ｂ、１０２ｃのユーザを認証すること、ネットワークスライシングをサポートすること（例えば、様々な要件を有する様々なＰＤＵセッションを処理すること）、特定のＳＭＦ１８３ａ、１８３ｂを選択すること、登録エリアの管理、ＮＡＳシグナリングの終了、モビリティ管理、および同様のものを扱うことができる。ネットワークスライシングは、ＷＴＲＵ１０２ａ、１０２ｂ、１０２ｃで利用されるサービスのタイプに基づいて、ＷＴＲＵ１０２ａ、１０２ｂ、１０２ｃに対するＣＮポートをカスタマイズするために、ＡＭＦ１８２ａ、１８２ｂによって使用することができる。例えば、様々なネットワークスライスが、超高信頼低遅延（ＵＲＬＬＣ）アクセスを利用するサービス、拡張大容量モバイルブロードバンド（ｅＭＢＢ）アクセスを利用するサービス、マシンタイプ通信（ＭＴＣ）アクセスに対するサービス、および／または同様のものなど、様々な使用例に対して確立され得る。ＡＭＦ１８２は、ＲＡＮ１１３と、ＬＴＥ、ＬＴＥ−Ａ、ＬＴＥ−Ａ  Ｐｒｏ、および／またはＷｉＦｉなどの非３ＧＰＰアクセス技術など他の無線技術を使用する他のＲＡＮ（図示せず）との間を切り換えるための制御プレーン機能を提供することができる。
【００６８】
ＳＭＦ１８３ａ、１８３ｂは、Ｎ１１インターフェースを介して、ＣＮ１１５におけるＡＭＦ１８２ａ、１８２ｂに接続され得る。ＳＭＦ１８３ａ、１８３ｂはまた、Ｎ４インターフェースを介して、ＣＮ１１５におけるＵＰＦ１８４ａ、１８４ｂに接続され得る。ＳＭＦ１８３ａ、１８３ｂは、ＵＰＦ１８４ａ、１８４ｂを選択し、制御することができ、またＵＰＦ１８４ａ、１８４ｂを通るトラフィックの経路指定を構成することができる。ＳＭＦ１８３ａ、１８３ｂは、ＷＴＲＵのＩＰアドレスを管理し、割り振ること、ＰＤＵセッションを管理すること、ポリシ施行およびＱｏＳを制御すること、ダウンリンクデータ通知を提供すること、および同様のものなど、他の機能を実施することができる。ＰＤＵセッションタイプは、ＩＰベース、非ＩＰベース、イーサネットベース、および同様のものとすることができる。
【００６９】
ＵＰＦ１８４ａ、１８４ｂは、Ｎ３インターフェースを介してＲＡＮ１１３におけるｇＮＢ１８０ａ、１８０ｂ、１８０ｃのうちの１つまたは複数のものに接続され得るが、それは、ＷＴＲＵ１０２ａ、１０２ｂ、１０２ｃに、インターネット１１０などのパケット交換網へのアクセスを提供して、ＷＴＲＵ１０２ａ、１０２ｂ、１０２ｃとＩＰ対応デバイスとの間の通信を容易にすることができる。ＵＰＦ１８４ａ、１８４ｂは、パケットを経路指定し、かつ転送すること、ユーザプレーンポリシを施行すること、マルチホームＰＤＵセッションをサポートすること、ユーザプレーンＱｏＳを処理すること、ダウンリンクパケットをバッファすること、モビリティアンカリングを提供すること、および同様のものなど、他の機能を実施することができる。
【００７０】
ＣＮ１１５は、他のネットワークとの通信を容易にすることができる。例えば、ＣＮ１１５は、ＣＮ１１５とＰＳＴＮ１０８との間のインターフェースとして働くＩＰゲートウェイ（例えば、ＩＰマルチメディアサブシステム（ＩＭＳ）サーバ）を含む、またはそれと通信することができる。さらに、ＣＮ１１５は、他のサービスプロバイダにより所有され、かつ／または運営される他の有線および／または無線ネットワークを含むことのできる他のネットワーク１１２へのアクセスを、ＷＴＲＵ１０２ａ、１０２ｂ、１０２ｃに提供することができる。一実施形態では、ＷＴＲＵ１０２ａ、１０２ｂ、１０２ｃは、ＵＰＦ１８４ａ、１８４ｂへのＮ３インターフェースにより、またＵＰＦ１８４ａ、１８４ｂとＤＮ１８５ａ、１８５ｂとの間のＮ６インターフェースにより、ＵＰＦ１８４ａ、１８４ｂを介してローカルデータネットワーク（ＤＮ）１８５ａ、１８５ｂに接続され得る。
【００７１】
ＲＡＮ１１３が、いくつかの動作を提供するものとして、本明細書で開示されるが、ＲＡＮ１１３に含まれるｇＮＢ１８０ａ、１８０ｂ、および１８０ｃがこのような動作を可能にし得ることも企図される。
【００７２】
ＣＮ１１５が、いくつかの動作を提供するものとして開示されるが、ＣＮ１１５に含まれるＡＭＦ１８２ａ、１８２ｂ、ＳＭＦ１８３ａ、１８３ｂ、および／またはＵＰＦ１８４ａ、１８４ｂがこのような動作を可能にし得ることも企図される。
【００７３】
図１Ａ〜図１Ｄの図、および図１Ａ〜図１Ｄの対応する記述において、ＷＴＲＵ１０２ａ〜ｄ、基地局１１４ａ〜ｂ、ｅＮｏｄｅＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ｂ、ＵＰＦ１８４ａ〜ｂ、ＳＭＦ１８３ａ〜ｂ、ＤＮ１８５ａ〜ｂ、および／または本明細書で述べられる任意の他のデバイスのうちの１つまたは複数のものに関して本明細書で述べられる機能のうちの１つまたは複数のもの、あるいはすべては、１つまたは複数のエミュレーションデバイス（図示せず）によって実施することができる。エミュレーションデバイスは、本明細書で述べられる機能のうちの１つまたは複数のもの、あるいはすべてをエミュレートするように構成された１つまたは複数のデバイスとすることができる。例えば、エミュレーションデバイスは、他のデバイスを試験するために、ならびに／あるいはネットワークおよび／またはＷＴＲＵ機能をシミュレートするために使用することができる。
【００７４】
エミュレーションデバイスは、実験室環境で、かつ／または運営者ネットワーク環境で他のデバイスの１つまたは複数の試験を実施するように設計され得る。例えば、１つまたは複数のエミュレーションデバイスは、１つまたは複数の、あるいはすべての機能を実施できるが、通信ネットワーク内の他のデバイスを試験するために、有線および／または無線通信ネットワークの一部として、完全に、または部分的に実施される、かつ／または展開される。１つまたは複数のエミュレーションデバイスは、１つまたは複数の、あるいはすべての機能を実施できるが、有線および／または無線通信ネットワークの一部として一時的に実施／展開される。エミュレーションデバイスは、試験を行うために別のデバイスに直接結合され得る、かつ／または空中を介する無線通信を用いて試験を実施することができる。
【００７５】
１つまたは複数のエミュレーションデバイスは、すべても含む、１つまたは複数の機能を実施することができるが、有線および／または無線通信ネットワークの一部としては実施／展開されない。例えば、エミュレーションデバイスは、１つまたは複数の構成要素の試験を実施するために、試験用実験室、および／または展開されない（例えば、試験用の）有線および／または無線通信ネットワークにおける試験シナリオで利用され得る。１つまたは複数のエミュレーションデバイスは、試験装置とすることができる。データを送信および／または受信するために、直接ＲＦ結合、および／またはＲＦ回路（例えば、１つまたは複数のアンテナを含むことができる）を介する無線通信が、エミュレーションデバイスによって使用され得る。
【００７６】
ＷＴＲＵが、無線端末として図１Ａ〜図１Ｆで示されているが、いくつかの代表的な実施形態では、このような端末は、通信ネットワークとの有線通信インターフェースを（例えば、一時的に、または恒久的に）使用できることも企図される。
【００７７】
いくつかの代表的な実施形態では、ＭＩＣＯ(Mobile Initiated connection Only)  ＷＴＲＵ（モバイルで開始される接続専用のＷＴＲＵ、または、モバイル開始接続専用のＷＴＲＵ）１０２は、ＭＩＣＯ  ＷＴＲＵ１０２が、いくつかある中で特に、事前に構成されたフラグ、ネットワーク（ＮＷ）（例えば、ＮＷ１１３／１１５）で提供されるフラグ、および／または他の基準のいずれかに従って、例えば、ＳＲの前に、登録更新を実施するかどうかを決定することができる。
【００７８】
いくつかの代表的な実施形態では、ＭＩＣＯ  ＷＴＲＵ１０２は、ＳＲにおいて、ＭＩＣＯ  ＷＴＲＵ１０２の一時的なユーザＩＤ（ＴＵＩＤ）を含むことができ、それは、例えば、サービングアクセスおよびモビリティ管理機能（ＡＭＦ）がコンテキスト（例えば、ＷＴＲＵコンテキスト）を有しない場合、ＷＴＲＵ情報取得を可能とできる。
【００７９】
いくつかの代表的な実施形態では、ＭＩＣＯ  ＷＴＲＵ１０２は、同報通信システム情報からサービングＡＭＦ（例えば、ＡＭＦ１８２ａ）の識別子を読み取ることができ、その識別子を１つまたは複数の記憶されたＴＵＩＤと比較して、ＭＩＣＯ  ＷＴＲＵ１０２が、新しいＡＭＦ（例えば、ＡＭＦ１８２ｂ）に移動したかどうかを決定できる。
【００８０】
いくつかの代表的な実施形態では、ＭＩＣＯ  ＷＴＲＵ１０２は、ＭＩＣＯ  ＷＴＲＵ１０２それ自体から接続を開始するためのプリファレンスを示すことができ、またＮＷ（例えば、ＮＷ１１３／１１５）は、ＭＩＣＯ  ＷＴＲＵ１０２の接続を解除することを控えることがあり得る（例えば、このようなプリファレンスが受け入れられた場合）。
【００８１】
いくつかの代表的な実施形態では、ＭＩＣＯ  ＷＴＲＵ１０２は、ＲＡＮシグナリングを拒否して、例えば、ＭＩＣＯ  ＷＴＲＵ１０２をＲＲＣ＿ＩＮＡＣＴＩＶＥモードにすることができ、ＭＩＣＯ  ＷＴＲＵ１０２は、ＣＯＮＮＥＣＴＥＤモードに留まり、かつ／またはＩＤＬＥモードへと進むことができる。
【００８２】
ＮＷ（例えば、ＮＷ１１３／１１５）が、ＭＩＣＯ  ＷＴＲＵ１０２に対する構成パラメータ（例えば、いくつかある中で特に、ネットワークスライス選択支援情報（ＮＳＳＡＩ）、拡張不連続受信（ｅＤＲＸ）、および／またはＭＩＣＯ周期タイマなど）を更新すると決定する、望む、したいと考える場合、または更新する予定である場合、ＮＷ１１３／１１５は、ＳＲ手順を使用して、登録手順を実施するようにＭＩＣＯ  ＷＴＲＵ１０２をトリガすることができる。
代表的なＭＩＣＯモード
「モバイル発信専用」（ＭＯＯ：Mobile Originated Only）機能／手順、および／または特徴は、マシンタイプ通信（ＭＴＣ）に対するサービス要件とすることができる。例えば、ＮＷ（例えば、ＮＷ１１３／１１５）は、ＭＯＯデバイスに対するモビリティ管理手順の頻度を低減することができる。省電力モード（ＰＳＭ）機能は、頻度の少ない、モバイルで終了するサービス要件に対してＭＯＯを処理することができる。ＰＳＭモードは、ＷＴＲＵ１０２が登録されたままの状態で、電源オフするのと同様のものであり得る。ＷＴＲＵ１０２は、ＷＴＲＵ１０２が、モバイル発信（ＭＯ:Mobile Originated）データおよび／またはシグナリングを有するとき、ＰＳＭモードを出ることができる（例えば、その時にのみ出ることができる）。ＷＴＲＵ１０２がＰＳＭモードにあるとき、ＷＴＲＵ１０２に到達することはできない(not be reachable)。
【００８３】
ＭＩＣＯモードＷＴＲＵ１０２は、ＣＭ−ＩＤＬＥにある間、到達することができない可能性がある（例えば、常に到達できない可能性がある）。コアＮＷ（ＣＮ）１１５は、ＩＤＬＥモードにあるＭＩＣＯ  ＷＴＲＵ１０２に対するダウンリンクデータ、またはシグナリング送達を求めるいずれの要求も拒否することができる。ＭＩＣＯモードにあるＷＴＲＵ１０２は、ＭＩＣＯ  ＷＴＲＵ１０２がＣＭ−ＣＯＮＮＥＣＴＥＤモードにあるとき、モバイルで終了するデータおよび／またはシグナリングに対して到達可能であり得る（例えば、到達可能であるに過ぎない）。ＭＩＣＯ  ＷＴＲＵ１０２は、以下のトリガ、すなわち、いくつかある中で特に、（１）例えば、ＮＷ１１３／１１５とのＭＩＣＯ  ＷＴＲＵ登録への更新を必要とする、かつ／または更新させ得るＭＩＣＯ  ＷＴＲＵ１０２における変化（例えば、その構成の変化）、（２）終了する可能性のある登録タイマ（例えば、周期的な登録タイマ）、（３）待ち状態にあり得るＭＯデータ、および／または（４）待ち状態にあり得るＭＯシグナリング（例えば、開始され得るＳＭ手順）のトリガのいずれかにより、ＣＭ−ＩＤＬＥモードからＣＭ−ＣＯＮＮＥＣＴＥＤモードへの切換え手順を開始することができる。
【００８４】
ＭＩＣＯ  ＷＴＲＵ１０２は、ＭＩＣＯ  ＷＴＲＵ１０２がＭＩＣＯモードに入ることができるかどうかに関して、ＮＷ１１３／１１５とネゴシエートすることができる。ＷＴＲＵ１０２は、初期登録および／または登録更新中に、ＭＩＣＯモードに対するプリファレンスを示すことができる。ＡＭＦ１８２ａは、（１）局所的な構成、（２）ＷＴＲＵ加入情報、（３）ＷＴＲＵで示されたプリファレンス、および／または（４）ＮＷポリシに基づいて、ＭＩＣＯモードがＷＴＲＵ１０２に可能であるかどうかを決定することができる。ＡＭＦ１８２ａは、登録手順中に、その決定（例えば、ＭＩＣＯ  ＷＴＲＵの決定）をＷＴＲＵ１０２に示すことができる。
【００８５】
ＷＴＲＵ１０２がさらなるＮＡＳシグナリングを用いずに、通信の最後に登録抹消を実施できる「通信の最後におけるモバイル登録抹消」機能／手順、および／または機構を実施することができる。ＷＴＲＵ１０２は、登録手順中に、通信の最後における登録抹消（ＤＡＥＣ）に対するプリファレンスを示すことができる。ＡＭＦ１８２ａは、ＤＡＥＣがＷＴＲＵに対してサポートされるかどうかを決定することができ、かつ登録シグナリング中にＤＡＥＣに対するサポートを示すことができる。ＡＭＦ１８２ａが、ＤＡＥＣをＷＴＲＵ１０２に適用するとき、ＡＭＦ１８２ａは、ＷＴＲＵ１０２が、ＷＴＲＵ１０２に対するＮ２接続の解除時に、ＲＭ−ＤＥＲＥＧＩＳＴＥＲＥＤに入ることができること、かつＷＴＲＵ１０２は、ＣＭ−ＣＯＮＮＥＣＴＥＤモードから離れるとき、ＲＭ−ＤＥＲＥＧＩＳＴＥＲＥＤへと移動できることを考慮することができる。このタイプのＷＴＲＵ１０２は、ＣＯＮＮＥＣＴＥＤモード以外は、共に到達不能であり得る点で、ＭＩＣＯ  ＷＴＲＵ１０２と共通の特性を共有することができる。
【００８６】
ＭＩＣＯ  ＷＴＲＵ１０２が、以降で述べられるが、本明細書における様々な代表的な実施形態は、ＤＡＥＣ  ＷＴＲＵ１０２、および他のモバイルＷＴＲＵ１０２を含む他のタイプのＷＴＲＵ１０２にも等しく適用可能である。
【００８７】
いくつかの代表的な実施形態では、代表的な手順が実施され、例えば、ＭＩＣＯ  ＷＴＲＵ１０２を、サービングＡＭＦ１８２において認識され得るようにすることができる。
【００８８】
図２は、新しいサービングＡＭＦ１８２ｂへと移動する代表的なＭＩＣＯ  ＷＴＲＵ１０２を示す図である。
【００８９】
図２を参照すると、代表的なネットワーク２００において、ＷＴＲＵ１０２は、第１の複数のトラッキングエリアＴＡ１〜ＴＡ４を含む第１の登録エリア２１０に位置することができ、また第１のＡＭＦ１８２ａによりサービスされ得る。ＷＴＲＵ１０２は、第２のＡＭＦ１８２ｂによりサービスされ得る第２の複数のトラッキングエリアＴＡ５〜ＴＡ８を含む第２のサービングエリア２２０へと移動することができる。ＷＴＲＵ１０２（例えば、典型的なＷＴＲＵ、または非ＭＩＣＯ  ＷＴＲＵ）は、第１の登録エリア２１０に割り当てることができ、そこからＷＴＲＵはサービスされ、かつＷＴＲＵ１０２が、構成された登録エリア（例えば、第１の登録エリア２１０）を離れるとき、登録エリア更新を実施することができる。ＮＷ１１３／１１５は、ページングエリアを、ＷＴＲＵ１０２の登録エリア２１０または２２０に限定することができる。ＭＩＣＯ  ＷＴＲＵ１０２は、ＩＤＬＥモードにおいてページングを受信するとは考えられず、かつ／または受信することはなく、通常の登録エリア構成が、ＭＩＣＯ  ＷＴＲＵ１０２に使用されない可能性がある。ＭＩＣＯモードにあるＷＴＲＵ１０２（以降では、ＭＩＣＯ  ＷＴＲＵと呼ぶことがある）は、「全ＰＬＭＮ(all PLMN)」登録エリアに割り当てることができ、したがって、ＭＩＣＯ  ＷＴＲＵ１０２は、ＭＩＣＯ  ＷＴＲＵ１０２が、同じ登録されたＰＬＭＮに留まるとき、登録エリア更新を実施しない可能性がある（例えば、周期的な登録更新を除いて）。ＭＩＣＯ  ＷＴＲＵ１０２は、ＭＩＣＯ  ＷＴＲＵ１０２が、前に登録していた第１のＡＭＦ１８２ａによってサービスされていない新しいエリアへと移動することができる。例えば、新しいＡＭＦ（例えば、第２のＡＭＦ１８２ｂ）は、ＭＩＣＯ  ＷＴＲＵ１０２が接続を開始するとき（例えば、ＳＲメッセージ、および／または周期的な登録更新を用いて）、ＭＩＣＯ  ＷＴＲＵ１０２をサーブするように選択され得る。新しいＡＭＦ（例えば、第２のＡＭＦ１８２ｂ）は、ＳＲまたは周期的な登録更新を拒否する可能性がある（例えば、新しいＡＭＦ１８２ｂがＭＩＣＯ  ＷＴＲＵ１０２を認識できないため）が、それは、ＭＩＣＯ  ＷＴＲＵ１０２をトリガして再度登録することができる。
【００９０】
例えば、最初に、ＭＩＣＯ  ＷＴＲＵ１０２は、ｇＮＢ１８０ａを介するＷＴＲＵコンテキストを用いて、古いサービングＡＭＦ１８２ａに登録することができる。次いで、ＭＩＣＯ  ＷＴＲＵ１０２は、登録のない新しいエリアに移動することができる。次に、ＭＩＣＯ  ＷＴＲＵ１０２は、新しいｇＮＢ１８０ｃを介して、新しいサービングＡＭＦ１８２ｂにＳＲを送ることができる。最後に、ＡＭＦは、例えば、ＡＭＦ１８２ｂがＭＩＣＯ  ＷＴＲＵ１０２を認識しないため、ｇＮＢ１８０ｃを介してＭＩＣＯ  ＷＴＲＵ１０２にサービス拒否を送ることができる。
【００９１】
このシナリオが、高い頻度で生ずる場合（例えば、閾値レベルを超えるより高い頻度で）、「サービス−拒否−次いで−再登録」手法は、モバイルで開始される通信を大幅に遅らせるおそれがあり、またＮＷ１１３／１１５に対して余分なシグナリングオーバヘッドを課すことになり得る。
【００９２】
例えば、サービス拒否を回避するために、かつ余分なシグナリングオーバヘッドを回避するために、例えば、登録は、ＳＲの前にＭＩＣＯ  ＷＴＲＵ１０２によって実施することができる。ＭＩＣＯ  ＷＴＲＵ１０２には、ＮＷ１１３／１１５により、サービングＡＭＦ内（ＷＳＡ）エリアが提供され、それは、トラッキングエリアのリストとすることができ、例えば、ＭＩＣＯ  ＷＴＲＵ１０２に、ＭＩＣＯ  ＷＴＲＵ１０２が、登録されたＡＭＦ１８２ａのサービングエリア内（例えば、まだその内部に）あるかどうかを決定できるようにする。ＭＩＣＯ  ＷＴＲＵ１０２が、ＭＩＣＯ  ＷＴＲＵ１０２は登録されたＡＭＦ１８２ａのサービングエリアの外側にあると決定したとき（例えば、そのときに限り）、ＭＩＣＯ  ＷＴＲＵ１０２は、何らかの通信を生成する前に、登録手順を開始することができる。
ＭＩＣＯ  ＷＴＲＵをＣＯＮＮＥＣＴＥＤモードに保つための代表的な手順
一般に、ＲＡＮ１１３（例えば、１つまたは複数のｇＮＢ１８０を含む）は、不活動（例えば、ユーザ不活動）および／または無線通信障害など、１つまたは複数の状態により、接続解除を開始することができる。例えば、ＲＡＮ１１３は、ＷＴＲＵ１０２に対する不活動タイマを維持することができ、またタイマが終了する前に、データ活動が何も検出されなかった場合、ＲＡＮ１１３は、接続解除を開始することができる。ＭＩＣＯモードの場合、ＷＴＲＵ１０２には、ＣＯＮＮＥＣＴＥＤモードにおいてのみ到達可能である。接続の解除が早すぎ、またデータがなお待ち状態である場合、ＭＩＣＯ  ＷＴＲＵ１０２が接続を開始する次の時まで、ＭＩＣＯ  ＷＴＲＵ１０２をＣＯＮＮＥＣＴＥＤモードに戻す方法はないはずである。いくつかの代表的な実施形態では、ＭＩＣＯモードにあるＷＴＲＵ１０２は、接続解除判断を行うことができる。他の代表的な実施形態では、ＮＷ１１３／１１５が、一定の基準の下で、ＭＩＣＯ  ＷＴＲＵ１０２をＣＯＮＮＥＣＴＥＤモードにより長く維持することができる（例えば、ＮＷ１１３／１１５が、より長い接続が適切であり、かつ／または必要であると決定したときなど）。
【００９３】
ＡＭＦ１８２ａは、ＭＩＣＯ  ＷＴＲＵ１０２に対する接続タイマを維持することができる。ＲＡＮ１１３の不活動タイマが終了したとき、ＲＡＮ１１３は、Ｎ２接続（例えば、ＲＡＮ１１３とＡＭＦ１８２ａの間のシグナリング接続）解除を要求することができる。ＡＭＦ１８２ａが、ＭＩＣＯ  ＷＴＲＵ接続は、それ自体の接続タイマにより解除されるべきではないと決定した場合、ＡＭＦ１８２ａは、ＲＡＮ１１３の解除要求を拒否することができ、ＲＡＮ１１３は、ＭＩＣＯ  ＷＴＲＵ１０２をＣＯＮＮＥＣＴＥＤモードに維持することができる。いくつかの代表的な実施形態では、例えば、ＡＭＦ１８２ａが接続タイマおよび／または不活動タイマを維持できるようにするために、手順は、ＡＭＦ１８２ａに、ＷＴＲＵのデータ活動を認識させるための手順が実施され得る。いくつかの代表的な実施形態では、ＲＡＮ１１３が、Ｎ２接続を解除するように要求したとき、例えば、ＡＭＦ１８２ａが、ＲＡＮ１１３にＷＴＲＵ特有の不活動情報（例えば、タイマ情報）を提供することにより、ＲＡＮ１１３がＲＲＣ接続解除を開始するのを阻止する手順が実施され得る。
ＭＩＣＯ  ＷＴＲＵがＲＲＣ不活動モードに入らないようにするための代表的な手順
図３は、５Ｇ新無線（例えば、ＷＴＲＵ１０２のための）における代表的なＲＲＣ＿ＩＮＡＣＴＩＶＥ状態（例えば、新しいＲＲＣ＿ＩＮＡＣＴＩＶＥ状態）を含む代表的な状態を示す図である。
【００９４】
図３を参照すると、ＲＡＮ１１３（例えば、５Ｇ  ＲＡＮ）において、ＲＲＣ状態３００は、いくつかある中で特に、（１）ＲＲＣ＿ＣＯＮＮＥＣＴＥＤ状態３１０、（２）ＲＲＣ＿ＩＮＡＣＴＩＶＥ状態３２０、および／または（３）ＲＲＣ＿ＩＤＬＥ状態３３０のうちのいずれかを含むことができる。ＩＮＡＣＴＩＶＥ状態３２０にあるＷＴＲＵ１０２の場合、コアネットワーク−アクセスネットワーク（ＣＮ−ＡＮ）接続が、ＣＯＮＮＥＣＴＥＤ状態３１０にあるものとして維持され得る。ＣＮ−ＡＮ接続は、（ＲＡＮ）とＣＮの間のものとすることができ、また制御プレーン（ＣＰ）（例えば、シグナリングに対する５ＧにおけるＮ２インターフェース）接続と、ユーザプレーン（ＵＰ）（例えば、データに対する５ＧにおけるＮ３インターフェース）接続の両方を有することができる。ＩＮＡＣＴＩＶＥ状態３２０にあるＷＴＲＵ１０２は、むしろＩＤＬＥモードにあるＷＴＲＵに近い挙動をすることができる。例えば、ＩＮＡＣＴＩＶＥ状態３２０にあるＷＴＲＵ１０２は、ＷＴＲＵ１０２がセルを変更するとき、セル選択／再選択手順に従うことができる。ＣＮ１１５は、ＷＴＲＵ１０２のＩＮＡＣＴＩＶＥ状態３２０を認識することができず、ＷＴＲＵ１０２がＣＯＮＮＥＣＴＥＤ状態３１０にあると見なし続け、したがって、ＣＮページングは、ＩＮＡＣＴＩＶＥ  ＷＴＲＵ１０２に向けて実施されないはずである。例えば、ＭＩＣＯ  ＷＴＲＵ１０２の適正なページングを可能にするために、ＷＴＲＵ１０２は、ＩＮＡＣＴＩＶＥ状態３２０にあり、ＣＯＮＮＥＣＴＥＤ状態３１０にはないことをＣＮ１１５により決定するための手順を実施することができる。例として、ダウンリンク（ＤＬ）データが、ＣＮ１１５から受信されたとき、アンカーＲＡＮ１１３は、ページングを開始することができ、かつＩＮＡＣＴＩＶＥ  ＷＴＲＵ１０２に対するＲＡＮページングエリアを管理することができる。いくつかの代表的な実施形態では、ＲＲＣ＿ＩＮＡＣＴＩＶＥ状態３２０と、２つの他の状態３１０または３３０の一方との間の状態切換えをトリガする条件を示すことができる。
【００９５】
ＩＮＡＣＴＩＶＥ状態３２０を有することの利益は、省電力、および低減されたシグナリングオーバヘッド（例えば、高い頻度のＲＲＣ＿ＩＤＬＥ⇔ＲＲＣ＿ＣＯＮＮＥＣＴＥＤ切換えにより生ずる）を含むことができる。ＭＩＣＯ  ＷＴＲＵ１０２の場合、省電力と信号低減の両方の利益は有用ではなく、かつ／または必要ではない可能性があり、ＭＩＣＯ  ＷＴＲＵ１０２をＲＲＣ＿ＩＮＡＣＴＩＶＥモード／状態３２０にすることは、潜在的な技術的複雑さを受けるおそれがある。したがって、いくつかの代表的な実施形態では、ＭＩＣＯ  ＷＴＲＵ１０２が、ＲＲＣ＿ＩＮＡＣＴＩＶＥ状態３２０に入らないようにすることができる。
長い周期的タイマを有する代表的な手順（例えば、ＷＴＲＵが登録更新を実施しないようにするために）
ＷＴＲＵ１０２が、ＮＷ１１３／１１５に、いくつかの構成変更を通知する、またはいくつかのパラメータをネゴシエートするとき、ＷＴＲＵ１０２は、ルーティングエリア更新（ＲＡＵ）および／またはトラッキングエリア更新（ＴＡＵ）などのいくつかの登録更新手順をトリガすることができる。登録更新は、例えば、ＷＴＲＵ１０２が、いくつかある中で特に、（１）ＤＲＸサイクル、および／または（２）いくつかの機能パラメータのいずれかを含む何らかの内部的な変更をＮＷ１１３／１１５に通知するために行うことができる。ＷＴＲＵ１０２が、ＲＡＵ手順および／またはＴＡＵ手順をトリガしたとき、ＮＷ１１３／１１５は、「受け入れる（Ａｃｃｅｐｔ）」メッセージで返事をすることができる。「ハンドシェイク」が、２つのエンティティの間のネゴシエーションとして動作することができる。
【００９６】
５Ｇシステムの場合、ＷＴＲＵ１０２（例えば、ＭＩＣＯ  ＷＴＲＵ）が、登録更新手順を開始する機会を有することができないシナリオ／状況が存在し得ることも企図される。（例えば、ＷＴＲＵ１０２が長い周期的登録タイマを有するときなど）。ＩＤＬＥモード３３０中に、周期的な登録タイマが動作している場合（ＷＴＲＵ１０２は、周期的なタイマが終了したときに登録更新メッセージを送ることができるに過ぎないので）、ＷＴＲＵ１０２は、ＳＲメッセージを送ることができる。周期的登録タイマは、ＷＴＲＵ１０２がＩＤＬＥモード３３０に戻ったとき、リセットされ得る。同じ状況は、周期的タイマが動作している間に生ずることがあり得る。ＷＴＲＵ１０２は、長時間にわたり登録手順を実施できない可能性がある。いくつかの代表的な実施形態では、何らかの内部的な構成変更、および／またはいずれかの他の理由の場合に、ＷＴＲＵ１０２がＮＷ１１３／１１５とネゴシエートするための手順が実施され得る。
「全ＰＬＭＮ」登録エリアを備えるＭＩＣＯ  ＷＴＲＵに対する代表的な手順
「全ＰＬＭＮ」登録エリアを備えて構成されたＭＩＣＯ  ＷＴＲＵ１０２が、その登録されたＡＭＦ１８２ａのサービングエリア（例えば、範囲）の外側にある新しいエリアへと移動したとき、ＭＯ接続要求（例えば、ＳＲ）は新しいサービングＡＭＦ１８２ｂにより拒否される可能性があり、ＷＴＲＵ１０２は、ＷＴＲＵ１０２が通信できる前に新しいＡＭＦ１８２ｂに登録する必要があり得る。ＭＩＣＯ  ＷＴＲＵ１０２が、例えば可能性のあるサービス拒否を回避するために、ＳＲの前に予防的に、再登録を常に実施する場合、ＷＴＲＵ１０２が登録されたＡＭＦ１８２ａのサービングエリア２１０内にまだいる場合、シグナリングは無駄になり得る。いくつかの代表的な実施形態では、例えば、不必要な再登録が、確実に、しばしば生じないようにするための手順を実施することができる。
【００９７】
いくつかの代表的な実施形態では、ＭＩＣＯ  ＷＴＲＵ１０２は、ＭＩＣＯ  ＷＴＲＵ１０２が、接続要求の前に登録手順を実施すべきである（例えば、常に実施すべきである）、または実施することになることの表示（indication）をＮＷエンティティ（例えば、ＮＷ１１３／１１５の）から受信することができる。その表示は、ＷＴＲＵ１０２に対してＭＩＣＯモードを確認する同じ登録受入れメッセージで送ることができる。ＮＷ１１３／１１５は、ＮＷ１１３／１１５が、「全ＰＬＭＮ」登録エリアをＭＩＣＯ  ＷＴＲＵ１０２に対して構成するとき、その表示を設定するように選択することができる。表示を設定するために、以下のいずれかを考慮に入れることができる、すなわち、
（１）ＷＴＲＵ１０２のプロファイルが、ＷＴＲＵ１０２の通信（ＷＴＲＵ１０２の通信の必要性および／または使用）は頻度が低い可能性がある、または低頻度である（例えば、非常に頻度が低い、または閾値レベルに満たない）場合、ＮＷ１１３／１１５および／またはＮＷエンティティ１８０、１８２〜１８４は、表示（indication）を設定するように選択し得る、かつ／または設定することができる。接続要求前の再登録手順が、必要ではない、かつ／または適切ではないこともあり得るが、再登録手順は、許容され得る（例えば、再登録手順が、しばしば（例えば、閾値レベルを超えて）起きないはずである、または起きないため）。いくつかの代表的な実施形態では、ＷＴＲＵ１０２のプロファイルが、ＷＴＲＵの通信必要性の頻度は高い可能性のあることを示すことができ、ＮＷ１１３／１１５（例えば、ＮＷエンティティ１８０、１８２〜１８５）は、表示（indication）を設定すべきではない、または設定することはない。
【００９８】
（２）ＷＴＲＵ１０２の「モビリティパターン」が、ＷＴＲＵ１０２は、高い頻度で移動し、かつＷＴＲＵ１０２のローミング範囲は、ＡＭＦ１８２ａのサービングエリア２１０を超えること（例えば、それは、ＷＴＲＵ１０２が、例えば、閾値レートを超えて、ＡＭＦ１８２ａのサービングエリア２１０の外にある可能性が高いことを意味することができる）を示す場合、ＮＷ１１３／１１５および／またはＮＷエンティティ１８０、１８２、１８３、１８４、および／または１８５は、表示（indication）を設定する（例えば、設定することを選択する）ことができる。ＷＴＲＵ１０２のモビリティパターンが、ＷＴＲＵ１０２は静止している、実質的に静止している、かつ／またはエリア（限られたエリア）内をローミングする（例えば、ローミングするだけである）ことを示す場合、ＮＷ１１３／１１５および／またはＮＷエンティティ１８０、１８２、１８３、１８４および／または１８５は、表示を設定しない可能性がある。
【００９９】
図４は、代表的な登録手順４００を示す図であり、その場合、ＮＷ１１３／１１５（例えば、ＡＭＦ１８２ａ、または別のＮＷエンティティ１８２〜１８５）は、「サービス要求の前に常に登録する」（常にＲＢＳＲ）表示(always RBSR indication)をＷＴＲＵ１０２に提供することができる。
【０１００】
図４を参照すると、４１０で、ＷＴＲＵ１０２は、ＭＩＣＯモードプリファレンスを示す情報を含む登録要求をＡＭＦ１８２ａに送ることができる。４２０で、ＡＭＦ１８２ａは、ＷＴＲＵプロファイル、モビリティパターン、およびＷＴＲＵ１０２に関する他の情報を調べることができる。４３０で、ＡＭＦ１８２ａは、ＭＩＣＯモードが受け入れられたことを示す情報を含む登録受入れと、常にＲＢＳＲ表示とをＷＴＲＵ１０２に送ることができる。いくつかの代表的な実施形態では、常にＲＢＳＲ表示は、例えば、ＭＩＣＯ  ＷＴＲＵ１０２において事前に構成することができる。ＷＴＲＵ１０２は、登録手順中に、ＭＩＣＯモードプリファレンスと共に、事前に構成された表示を含めることができる。
【０１０１】
例えば、ＮＷ１１３／１１５（例えば、ＡＭＦ１８２および／または他のＮＷエンティティ１８３〜１８５）からのシグナリングにより、かつ／または事前構成により、ＷＴＲＵ１０２が、ＭＩＣＯモードにあり、かつこの常にＲＢＳＲ表示が設定された場合、ＷＴＲＵ１０２は、以下の基準を調べて、ＷＴＲＵ１０２が、ＲＢＳＲ（例えば、常にＲＢＳＲ）を実施できる、または実施すべきかどうかを決定することができる。
【０１０２】
ＮＷ１１３／１１５（例えば、ＡＭＦ１８２）、および／またはＷＴＲＵ１０２は、ＷＴＲＵ１０２が、「全ＰＬＭＮ」登録エリアで構成されているかどうかを決定することができる。ＮＷ１１３／１１５および／またはＷＴＲＵ１０２が、ＷＴＲＵ１０２は、「全ＰＬＭＮ」登録エリアで構成されていないと決定した場合、ＷＴＲＵ１０２は、ＲＢＳＲ（例えば、常にＲＢＳＲ）を実施することができない（例えば、必ずしも実施できない）。例えば、ＷＴＲＵ１０２は、ＭＩＣＯプリファレンスを備えた登録要求を送ることができない、かつ／またはＷＴＲＵ１０２のプロファイルの調査を実行するＡＭＦ１８２は、（１）ＭＩＣＯモードが受け入れられたとの表示、および／または（２）常にＲＢＳＲの表示を含む登録受入れを送ることができない。
【０１０３】
ＷＴＲＵ１０２は、ＷＴＲＵ１０２がそのトラッキングエリア（ＴＡ）から外に移動している（例えば、実際に移動した）かどうか（例えば、ＷＴＲＵ１０２が前のＴＡから新しいＴＡへと移動している（例えば、いま移動した）こと）を決定することができる。ＷＴＲＵ１０２は、ＷＴＲＵ１０２が、モバイル発信サービス（Mobile originated Service）に対して起動したとき、現在のＴＡのＴＡ識別子を読み取ることができ、かつ現在のＴＡＵ識別子（例えば、読み取られた）を、記憶されたＴＡ識別子と比較することができる。現在のＴＡ識別子および記憶されたＴＡ識別子が同じである場合、ＷＴＲＵ１０２は、ＷＴＲＵ１０２が、ＮＷ１１３／１１５（例えば、ＡＭＦ１８２または他のＮＷエンティティ１８３〜１８５）に前に登録したＴＡの外に移動していないことになり得る。ＷＴＲＵ１０２は、例えば、ＷＴＲＵ１０２が、前に登録したＡＭＦ１８２のサービスエリア内にまだあるため、再度登録を実施することができない。
【０１０４】
ＷＴＲＵ１０２が、ＷＴＲＵ１０２はＳＲの前に登録更新手順を実施できる、または実施すべきであると決定した場合、ＷＴＲＵ１０２は、データは、登録手順の後になり、または待ち状態になり得ることを示すことのできるフラグ（例えば、「アクティブフラグ」）を用いて登録を開始することができる。この場合、その後に続くＳＲメッセージは、送られないこともあり得る。
【０１０５】
図５は、代表的な決定手順５００を示す（例えば、ＭＩＣＯ  ＷＴＲＵ１０２が、登録をＳＲの前に実施すべきである、実施できる、または実施することになるかどうかを決定する（例えば、判断する）ための）図である。
【０１０６】
図５を参照すると、代表的な決定手順５００は、ブロック５１０で、ＷＴＲＵ１０２において、上位レイヤから接続要求が受信されることを含むことができる。ブロック５２０で、ＷＴＲＵ１０２は、接続要求に基づいて、ＳＲがＮＷ１１３／１１５に送られることが望ましい、かつ／または送られる必要があるかどうかを決定することができる。ＳＲが、ＮＷ１１３／１１５に送られることが望ましくない、かつ／または送られる必要がない場合、ブロック５３０で、ＷＴＲＵ１０２は、１つまたは複数の周期的登録更新を送ることができる。ＳＲがＮＷ１１３／１１５に送られることが望ましい、かつ／または送られる必要がある場合、ブロック５４０で、ＷＴＲＵ１０２は、ＭＩＣＯモードが設定されているかどうかを決定することができる。ＭＩＣＯモードが設定されていない場合、処理は、ブロック５８５へと進み、ＳＲを送る。ＭＩＣＯモードが設定されている場合、ブロック５５０で、ＷＴＲＵ１０２は、「全ＰＬＭＮ」(all PLMN)登録エリアが設定されているかどうかを決定することができる。「全ＰＬＭＮ」登録エリアが設定されていない場合、処理は、ブロック５８５へと進み、ＳＲを送る。「全ＰＬＭＮ」登録エリアが設定されている場合、ブロック５６０で、ＷＴＲＵ１０２は、「常に登録」表示(always-register indication)が設定されたかどうかを決定することができる。ブロック５６０で、常に登録表示が設定されない場合、処理はブロック５８５へと進み、ＳＲを送る。常に登録表示が設定される場合、ブロック５６５で、トラッキングエリアＩＤを読み取ることができる（例えば、最新のトラッキングエリアＩＤを読み取ることができる）。ブロック５７０で、ＷＴＲＵ１０２は、最新のトラッキングエリアＩＤを、記憶されたトラッキングエリアＩＤと比較して、一致が存在するかどうかを決定することができる。ブロック５７０で一致が存在する場合、処理は、ブロック５８５へと進みＳＲを送る（例えば、何らかの事前の登録更新なしに）（ＷＴＲＵ１０２は、ＮＷ１１３／１１５がＷＴＲＵ１０２に関連付けることのできるトラッキングエリア内になお存在するので）。一致が存在しない場合、ブロック５７５で、ＷＴＲＵ１０２は、最新のトラッキングエリアを記憶することができる。ブロック５８０で、ＷＴＲＵ１０２は、ＮＷ１１３／１１５にＷＴＲＵ１０２を登録することができる（ＷＴＲＵ１０２は、ＮＷ１１３／１１５がＷＴＲＵ１０２に関連付けたトラッキングエリア内にもはや存在せず、したがってサービス拒否が生ずるおそれがあるため）。ブロック５８５で、ＷＴＲＵ１０２は、ＳＲをＮＷ１１３／１１５に送ることができる。
【０１０７】
図６は、登録を、ＳＲの前に実施すべきである、実施できる、または実施することになるかどうかを決定するための別の代表的な決定手順を示す図である。
【０１０８】
図６を参照すると、代表的な決定手順６００は、ブロック６１０で、ＷＴＲＵ１０２において、上位レイヤから接続要求が受信されることを含むことができる。ブロック６２０で、ＷＴＲＵ１０２は、接続要求に基づいて、ＳＲがＮＷ１１３／１１５に送られることが望ましい、かつ／または送られる必要があることを決定することができる。ブロック６３０で、ＷＴＲＵ１０２は、ＭＩＣＯモードが設定されているかどうかを決定することができる。ＭＩＣＯモードが設定されている場合、ブロック６４０で、ＷＴＲＵ１０２は、「全ＰＬＭＮ」登録エリアが設定されると決定することができる。ＭＩＣＯモードが設定されていない場合、処理は、ブロック６９０へと進み、ＳＲを（例えば、何らかの前の登録更新をせずに）ＮＷ１１３／１１５に送ることができる。「全ＰＬＭＮ」登録エリアが設定される場合、ブロック６５０で、ＷＴＲＵ１０２は、「常に登録」表示が設定されるかどうかを決定することができる。全ＰＬＭＮ登録エリアが設定されない場合、処理は、６６０に進み、トラッキングエリアＩＤを同報通信システム情報および／またはモバイル発信動作(Mobile Originated Operation)から受信することができる。「常に登録」表示が設定されない場合、処理は、ブロック６９０へと進み、ＳＲをＮＷ１１３／１１５に送ることができる（例えば、何らかの前の登録更新をせずに）。「常に登録」表示が設定される場合、または処理がブロック６４０からブロック６６０に進んだ場合、トラッキングエリアＩＤが、同報通信システム情報および／またはモバイル発信動作から受信されかつ／または読み取られる。ブロック６７０で、ＷＴＲＵ１０２は、受信した／読み取られたトラッキングエリアＩＤを、１つまたは複数の記憶されたトラッキングエリアＩＤと比較して、一致が存在するかどうかを決定することができる。ブロック６７０で、一致が存在する場合、処理は、ブロック６９０へと進みＳＲを送る（例えば、何らかの前の登録更新なしに）（ＷＴＲＵ１０２は、ＮＷ１１３／１１５がＷＴＲＵ１０２に関連付けることのできるトラッキングエリア内になお存在するので）。一致が存在しない場合、ブロック６８０で、ＷＴＲＵは、受信したトラッキングエリアＩＤを記憶することができる。ブロック６８５で、ＷＴＲＵ１０２は、ＷＴＲＵ１０２をＮＷ１１３／１１５に登録することができる（ＷＴＲＵ１０２は、ＮＷ１１３／１１５がＷＴＲＵ１０２に関連付けることのできるトラッキングエリア内にもはや存在しない可能性があり、したがってサービス拒否が生ずるおそれがあるため）。ブロック６９０で、ＷＴＲＵ１０２は、ＳＲをＮＷ１１３／１１５に送ることができる。
【０１０９】
ＷＴＲＵが、登録エリア内にあるかどうかの決定が、トラッキングエリア識別子（ＴＡ  ＩＤ）に基づくように開示されているが、当業者であれば、ＴＡ  ＩＤに加えて、またはそれに代えて、ＡＭＦ  ＩＤに基づくことができることが理解される。例えば、受信したＡＭＦ識別子（ＩＤ）は、１つまたは複数の記憶されたＡＭＦ  ＩＤに一致し、同様の登録エリア決定を提供することができる。
【０１１０】
いくつかの代表的な実施形態では、ＭＩＣＯ  ＷＴＲＵ１０２は、ＳＲメッセージに、ＭＩＣＯモード表示(MICO mode indication)、および／またはＭＩＣＯ  ＷＴＲＵ１０２のＴＵＩＤを含むことができる。他の代表的な実施形態では、ＳＲに含まれるＴＵＩＤは、同時に、ＭＩＣＯモード表示（例えば、ＭＩＣＯモードプリファレンス）を示唆することができる。レガシＷＴＲＵ１０２においては、ＳＲ手順をトリガすることは、ＷＴＲＵ１０２が、ＴＡに（例えば、ＴＡリスト上に）「登録されている」かどうかに基づく。レガシＷＴＲＵ１０２は、ＳＲ手順を開始するとき、どんな「エリア情報」もＣＮ１１５に提供することはない。
【０１１１】
いくつかの代表的な実施形態では、ＷＴＲＵ１０２は、ＷＴＲＵ１０２の前のＴＡ識別子をＳＲメッセージに加えることができる、または加えることになる。ＷＴＲＵ１０２が、同じＡＭＦ１８２ａによってＴＵＩＤを割り振られた場合、加えられた前のＴＡ識別子からＡＭＦ１８２ａは、ＷＴＲＵ１０２を識別する（例えば、一意に識別する）ことができる。サービングＡＭＦ１８２ｂが新しいＡＭＦ（例えば、サービングＡＭＦ１８２ｂは、以前にＷＴＲＵ１０２をサーブしていない）であり、かつ／またはサービングＡＭＦ１８２ｂが、ＷＴＲＵ１０２のコンテキストを有していない場合、新しいＡＭＦ１８２ｂが、（１）ＭＩＣＯ表示、（２）ＴＵＩＤ、および／または（３）ＷＴＲＵ１０２がＴＵＩＤを割り振られた場所のＴＡ識別子を受信した場合には、新しいＡＭＦ１８２ｂが、ＳＲを拒否しないはずである。
【０１１２】
新しいＡＭＦ１８２ｂは、情報を（例えば情報のすべてを）古いＡＭＦ１８２ａのアドレスにマップすることができ、また古いＡＭＦ１８２ａからＷＴＲＵコンテキストを取得することができるが、それはＴＵＩＤから導出され得る。新しいＡＭＦ１８２ｂは、ＳＲ手順が処理された後ＷＴＲＵ１０２に対して新しいＴＵＩＤを再割り当てできる。
【０１１３】
図７は、古いＡＭＦ１８２ａから（例えば、前にＷＴＲＵ１０２にサービスしたＡＭＦから）の代表的なＳＲでトリガされるＷＴＲＵコンテキスト取得手順を示す図である。
【０１１４】
図７を参照すると、ＳＲでトリガされるＷＴＲＵコンテキスト取得手順７００は、７２０で、ＷＴＲＵ１０２が、ＷＴＲＵ１０２にサービスする新しいＡＭＦ１８２ｂに向けて、例えば、ＭＩＣＯモード表示（例えば、ＭＩＣＯプリファレンス）、および／またはＴＵＩＤを含むＳＲを送ることを含むことができる。７３０で、ＲＡＮ１１３（例えば、ｇＮＢ１８０）は、ＳＲからの情報を、Ｎ２メッセージを介して新しいＡＭＦ１８２ｂに転送することができる。７４０で、新しいＡＭＦ１８２ｂは、ＷＴＲＵ１０２のＴＵＩＤを含む情報要求を、古いＡＭＦ１８２ａに送ることができる。７５０で、古いＡＭＦ１８２ａは、例えば、加入者恒久識別（ＳＵＰＩ）（ＩＭＳＩと同様なものであり得る）、および／またはモビリティ管理（ＭＭ）コンテキスト（例えば、ＵＥのモビリティ管理に関する情報の集合体）を含む情報応答を送ることができる。７６０で、認証／セキュリティ動作が、ＷＴＲＵ１０２と新しいＡＭＦ１８２ｂの間で、かつ新しいＡＭＦ１８２ｂと認証サーバ機能（ＡＵＳＦ）７１０（例えば、ＷＴＲＵ認証を処理できるネットワーク機能など）の間で実施することができる。
【０１１５】
７７０で、新しいＡＭＦ１８２ｂは、Ｎ２メッセージをＲＡＮ１１３に送ることができる。Ｎ２メッセージは、ＲＡＮ１１３を介してＷＴＲＵ１０２に送られてＲＲＣ接続再構成を可能にする情報を含むことができる。７８０で、ＲＡＮ１１３は、Ｎ２メッセージに基づいて、ＲＲＣ接続再構成をＷＴＲＵ１０２に送ることができる。７９０で、新しいＡＭＦ１８２ｂは、新しいＴＵＩＤを含むＷＴＲＵ構成を、ＲＡＮ１１３を介してＷＴＲＵ１０２に向けて送ることができる。７９５で、ＲＡＮ１１３は、ＷＴＲＵ構成をＷＴＲＵ１０２に転送することができる。
【０１１６】
いくつかの代表的な実施形態では、ＮＷ１１３／１１５におけるＲＡＮ１１３は、サービングエリアがＲＡＮ１１３をカバーするＡＭＦ１８２の識別子のリストをブロードキャストすることができる。ＡＭＦ１８２の識別子の全体または部分をブロードキャストすることができる。ＡＭＦ識別子が、ＲＡＮ１１３のブロードキャスト情報内にある場合、そのＲＡＮ１１３は、ＡＭＦ１８２のサービングエリア内にある。
【０１１７】
ＭＩＣＯ  ＷＴＲＵ１０２が、待ち状態のＳＲを有する場合、ＭＩＣＯ  ＷＴＲＵ１０２は、ＲＡＮでブロードキャストされた情報からＡＭＦ識別子を読み取ることができ（例えば、最初に読み取ることができ）、かつこれらのＡＭＦ識別子を、記憶されたＴＵＩＤのＡＭＦ  ＩＤセクションと比較することができる。ＴＵＩＤにおけるＡＭＦ  ＩＤは、同じＡＭＦ  ＩＤが、現在のＲＡＮのブロードキャストされた情報内に出現し、かつＷＴＲＵ１０２が、最後に登録したＡＭＦ１８２のサービングエリア内に（まだエリア内に）ある場合、ＷＴＲＵ１０２が登録したＡＭＦ１８２に関連付けられる。この場合、ＷＴＲＵ１０２は、例えば、直ちに（例えば、すぐに）ＳＲを送ることができる。いくつかの代表的な実施形態では、ＷＴＲＵ１０２は、ＳＲを送るのに先だって、またはその前に、登録手順を開始することができる（例えば、まず、登録手順を開始し、次いで、ＳＲを送る、例えば、ＷＴＲＵ１０２の登録後にＳＲを送るだけである）。
【０１１８】
図８は、登録／ＳＲ手順を示す図である。
【０１１９】
図８を参照すると、登録／ＳＲ手順８００は、ブロック８１０で、ＷＴＲＵ１０２において、接続要求が上位レイヤから受信されることを含むことができる。ブロック８２０で、ＷＴＲＵ１０２は、接続要求に基づいて、ＳＲをＮＷ１１３／１１５に送ることが望ましい、かつ／または送る必要があるかどうかを決定することができる。ＳＲが、ＮＷ１１３／１１５に送られることは望ましくない、かつ／または必要がない場合、ブロック８３０で、ＷＴＲＵ１０２は、１つまたは複数の周期的登録更新を送ることができる。ＳＲが、ＮＷ１１３／１１５に送られることが望ましい、かつ／または必要である場合、ブロック８４０で、ＷＴＲＵ１０２は、ＭＩＣＯモードが設定されているかどうかを決定することができる。ＭＩＣＯモードが設定されていない場合、処理は、ブロック８９０へと進み、ＳＲを送ることができる。ＭＩＣＯモードが設定されている場合、ブロック８５０で、ＷＴＲＵ１０２は、「全ＰＬＭＮ」登録エリアが設定されているかどうかを決定することができる。「全ＰＬＭＮ」登録エリアが設定されていない場合、処理は、ブロック８９０へと進み、ＳＲを送ることができる。「全ＰＬＭＮ」登録エリアが設定されている場合、ブロック８６０で、ＷＴＲＵ１０２は、同報通信システム情報からＡＭＦ  ＩＤを読み取ることができる。ブロック８７０で、ＷＴＲＵ１０２は、ＴＵＩＤに関連付けられた、読み取られたＡＭＦ  ＩＤを、同報通信システム情報からの（例えば、ＡＭＦ  ＩＤリスト内の）ＡＭＦ  ＩＤと比較して、ＷＴＲＵ１０２のＴＵＩＤに関連付けられたＡＭＦ  ＩＤがリスト内にあるかどうかを決定することができる。
【０１２０】
ブロック８７０で、ＷＴＲＵのＴＵＩＤに関連付けられたＡＭＦ１８２のＡＭＦ  ＩＤが、リスト内にあった場合、処理は、ブロック８９０へと進み、ＳＲを送ることができる（例えば、何らかの事前の登録更新なしに）（ＷＴＲＵ１０２は、例えば、システム情報でブロードキャストされたＡＭＦ１８２の１つによってなおサービスされるので）。ＷＴＲＵ１０２のＴＵＩＤに関連付けられたＡＭＦ  ＩＤが、リスト内にない場合、ブロック８８０で、ＷＴＲＵ１０２は、ＷＴＲＵ１０２をＮＷ１１３／１１５に登録することができる（ＷＴＲＵ１０２は、リスト上のＡＭＦ  ＩＤに対応するＡＭＦ１８２によってもはやサービスされ得ず、したがって、サービス拒否が生ずるおそれがあるため）。ブロック８９０で、ＷＴＲＵ１０２は、ＳＲをＮＷ１１３／１１５（例えば、ＡＭＦ１８２）に送ることができる。
【０１２１】
例えば、ＷＴＲＵ１０２は、システム情報（ＳＩ）におけるＡＭＦ  ＩＤを読み取ることにより、ＷＴＲＵ１０２が、ＡＭＦサービスエリア２１０または２２０内にあるかどうかを決定することができる。
【０１２２】
いくつかの代表的な実施形態では、ＭＩＣＯ  ＷＴＲＵ１０２は、登録（例えば、周期的な登録更新を含む各登録）の後、タイマを開始、または再度開始することができる。タイマの長さは、最後の登録以来の時間期間を示すことができる（例えば、その期間中、ＷＴＲＵ１０２は、登録されたＡＭＦ１８２ａまたは１８２ｂのサービスエリア２１０または２２０内にある（まだその内部にある）可能性が高い）。ＭＩＣＯ  ＷＴＲＵ１０２が、ＳＲを送る必要がある、またな送ることになったとき、ＭＩＣＯ  ＷＴＲＵ１０２は、タイマが動作しているかどうかを調べることができる。タイマが動作している場合、ＷＴＲＵ１０２は、最後に登録したＡＭＦ１８２ａまたは１８２ｂの同じサービスエリア２１０または２２０内にある可能性が高く（例えば、閾値レベルを超えて非常に高い）、またＭＩＣＯ  ＷＴＲＵ１０２は、例えば、直ちに、かつ／またはすぐに、ＳＲを送ることができる。いくつかの代表的な実施形態では、ＷＴＲＵ１０２は、最後に登録されたＡＭＦ１８２ａまたは１８２ｂのサービスエリア２１０または２２０の外にあり得る、または外にある可能性が高く、ＭＩＣＯ  ＷＴＲＵ１０２は、ＳＲを送る前に再度登録を実施することができる（例えば、実施する必要があり得る）。タイマの長さは、ＷＴＲＵ１０２において事前に構成することができるが、またはＮＷ１１３／１１５（例えば、ＡＭＦ１８２または他のＮＷエンティティ１８０、および１８３〜１８５）により提供され得る。
ＭＩＣＯ  ＷＴＲＵを接続モードに保つための代表的な手順
ＭＩＣＯ  ＷＴＲＵ１０２を、より長くＣＯＮＮＥＣＴＥＤモードに（例えば、適度に長く、または閾値期間より長く）保つために、ＮＷ１１３／１１５（例えば、ＡＭＦ１８２、または他のＮＷエンティティ１８０、１８３〜１８５）は、ＷＴＲＵ１０２が要件（例えば、ＣＯＮＮＥＣＴＥＤモードに留まるための）を有すると決定することができる。ＮＷ１１３／１１５は、ＷＴＲＵプロファイルに基づいてこの決定を行うには困難を伴う可能性がある。この決定において、ＷＴＲＵ１０２からの一定の支援情報を使用することができる。
【０１２３】
いくつかの実施形態では、ＭＩＣＯ  ＷＴＲＵ１０２は、ＷＴＲＵ１０２が、通常より長くＣＯＮＮＥＣＴＥＤモードに保つことになる、または保つ必要があるとＮＷ１１３／１１５が決定できるようにするサービス特性の表示をＳＲに含めることができる。サービス特性の表示は、いくつかある中で特に、（１）遅延許容値、および／または「高レベルの遅延許容」インジケータ、ならびに／あるいは（２）待ち時間値、および／または「高い待ち時間」表示を含み、例えば、特に（１）ＷＴＲＵ特有のもの、（２）アプリケーション特有のもの、（３）サービス特有のもの、および／または（４）クラス特有のもの（例えば、デバイスのクラス特有のもの）とすることのできる閾値を提供することができる。例えば、特定のＷＴＲＵ１０２は、いくつかある中で特に、特有の遅延許容値、特有の待ち時間、特有のアプリケーション実行、特有のサービス要件、および／またはサービスデバイスクラスを有することができ、それらは、ＭＩＣＯ  ＷＴＲＵ１０２がＣＯＮＮＥＣＴＥＤモードにあるとき、（例えば、別のモード（例えば、接続解除など）に時期尚早に移動するのを回避するために）考慮することができる。
【０１２４】
いくつかの代表的な実施形態では、ＭＩＣＯ  ＷＴＲＵ１０２は、接続解除は、ＷＴＲＵ１０２それ自体によって開始され得る、または開始されることになり、ＮＷ（例えば、ＲＡＮ１１３またはＣＮ１１５）によって開始されないことのプリファレンスを示す情報またはフラグをＳＲに含むことができる。プリファレンス表示(preference indication)を有するＳＲを受信した後、ＮＷ１１３／１１５は、ＷＴＲＵ加入データおよび／またはＮＷポリシに基づき、ＷＴＲＵ１０２が接続解除を開始できるようにするかどうか（例えば、ＲＡＮ１１３またはＮＷ１１３／１１５が、ＷＴＲＵ１０２を開始させることができるかどうか）を決定することができる。ＷＴＲＵ１０２による接続解除が受け入れられる場合、ＮＷ（例えば、ＣＮ１１５またはＲＡＮ１１３）は、ＲＡＮ１１３またはＣＮ１１５の他方に、ＷＴＲＵ１０２に対する接続解除を開始しないように命令することができる。ＷＴＲＵ１０２が、自律的に（例えば、それ自体で）、ＷＴＲＵ１０２はデータ通信を終了したと決定したとき、ＷＴＲＵ１０２は、（１）ＮＡＳ手順、および／または（２）ＲＲＣ手順のいずれかにより、接続解除を開始することができる。ＷＴＲＵ１０２は、ＷＴＲＵ１０２がＣＯＮＮＥＣＴＥＤモードに入った後、タイマを開始することができる。タイマが終了し、かつＷＴＲＵ１０２のデータ通信が完了しておらず、かつ／またはＷＴＲＵ１０２が、データ通信が完了したかどうかを決定できない場合、ＷＴＲＵ１０２は、接続解除（例えば、いずれにしても接続解除）を開始することができる、かつ／または開始することになる。
【０１２５】
図９は、代表的なＭＩＣＯ  ＷＴＲＵで開始される接続解除手順を示す図である。
【０１２６】
図９を参照すると、代表的なＭＩＣＯ  ＷＴＲＵで開始される接続解除手順９００は、９１０で、ＲＡＮ１１３を介する、ＡＭＦ１８２ａとＭＩＣＯ  ＷＴＲＵ１０２の間の登録を含むことができる。登録は、ＷＴＲＵがＭＩＣＯモードにあることを示すＭＩＣＯモード情報を含むことができる。９２０で、ＭＩＣＯ  ＷＴＲＵは、ＲＡＮ１１３を介して、ＳＲをＡＭＦ１８２ａに送ることができ、かつＷＴＲＵ１０２は、ＷＴＲＵで開始される接続解除を好む（例えば、ＮＷ１１３／１１５による早すぎる解除を低減する、かつ／または実質的になくすために）ことを示す情報を含めることができる。９３０で、ＮＷ１１３／１１５（例えば、ＡＭＦ１８２ａを介して）は、ＭＩＣＯ  ＷＴＲＵ１０２のプロファイルおよび１つまたは複数のネットワークポリシに従って、かつ／または基づいて、ＷＴＲＵのプリファレンスを受け入れることができる。９４０で、ＡＭＦ１８２ａは、Ｎ２メッセージをＲＡＮ１１３（例えば、ｇＮＢ１８０）に送り、プリファレンス（例えば、ＷＴＲＵで開始される接続解除に対する）を確立することができる。９５０で、ＭＩＣＯ  ＷＴＲＵ１０２は、データ通信が完了していると決定することができる。いくつかの代表的な実施形態では、９６０、９７０、および９８０で、ＷＴＲＵ１０２は、ＮＡＳで開始されるメッセージを介して接続解除を開始し、かつ完了することができる。他の代表的な実施形態では、９８５および９９０で、ＷＴＲＵ１０２は、ＲＲＣで開始されるメッセージを介して接続解除を開始し、かつ完了することができる。
【０１２７】
第１の選択肢では、９６０で、ＷＴＲＵ１０２は、ＮＡＳ解除要求を、ＲＡＮ１１３を介してＡＭＦ１８２ａに送ることができる。９７０で、Ｎ２接続解除が、ＡＭＦ１８２ａとＲＡＮ１１３の間で実施される。９８０で、ＲＡＮ１１３は、ＲＲＣ接続解除をＷＴＲＵ１０２に送り、ＲＲＣ接続を解除することができる。第２の選択肢では、９８５で、ＷＴＲＵ１０２は、ＲＲＣ接続解除要求をＲＡＮ１１３に送ることができる。９９０で、Ｎ２接続解除が、ＡＭＦ１８２ａとＲＡＮ１１３の間で実施される。
【０１２８】
９９５で、ＭＩＣＯ  ＷＴＲＵ１０２は、第１の選択肢または第２の選択肢が完了した後、ＲＲＣ＿ＩＤＬＥモードに入ることができる。
【０１２９】
いくつかの代表的な実施形態では、ＭＩＣＯ  ＷＴＲＵ１０２は、接続が解除され得る前に、ＳＲに、好ましい「不活動時間期間」を示す情報を含めることができる。ＮＷ１１３／１１５は、ＳＲにおいて示されたＷＴＲＵ１０２の好ましい不活動期間が、ＷＴＲＵ加入データおよび／またはＮＷポリシに基づいて受け入れることが可能かどうかを決定することができる。ＳＲにおいて示されたＷＴＲＵの好ましい不活動期間が受け入れられた場合、ＮＷ（例えば、ＣＮ１１５）は、ＲＡＮ１１３に、好ましい不活動期間値に基づいて「不活動タイマ」を設定するように命令することができる。
【０１３０】
本明細書で述べられた代表的な手順は、通信の最後に登録抹消を実施するＭＩＣＯ  ＷＴＲＵに適用することができる。
ＭＩＣＯ  ＷＴＲＵがＲＲＣ＿ＩＮＡＣＴＩＶＥ状態に入らないようにする代表的な手順
図１０は、ＲＡＮが、Ｎ２シグナリングを介してＷＴＲＵのＭＩＣＯモードを認識する（認識するようになる）代表的な手順を示す図である。
【０１３１】
図１０を参照すると、代表的な手順１０００では、１０１０で、ＲＡＮ１１３を介して、ＡＭＦ１８２ａとＭＩＣＯ  ＷＴＲＵ１０２の間で登録が実施される。登録は、ＷＴＲＵがＭＩＣＯモードにあることを示すＭＩＣＯモード情報を含むことができる。１０２０で、ＭＩＣＯ  ＷＴＲＵ１０２は、ＲＡＮ１１３にＲＲＣ接続要求を送ることができる。１０３０で、ＲＡＮ１１３は、ＲＲＣ接続セットアップをＷＴＲＵ１０２に送ることができる。１０４０で、ＭＩＣＯ  ＷＴＲＵ１０２は、ＳＲを含むことのできるＲＲＣ接続セットアップ完了をＲＡＮ１１３に送ることができる。１０５０で、ＲＡＮ１１３は、ＳＲをＮＷ（例えば、ＡＭＦ１８２ａ）に送ることができる。１０６０で、ＡＭＦ１８２ａは、Ｎ２メッセージをＲＡＮ１１３に送ることができる。Ｎ２メッセージは、ＷＴＲＵ１０２がＭＩＣＯモードにあることを示すことのできるＭＩＣＯモード情報を含むことができる。１０７０で、ＲＡＮ１１３は、ＷＴＲＵコンテキストにＭＩＣＯモード表示を記憶することができる。１０８０で、ＲＡＮ１１３は、ＲＲＣ接続再構成をＷＴＲＵ１０２に送ることができる。
【０１３２】
例えば、ＲＡＮ１１３は、ＳＲ手順中に、Ｎ２シグナリングにより（例えば、ＣＮ１１５によるインジケータまたは他の情報により）ＷＴＲＵ１０２のＭＩＣＯモードが通知され得る。ＲＡＮ１１３は、そのＷＴＲＵコンテキストに、表示および／または情報を記憶することができ、またＷＴＲＵ１０２に対するＲＲＣ＿ＩＮＡＣＴＩＶＥ状態への状態切換えのトリガを抑制することができる。
【０１３３】
いくつかの代表的な実施形態では、ＭＩＣＯモードにあるＷＴＲＵ１０２は、例えば、待ち状態にあるＳＲによって、ＲＲＣ接続要求がトリガされた場合、ＲＲＣ接続確立要求メッセージに、ＭＩＣＯモード表示を含むことができる。非サービス要求シグナリングにより（例えば、特に、周期的な登録更新により）、ＲＲＣ接続要求がトリガされた場合、ＭＩＣＯモードは、登録手順が終了し、かつ／または完了した後、変更され得る。非ＳＲシグナリングによってトリガされるものに対してなど、いくつかの代表的な実施形態では、ＷＴＲＵ１０２は、ＲＲＣ接続要求にＭＩＣＯモード表示を含めない可能性がある。
【０１３４】
図１１は、ＭＩＣＯ  ＷＴＲＵ１０２が、ＲＡＮシグナリングを受け入れる、または拒否する（例えば、それは、ＭＩＣＯ  ＷＴＲＵ１０２をＩＮＡＣＴＩＶＥ状態にすることになる）ための代表的な手順を示す図である。
【０１３５】
図１１を参照すると、代表的な手順１１００では、１１１０で、ＲＡＮ１１３を介して、ＡＭＦ１８２ａとＭＩＣＯ  ＷＴＲＵ１０２の間で登録が実施される。登録は、ＷＴＲＵ１０２がＭＩＣＯモードにあることを示すＭＩＣＯモード情報を含むことができる。１１２０で、ＲＲＣ接続が、ＷＴＲＵ１０２とＲＡＮ１１３の間で確立され得る。１１３０で、ＲＡＮ１１３は、何らかの基準（例えば、不活動タイマなど）に従って、ＷＴＲＵを、ＩＮＡＣＴＩＶＥ状態（例えば、ＲＲＣ＿ＩＮＡＣＴＩＶＥ）にすることを決定することができる。１１４０で、ＲＡＮ１１３は、ＲＲＣ＿ＩＮＡＣＴＩＶＥ状態への切換えを示す情報を含むＲＲＣ接続解除をＷＴＲＵ１０２に送ることができる。いくつかの代表的な実施形態では、１１５０および１１６０で、ＷＴＲＵ１０２は、接続解除を拒否することができる。他の代表的な実施形態では、１１７０、１１８０、および１１９０で、ＷＴＲＵ１０２は、接続解除を受け入れることができる。
【０１３６】
第１の選択肢において、１１５０で、ＷＴＲＵ１０２は、ＲＲＣ接続解除拒否をＲＡＮ１１３に送ることができる。ＲＲＣ接続解除拒否は、「ＭＩＣＯモード」を示す原因コードを含むことができる。１１６０で、ＷＴＲＵ１０２は、接続モードのまま留まる。
【０１３７】
第２の選択肢では、１１７０で、ＷＴＲＵ１０２は、ＲＲＣ接続解除完了をＲＡＮ１１３に送ることができる。ＲＲＣ接続解除完了は、ＷＴＲＵが、ＲＲＣ＿ＩＤＬＥモードに入っていることを示す情報を含むことができる。１１８０で、ＡＭＦ１８２ａとＲＡＮ１１３の間で、Ｎ２接続解除が実施される。１１９０で、ＷＴＲＵ１０２は、ＲＲＣ＿ＩＤＬＥモードに入ることができる。
【０１３８】
いくつかの代表的な実施形態では、ＲＡＮ１１３は、ＷＴＲＵ１０２のＭＩＣＯモードを認識しない可能性があり、かつＷＴＲＵ１０２をＲＲＣ＿ＩＮＡＣＴＩＶＥモードに入れる、かつ／または配置する要求を（例えば、ＲＲＣ＿ＩＮＡＣＴＩＶＥ状態切換え命令を有するＲＲＣ接続解除を用いるＲＲＣシグナリングを介して）開始することもあり得る。ＭＩＣＯモードにあるＷＴＲＵ１０２は、要求を拒否する（例えば、「ＭＩＣＯモード」の原因で）ことができ、またＷＴＲＵ１０２は、ＲＲＣ＿ＣＯＮＮＥＣＴＥＤモードに留まることができる。様々な代表的な実施形態では、ＷＴＲＵ１０２は、ＲＲＣ＿ＩＮＡＣＴＩＶＥに入る要求があると、またはその後に、ＲＲＣ＿ＩＤＬＥモードに入る（例えば、直接入る）ことができ、かつＷＴＲＵ１０２は、ＲＣ＿ＩＤＬＥモードに入る予定であることを示す応答メッセージをＲＡＮ１１３に送ることができる。ＲＡＮ１１３による応答メッセージを受信すると、またはその後、ＲＡＮ１１３は、ＣＮ１１５に向けて、Ｎ２接続解除を開始することができる。
【０１３９】
本明細書で述べられる代表的な手順は、通信の最後に登録抹消を実施するＭＩＣＯ  ＷＴＲＵ１０２に適用することができる。
【０１４０】
登録手順をトリガするための代表的な手順
いくつかの代表的な実施形態では、「ハンドシェイク」（例えば、新しいハンドシェイク）は、ＳＲ手順中に、ＷＴＲＵ１０２とＮＷ１１３／１１５の間で実現され得る。ＷＴＲＵ１０２が、例えば、ＳＲメッセージにフラグを挿入することにより、ＳＲメッセージの通常の、かつ／または従来の目的に加えて、またはそれに代えて、いくつかの構成変更および／またはパラメータをＮＷ１１３／１１５に知らせることを望むことを、ＷＴＲＵ１０２が、ＮＷ１１３／１１５に示すことができる、または示すことになる。例えば、新しい情報要素が定義されて、この目的をサーブする（例えば、ＮＷ１１３／１１５に、構成変更／パラメータを示す、または知らせる）ことができる。ＮＷ側において、通常のＳＲメッセージを処理するのに加えて、ＮＷ１１３／１１５は、サービス受け入れメッセージを用いて、ＷＴＲＵ１０２に応答を返して、ネゴシエーション／ハンドシェイクを完成させることができる。本明細書で述べられたこれらの手順／機構は、例えば、５Ｇにおけるなど、新しい機能として実施することができるが、またはＷＴＲＵ１０２およびＮＷ１１３／１１５が、最初の登録中に（例えば、アタッチまたは最初の登録中に）サポートを、互いに知らせることにより実現できることが企図される。
【０１４１】
ＮＷ１１３／１１５が、ＷＴＲＵ１０２に対する構成パラメータ（例えば、いくつかある中で特に、ＮＷスライス選択支援情報（ＮＳＳＡＩ）、ｅＤＲＸ、および／またはＭＩＣＯ周期的タイマなど）を更新することを望む、かつ／または更新する予定である場合、ＮＷ１１３／１１５は、ＳＲ手順を用いて、ＷＴＲＵ１０２をトリガし、登録手順を実施させることができる。ＮＷ１１３／１１５は、いくつかの構成パラメータが更新される予定である、かつ／またはその必要があることをＷＴＲＵ１０２に知らせる明示的な表示を、サービス受入れまたは拒否メッセージに含むことができる（例えば、拒否メッセージにおいて原因コードを用いるなど）。サービス受入れまたは拒否メッセージにおいてフラグを受信することにより、ＷＴＲＵ１０２に、登録手順を実施させることができる。いくつかの代表的な実施形態では、ＮＷ１１３／１１５（例えば、ＡＭＦ１８２）は、サービス受入れまたは拒否メッセージにおいて、更新される予定の、かつ／またはその必要のある構成パラメータを送ることができる。ＷＴＲＵ１０２が、サービス受入れまたは拒否メッセージ（例えば、サービス受入れまたは拒否ＮＡＳメッセージ）において、新しい構成パラメータを受信した場合、ＷＴＲＵ１０２は、登録手順を実施することができる。
【０１４２】
図１２は、ＳＲを容易にする代表的な方法を示すフロー図である。
【０１４３】
図１２を参照すると、代表的な方法１２００は、ブロック１２１０で、ＷＴＲＵ１０２が、ＮＥ（例えば、ＡＭＦ１８２ａ、または別のネットワークデバイス）との第１の登録を実施することを含むことができる。ＷＴＲＵ１０２は、ＷＴＲＵ１０２がＭＩＣＯモードで動作していることを、ＮＥ１８２ａを介してＮＷ１１３／１１５に示すことができる。ブロック１２２０で、ＷＴＲＵ１０２は、ＷＴＲＵ１０２が「全ＰＬＭＮ」登録エリア内に登録されているかどうかを決定することができる。ブロック１２３０で、ＭＩＣＯモードで動作しているＷＴＲＵ１０２が、「全ＰＬＭＮ」登録エリアに登録されていない場合、ＷＴＲＵ１０２は、（１）ＷＴＲＵ１０２の第１の登録後に受信したＷＴＲＵ１０２に関連付けられた位置関連情報、（２）ＮＥ１１３／１１５とのＷＴＲＵ１０２の第１の登録後に始められたモバイル発信（ＭＯ:Mobile Originated）サービスからの情報、および／または（３）ネットワークで提供されるフラグのうちのいずれかに基づいて、第１の登録に関連付けられた登録エリアの外側にあるかどうかを決定することができる。ブロック１２４０で、ＷＴＲＵ１０２は、ＳＲを送ることができる。ブロック１２５０で、ＷＴＲＵ１０２が、登録エリアの外側にあると決定された場合、ＷＴＲＵ１０２は、ＳＲの前に、第２の登録または登録更新（例えば、別のＮＥ（例えば、ＡＭＦ１８２ｂ）と）を実施することができる。
【０１４４】
いくつかの代表的な実施形態では、ＷＴＲＵ１０２は、ＷＴＲＵ１０２が、ＳＲを送るために、第２の登録または登録更新を開始することになることを示す情報を取得することができる。例えば、ＷＴＲＵ１０２は、その取得された情報に従って登録要求を送ることにより、第２の登録または登録更新を実施することができる。
【０１４５】
いくつかの代表的な実施形態では、ＷＴＲＵ１０２は、事前構成により、かつ／またはネットワークシグナリング（例えば、ネットワーク１１３／１１５によるシグナリング）により、情報を取得することができる。
【０１４６】
いくつかの代表的な実施形態では、ＷＴＲＵ１０２は、ＷＴＲＵ１０２が、「全ＰＬＭＮ」登録エリアに登録されていると決定することができる。
【０１４７】
いくつかの代表的な実施形態では、ＷＴＲＵ１０２は、ＷＴＲＵ１０２が「全ＰＬＭＮ」登録エリアに登録されている場合、「常に登録」表示が設定されているかどうかを決定することができる。
【０１４８】
いくつかの代表的な実施形態では、ＷＴＲＵ１０２は、「常に登録」表示が設定されている場合、ＳＲの前に、第２の登録（例えば、更新）を実施するための登録要求を送ることができる。
【０１４９】
いくつかの代表的な実施形態では、ＷＴＲＵ１０２は、ブロードキャスト信号で示されたＷＴＲＵのＴＡのトラッキングエリア（ＴＡ）識別子を取得することができる。例えば、ＷＴＲＵ１０２は、取得されたＴＡ識別子（例えば、ＡＭＦ１８２ａまたは１８２ｂに関連付けられたもの）が、ＷＴＲＵ１０２を最後にサーブしたＮＥに関連付けられた（例えば、ＡＭＦ１８２ａに関連付けられた）、記憶されたＴＡ識別子に一致するかどうかに基づいて、ＷＴＲＵ１０２が登録エリアの外側にあるかどうかを決定することができ、例えば、したがって、ＷＴＲＵ１０２は、取得されたＴＡ識別子（例えば、ＡＭＦ１８２ａまたは１８２ｂに関連付けられたもの）が、記憶されたＴＡ（例えば、ＡＭＦ１８２ａに関連付けられた）に一致しない条件により、第２の登録、または登録更新を実施することになる。
【０１５０】
いくつかの代表的な実施形態では、ＷＴＲＵ１０２は、ブロードキャスト信号で示されたＷＴＲＵ１０２の登録エリアに関連付けられた識別子を取得することができる。例えば、ＷＴＲＵ１０２は、取得された識別子が、ＷＴＲＵ１０２を最後にサーブしたＮＥ（例えば、ＡＭＦ１８２ａまたは他のＮＥ１８０、１８３〜１８５）に関連付けられた、記憶された識別子に一致するかどうかに基づいて、ＷＴＲＵ１０２が登録エリアの外側にあるかどうかを決定することができ、したがって、第２の登録、または登録更新を実施することは、取得された識別子が、記憶された識別子に一致しない条件による。いくつかの代表的な実施形態では、識別子は、（１）トラッキングエリア識別子（例えば、登録エリアをサービスするＡＭＦに関連付けられたもの）、（２）経路指定エリア識別子、または（３）ＡＭＦ識別子（例えば、登録エリアをサービスするＡＭＦを識別するもの）のうちの１つとすることができる。
【０１５１】
いくつかの代表的な実施形態では、ＷＴＲＵ１０２は、取得されたＴＡ識別子が、記憶されたＴＡ識別子に一致する場合、ＳＲを送る前に何らかの第２の登録または登録更新をせずに、ＳＲを送ることができる。
【０１５２】
図１３は、ＳＲ登録を容易にする別の代表的な方法を示すフロー図である。
【０１５３】
図１３を参照すると、ＭＩＣＯモードで動作し、かつ第１の登録エリアに登録されたＷＴＲＵ１０２によって実施される代表的な方法１３００は、ブロック１３１０で、ＷＴＲＵ１０２が、（１）ＷＴＲＵ１０２の最新のモバイル発信（ＭＯ）サービスからの情報、または（２）ネットワークで提供されるフラグのいずれかに基づいて、ＷＴＲＵが第１の登録エリアの外側にある（例えば、外側に位置する）かどうかを決定することを含むことができる。ブロック１３２０で、ＷＴＲＵ１０２は、ＷＴＲＵ１０２が、第１の登録エリアの外側にあると決定された場合、登録更新を実施することができる。ブロック１３３０で、ＷＴＲＵ１０２は、登録更新後、ＳＲを送ることができる。
【０１５４】
図１４は、ＳＲを容易にする他の代表的な方法を示すフロー図である。
【０１５５】
図１４を参照すると、代表的な方法１４００は、ブロック１４１０で、ＷＴＲＵ１０２がＮＥ（例えば、ＡＭＦ１８２ａ）と第１の登録を実施することを含むことができる。ＷＴＲＵ１０２は、ＷＴＲＵ１０２がＭＩＣＯモードで動作していることを、ＮＥ（例えば、ＡＭＦ１８２ａ）を介してＮＷ１１３／１１５に示すことができる。ブロック１４２０で、ＷＴＲＵ１０２は、ＷＴＲＵが「全ＰＬＭＮ」登録エリアに登録されているかどうかを決定することができる。ブロック１４３０で、ＷＴＲＵ１０２は、ＷＴＲＵ１０２が「全ＰＬＭＮ」登録エリアに登録されていないこと、およびＷＴＲＵ１０２が第１の登録に関連付けられた登録エリアの外側にあることに基づいて、第２の登録または登録更新を、ＳＲを送る前に、選択的に実施することができる。ブロック１４４０で、ＷＴＲＵ１０２は、ＳＲを送ることができる。
【０１５６】
図１５は、ＳＲを容易にするさらなる代表的な方法を示すフロー図である。
【０１５７】
図１５を参照すると、代表的な方法１５００は、ブロック１５１０で、ＷＴＲＵ１０２が、ＷＴＲＵ特有の情報を含むＳＲを送ることを含むことができる。ＷＴＲＵ特有の情報は、（１）ＷＴＲＵ１０２がＭＩＣＯモードで動作していることの表示、および／または（２）ＷＴＲＵ１０２の一時的なユーザ識別子（ＴＵＩＤ）を含むことができる。ブロック１５２０で、ＷＴＲＵ１０２は、接続再構成メッセージと、ＳＲにおけるＴＵＩＤとは異なる新しいＴＵＩＤを含むＷＴＲＵ構成メッセージとを受信することができる。
【０１５８】
図１６は、ＳＲを容易にするさらに別の代表的な方法を示すフロー図である。
【０１５９】
図１６を参照すると、代表的な方法１６００は、ブロック１６１０で、ＷＴＲＵ１０２が、ＷＴＲＵ１０２を現在サーブしているＮＥ（例えば、ＡＭＦ１８２ａまたは１８２ｂ）に関連付けられたネットワークエンティティ（ＮＥ）識別子を示すブロードキャスト信号を受信することを含むことができる。ブロック１６２０で、ＷＴＲＵ１０２（例えば、いくつかある中で特に、ＡＳレイヤ、Ｌ１レイヤ、Ｌ２レイヤ、ＭＡＣレイヤ、物理レイヤ、または別の下位レイヤなど）は、上位レイヤ（例えば、いくつかある中で特にＮＡＳレイヤ、別の上位レイヤなど）から接続要求を受信することができる。ブロック１６３０で、ＷＴＲＵ１０２は、第２のレイヤ（例えば、いくつかある中で特に、ＡＳレイヤ、Ｌ１レイヤ、Ｌ２レイヤ、ＭＡＣレイヤ、物理レイヤ、または他の下位レイヤなど）により、ＷＴＲＵ１０２がＭＩＣＯモードで動作しているかどうかを決定することができる。ブロック１６４０で、ＷＴＲＵ１０２がＭＩＣＯモードで動作している場合、ＷＴＲＵ１０２は、受信されたＮＥ識別子が、最後にＷＴＲＵ１０２にサーブしたＮＥ（例えば、ＡＭＦ１８２ａ）に関連付けられた、記憶されたＮＥ識別子と一致するかどうかを決定することができる。ブロック１６５０で、ＷＴＲＵ１０２は、受信されたＮＥ識別子（例えば、ＡＭＦ１８２ａまたは１８２ｂ）が、記憶されたＮＥ識別子（例えば、ＡＭＦ１８２ａ）と一致する場合、ＷＴＲＵ特有の情報を含むＳＲを送ることができる。
【０１６０】
いくつかの代表的な実施形態では、ＷＴＲＵ１０２は、受信されたＮＥ識別子（例えば、ＡＭＦ１８２ａまたは１８２ｂ）が記憶されたＮＥ識別子（例えば、ＡＭＦ１８２ａ）と一致しない場合、ＳＲを送る前に新しい登録または登録更新を送ることができる。
【０１６１】
図１７は、ＳＲを容易にするさらに他の代表的な方法を示すフロー図である。
【０１６２】
図１７を参照すると、代表的な方法１７００は、ブロック１７１０で、ＷＴＲＵ１０２は、ＷＴＲＵが、ＳＲを送る前に、登録を開始することになることを示す情報を取得することを含む。ブロック１７２０で、ＷＴＲＵ１０２は、取得された情報に従って、登録要求を送ることができる。ブロック１７３０で、ＷＴＲＵ１０２は、ＮＥ（例えば、ＡＭＦ１８２ｂ）に登録した後、ＳＲを送ることができる。
【０１６３】
いくつかの代表的な実施形態では、ＷＴＲＵ１０２は、事前構成により、またはネットワークシグナリングにより、情報を取得することができる。
【０１６４】
いくつかの代表的な実施形態では、ＷＴＲＵ１０２は、ＷＴＲＵ１０２がＭＩＣＯモードで動作しているかどうかを決定することができ、ＷＴＲＵ１０２がＭＩＣＯモードで動作している場合、ＳＲの前に登録要求を送ることができる。
【０１６５】
いくつかの代表的な実施形態では、ＷＴＲＵ１０２は、ＷＴＲＵ１０２が「全ＰＬＭＮ」登録エリアに登録されているかどうかを決定することができ、かつＷＴＲＵ１０２が、「全ＰＬＭＮ」登録エリアに登録されている場合、ＳＲの前に登録要求を送ることができる。
【０１６６】
いくつかの代表的な実施形態では、ＷＴＲＵ１０２は、ＷＴＲＵ１０２のＴＡのトラッキングエリア（ＴＡ）識別子を示すブロードキャストシグナリングを受信することができ、上位レイヤから接続要求を受信することができ、かつ第２のレイヤにより、ＷＴＲＵ１０２がＭＩＣＯモードで動作しているかどうかを決定することができる。
【０１６７】
いくつかの代表的な実施形態では、ＷＴＲＵ１０２は、ＷＴＲＵ１０２がＭＩＣＯモードで動作している場合、示されたＴＡ識別子が、最後にＷＴＲＵ１０２にサーブしていたＮＥ（例えば、ＡＭＦ１８２ａ）に関連付けられた、記憶されたＴＡ識別子に一致するかどうかを少なくとも決定することができ、示されたＴＡ識別子が、記憶されたＴＡ識別子に一致する場合、ＳＲを送ることができる。
【０１６８】
いくつかの代表的な実施形態では、ＷＴＲＵ１０２は、示されたＴＡ識別子が、記憶されたＴＡ識別子に一致しない場合は、ＳＲを送る前に、新しい登録または登録更新を送ることができる。
【０１６９】
図１８は、接続解除を受け入れる、または拒否するさらに追加の代表的方法を示すフロー図である。
【０１７０】
図１８を参照すると、ＭＩＣＯモードにあるＷＴＲＵ１０２により実施される代表的な方法１８００は、ブロック１８１０で、ＷＴＲＵ１０２が、ＲＡＮ１１３のＮＥ（例えば、ｇＮＢ１８０）から接続解除を受信することを含むことができる。ブロック１８２０で、ＷＴＲＵ１０２は、接続解除を受け入れるかどうかを決定することができる。ブロック１８３０で、ＷＴＲＵ１０２が接続解除を受け入れる場合、ＷＴＲＵは、（１）接続解除完了を送り、かつ（２）アイドルモードに入ることができる。ブロック１８４０で、ＷＴＲＵ１０２が接続解除モードを受け入れない場合、ＷＴＲＵ１０２は、（１）ＷＴＲＵ１０２がＭＩＣＯモードで動作していることを示す原因コードを有する接続解除拒否を送り、かつ（２）接続モードに留まることができる。
【０１７１】
図１９は、登録を容易にするために実施される代表的な方法を示すフロー図である。
【０１７２】
図１９を参照すると、ＷＴＲＵ１０２により実施される代表的な方法１９００は、ブロック１９１０で、ＷＴＲＵ１０２が第１のメッセージをＮＥ（例えば、ＡＭＦ１８２、またはｇＮＢ１８０などの他のＮＥ、またはＣＮエンティティ１８３〜１８５）に送ることを含むことができる。ブロック１９２０で、ＷＴＲＵ１０２は、ＷＴＲＵ１０２が、登録を開始することになることを示す情報を取得することができる。ブロック１９３０で、ＷＴＲＵは、取得された情報に従って、登録要求を送ることができる。例えば、取得された情報は、ＮＥ１８０および１８２〜１８５からの第２のメッセージに含まれる原因コードまたは表示とすることができる。いくつかの代表的な実施形態では、第１のメッセージは、サービス要求とすることができ、かつ／または第２のメッセージは、サービス受入れ、またはサービス拒否メッセージとすることができる。様々な代表的な実施形態では、ＷＴＲＵは、登録更新を実施することができ、また登録更新に基づいて、構成パラメータを更新することができる。
【０１７３】
図２０は、ＳＲを容易にするためにＮＷによって実施される代表的な方法を示すフロー図である。
【０１７４】
図２０を参照すると、ネットワークエンティティ（ＮＥ）（例えば、ＡＭＦ１８２、またはｇＮＢ１８０などの他のＮＥ、またはＣＮエンティティ１８３〜１８５）により実施される代表的な方法２０００は、ブロック２０１０で、ＮＥ１８２は、ＷＴＲＵ１０２が、ＳＲを送る前に、登録を開始することになることを示す情報を送ることを含むことができる。ブロック２０２０で、ＮＥ１８２は、取得された情報に従って、登録要求を受信することができる。ブロック２０３０で、ＮＥ１１３／１１５は、ＷＴＲＵ１０２が登録された後に、ＳＲを受信することができる。
【０１７５】
図２１は、ＷＴＲＵがＭＩＣＯモードにあるとき、ＮＷにより実施される別の代表的な方法を示すフロー図である。
【０１７６】
図２１を参照すると、ＮＷ１１３／１１５のＮＥ（例えば、ＡＭＦ１８２、または他のＮＥ１８０、１８３〜１８５）により実施される代表的な方法２１００は、ブロック２１１０で、ＮＥ１８０、１８２〜１８５が、ＷＴＲＵ１０２がＭＩＣＯモードで動作しているかどうかを決定することを含むことができる。ブロック２１２０で、ＷＴＲＵ１０２がＭＩＣＯモードで動作している場合、ＮＷ１１３／１１５のＮＥ１８０、１８２〜１８５は、（１）ＭＩＣＯモードにはないＷＴＲＵ１０２に対する期間よりも長い期間にわたり、不活動タイマを設定すること、（２）ＷＴＲＵ１０２の不活動のためＷＴＲＵ１０２の接続解除を阻止すること、および／または（３）ＷＴＲＵ１０２が、ＮＷ１１３／１１５のＮＥ１８０、１８２〜１８５との接続を自律的に解除すべく構成されるように、ＷＴＲＵ１０２とネゴシエートすることができる。
【０１７７】
図２２は、接続要求を容易にするために、ＮＷによって実施される他の代表的な方法を示すフロー図である。
【０１７８】
図２２を参照すると、ＮＷ１１３／１１５のＮＥ（例えば、ＡＭＦ１８２ｂ、または他のＮＥ１８０、１８３〜１８５）により実施される代表的な方法２２００は、ブロック２２１０で、ＮＥ１８２ｂが、ＷＴＲＵ特有の情報を含む、ＷＴＲＵ１０２の接続を要求するメッセージを受信することを含むことができる。ブロック２２２０で、ＮＥ１８２ｂは、ＷＴＲＵ特有の情報から、ＷＴＲＵ１０２を最後にサーブした別のＮＥ（例えば、ＡＭＦ１８２ａ）を決定することができる。ブロック２２３０で、ＮＥ１８２ｂは、ＷＴＲＵ１０２をＮＥ１８２ｂに接続するための情報を求める情報要求を、他方のＮＥ（例えば、ＡＭＦ１８２ａ）に送ることができる。
【０１７９】
いくつかの代表的な実施形態では、ＮＥ１８２ｂは、他方のＮＥ１８２ａから、ＷＴＲＵ１０２に接続するための要求情報を受信することができ、かつ他方のＮＥ１８２ａから受信された情報に基づいて、ＷＴＲＵ１０２を認証し、かつ接続することができる。
【０１８０】
いくつかの代表的な実施形態では、ＷＴＲＵ特有の情報は、（１）ＷＴＲＵ１０２がＭＩＣＯモードで動作していることの表示、および／または（２）ＷＴＲＵ１０２の一時的なユーザ識別子（ＴＵＩＤ）のいずれかを含むことができる。
【０１８１】
図２３は、ＳＲを容易にするためにＮＷによって実施されるさらなる代表的な方法を示すフロー図である。
【０１８２】
図２３を参照すると、ＮＷ１１３／１１５のＮＥ（例えば、ＡＭＦ１８２、または他のＮＥ１８０、１８３〜１８５）により実施される代表的な方法２３００は、ブロック２３１０で、ＮＥ１８２が、ＷＴＲＵがＭＩＣＯモードで動作していることの表示を含むＷＴＲＵ１０２を登録するための登録要求を受信することを含むことができる。ブロック２３２０で、ＮＥ１８２は、登録の後、ＷＴＲＵ１０２から（例えば、ＲＡＮ１１３を介して）、ＷＴＲＵ１０２のＷＴＲＵで開始される接続解除に対するプリファレンスを含むＳＲを受信することができる。ブロック２３３０で、ＮＥ１８２は、（１）ＷＴＲＵ１０２から（例えば、ＲＡＮ１１３のＲＡＮエンティティ１８０を介して）、ＮＡＳ解除要求、または（２）ＲＡＮ１１３（例えば、ｇＮＢ１８０）から、Ｎ２接続解除（例えば、ＷＴＲＵ１０２からのＲＲＣ解除要求に従って）の一方を受信することができる。例えば、１つの選択肢の場合、ＷＴＲＵ１０２は、ＲＲＣ接続解除要求をＲＡＮ１１３に送ることができ、またＲＡＮ１１３は、その後に、ＡＭＦ１８２とのＮ２接続解除を実施することができる。ブロック２３４０で、ＮＥ１８２は、ＷＴＲＵ１０２に対する接続を解除することができる。
【０１８３】
いくつかの代表的な実施形態では、ＮＥ１８２は、プリファレンスを受け入れるかどうかを決定することができ、またプリファレンスを受け入れることを、ＷＴＲＵ１０２にサーブするＲＡＮ１１３のＲＡＮエンティティ（例えば、ｇＮＢ１８０）に送ることができる。
【０１８４】
いくつかの代表的な実施形態では、ＮＥ１８２は、（１）ＷＴＲＵプロファイル、または（２）ＷＴＲＵモビリティパターンのいずれかを調べることができる。
【０１８５】
図２４は、登録を容易にするためにＮＷによって実施される代表的な方法を示すフロー図である。
【０１８６】
図２４を参照すると、ＮＥ（例えば、ＡＭＦ１８２、またはｇＮＢ１８０などの他のＮＥ、またはＣＮエンティティ１８３〜１８５）により実施される代表的な方法２４００は、ブロック２４１０で、ＮＥ１８０、１８２〜１８５が、ＷＴＲＵ１０２から第１のメッセージを受信することを含むことができる。ブロック２４２０で、ＮＥ１８０、１８２〜１８５は、ＷＴＲＵが登録を開始することになると決定することができる。ブロック２４３０で、ＮＥ１８０、１８２〜１８５は、ＷＴＲＵは、登録を開始することになることを示す情報をＷＴＲＵに送ることができる。ブロック２４４０で、ＷＴＲＵは、送られた情報に従って、登録要求を受信することができる。例えば、送られた情報は、ＮＥ１８０および１８２〜１８５からの第２のメッセージに含まれる原因コードまたは表示とすることができる。いくつかの代表的な実施形態では、第１のメッセージは、サービス要求とすることができ、かつ／または第２のメッセージは、サービス受入れまたはサービス拒否メッセージとすることができる。
【０１８７】
図２５は、ＳＲを容易にするためにＲＡＮエンティティによって実施される代表的な方法を示すフロー図である。
【０１８８】
図２５を参照すると、ＲＡＮ１１３のＲＡＮエンティティ（例えば、ｇＮＢ１８０）により実施される代表的な方法２５００は、ブロック２５１０で、ＲＡＮエンティティ１８０が、ＷＴＲＵ１０２に対するＳＲを含むメッセージを受信することを含む。ネットワークエンティティ（ＮＥ）（例えば、ＡＭＦ１８２）とのＷＴＲＵ１０２の登録は、ＷＴＲＵ１０２がＭＩＣＯモードで動作していることを示すことができる。ブロック２５２０で、ＲＥ１８０は、ＳＲをＮＥ１８２に送ることができる。ブロック２５３０で、ＲＥ１８０は、ＷＴＲＵ１０２がＭＩＣＯモードで動作していることの情報を含むメッセージを、ＮＥ１８２から受信することができる。ブロック２５４０で、ＲＥ１８０は、ＷＴＲＵ１０２がＭＩＣＯモードで動作していることの情報を、ＷＴＲＵ１０２のコンテキストに記憶することができる。ブロック２５５０で、ＲＥ１８０は、ＷＴＲＵ１０２のコンテキストに記憶された情報に基づいて、ＷＴＲＵ１０２に対するＲＲＣ不活動状態への変更のトリガを停止することができる。
【０１８９】
２つのＡＭＦ１８２ａおよび１８２ｂだけが示されているが、任意の数のＡＭＦが、ＣＮ１１５において実施され得る。
【０１９０】
様々なＮＥおよびＲＥが本明細書で示されている。これらのＮＥは、１つまたは複数のプロセッサ、１つまたは複数の送信機および１つまたは複数の受信機、ならびに１つまたは複数のメモリを含み、動作可能に通信し、かつ本明細書で開示された諸実施形態のいずれかの方法を実行するように構成され得る。
【０１９１】
ＷＴＲＵが本明細書で示されている。ＷＴＲＵは、１つまたは複数のプロセッサ、１つまたは複数の送信機および１つまたは複数の受信機、ならびに１つまたは複数のメモリを含み、動作可能に通信し、かつ本明細書で開示された諸実施形態のいずれかの方法を実行するように構成され得る。
【０１９２】
上記で、特徴および要素が特定の組合せで述べられているが、当業者であれば、各特徴または要素は、単独で、または他の特徴および要素との任意の組合せで使用され得ることが理解されよう。さらに、本明細書で述べられる方法は、コンピュータまたはプロセッサによって実行されるコンピュータ可読媒体に組み込まれたコンピュータプログラム、ソフトウェア、またはファームウェアで実施することができる。非一時的なコンピュータ可読記憶媒体の例は、これだけに限らないが、読み出し専用メモリ（ＲＯＭ）、ランダムアクセスメモリ（ＲＡＭ）、レジスタ、キャッシュメモリ、半導体メモリデバイス、内部のハードディスクおよび取外し可能なディスクなどの磁気媒体、光磁気媒体、ならびにＣＤ−ＲＯＭディスクおよびデジタル多用途ディスク（ＤＶＤ）などの光媒体を含む。ソフトウェアに関連付けられるプロセッサは、ＷＴＲＵ、ＵＥ、端末、基地局、ＲＮＣ、または任意のホストコンピュータで使用される無線周波数送受信機を実施するために使用され得る。
【０１９３】
さらに上記で述べた実施形態では、処理プラットフォーム、コンピューティングシステム、コントローラ、およびプロセッサを含む他のデバイスが記されている。これらのデバイスは、少なくとも１つの中央処理装置（「ＣＰＵ」）およびメモリを含むことができる。コンピュータプログラミングの当業者の慣行によれば、動作または命令の行為および記号的な表現は、様々なＣＰＵおよびメモリによって実施され得る。このような行為および動作、または命令は、「実行される」、「コンピュータで実行される」、または「ＣＰＵで実行される」と呼ぶことができる。
【０１９４】
当業者であれば、行為および記号的に表現される動作または命令は、ＣＰＵによる電気信号の操作を含むことが理解されよう。電気システムは、電気信号の変換および低減を生ずることのできる、かつメモリシステム内の記憶場所にデータビットを維持させ得るデータビットを表し、それによりＣＰＵの動作、ならびに他の信号処理を再構成する、またはその他の形に改変する。データビットが維持される記憶場所は、データビットに対応する、またはデータビットを表す特定の電気的、磁気的、光学的、または有機的特性を有する物理的な場所である。例示的な実施形態は、前述のプラットフォームまたはＣＰＵに限定されないこと、および他のプラットフォームおよびＣＰＵが、提供される方法をサポートできることを理解されたい。
【０１９５】
データビットはまた、磁気ディスク、光ディスク、およびＣＰＵにより読み取り可能な任意の他の揮発性（例えば、ランダムアクセスメモリ（「ＲＡＭ」））、または不揮発性（例えば、読み出し専用メモリ（「ＲＯＭ」））大容量記憶システムを含むコンピュータ可読媒体に維持することができる。コンピュータ可読媒体は、協動するもしくは相互接続されたコンピュータ可読媒体を含むことができ、それは、処理システム上に専用に存在するが、または処理システムに対してローカルまたは遠隔にあり得る複数の相互接続された処理システムの中で分散される。代表的な実施形態は、前述のメモリに限定されないこと、かつ他のプラットフォームおよびメモリが、述べられた方法をサポートできることが理解される。
【０１９６】
示された実施形態では、本明細書で述べられた動作、プロセスなどのいずれも、コンピュータ可読媒体上に記憶されたコンピュータ可読命令として実施することができる。コンピュータ可読命令は、モバイルユニット、ネットワーク要素、および／または任意の他のコンピューティングデバイスのプロセッサにより実行され得る。
【０１９７】
システムの諸態様のハードウェア実装とソフトウェア実装の間にある差異はほとんどない。ハードウェアまたはソフトウェアの使用は、概して、コストに対する効率のトレードオフを表す設計選択である（いくつかのコンテキストで、ハードウェアとソフトウェアの間の選択が重要になり得る場合には、常にそうではない）。本明細書で述べられたプロセスおよび／またはシステムおよび／または他の技術が実施され得る様々な手段が存在することができ（例えば、ハードウェア、ソフトウェア、および／またはファームウェア）、また好ましい手段は、プロセスおよび／またはシステムおよび／または他の技術が展開されるコンテキストと共に変わり得る。例えば、実装者が、速度および正確さが重要であると決定した場合、実装者は、主として、ハードウェアおよび／またはファームウェア手段を選択することができる。柔軟性が重要である場合、実装者は、主としてソフトウェア実装を選ぶ可能性がある。あるいは、実装者は、ハードウェア、ソフトウェア、および／またはファームウェアの何らかの組合せを選ぶこともできる。
【０１９８】
前述の詳細な説明は、ブロック図、フロー図、および／または例を使用することにより、デバイスおよび／またはプロセスの様々な実施形態を記載してきた。このようなブロック図、フロー図、および／または例が、１つまたは複数の機能および／または動作を含む限り、当業者であれば、このようなブロック図、フロー図、または例に含まれる各機能および／または動作が、広範囲のハードウェア、ソフトウェア、ファームウェアにより、または実質的にそれらの任意の組合せにより、個々に、かつ／または集合的に実施され得ることが理解されよう。適切なプロセッサは、例として、汎用プロセッサ、専用プロセッサ、従来のプロセッサ、デジタル信号プロセッサ（ＤＳＰ）、複数のマイクロプロセッサ、ＤＳＰコアに関連付けられた１つまたは複数のマイクロプロセッサ、コントローラ、マイクロコントローラ、特定用途向け集積回路（ＡＳＩＣ）、特定用途向け標準製品（ＡＳＳＰ）、書替え可能ゲートアレイ（ＦＰＧＡ）回路、任意の他のタイプの集積回路（ＩＣ）、および／または状態機械を含む。
【０１９９】
特徴および要素が、特定の組合せにより上記で提供されているが、当業者であれば、各特徴または要素は、単独で、または他の特徴および要素との任意の組合せで使用できることが理解されよう。本開示は、本出願で述べられた特定の実施形態により限定されるものではなく、それは様々な態様を示すように意図されている。当業者には理解されるように、その趣旨および範囲から逸脱することなく、多くの修正および変形を行うことができる。明示的にそのように提供されない限り、本出願の記述に使用される要素、行為、または命令のいずれも、本発明にとって決定的なもの、または本質的なものであると解釈されるべきではない。本明細書で列挙されたものに加えて、本開示の範囲に含まれる機能的に等価な方法および装置は、当業者には、前述の説明から明らかであろう。このような修正および変形は、添付の特許請求の範囲に含まれるように意図されている。本開示は、このような特許請求の範囲に権利が与えられる均等な形態のすべての範囲と共に、添付の特許請求の範囲によってのみ限定されるべきである。本開示は、特定の方法またはシステムに限定されないことを理解されたい。
【０２００】
本明細書で使用される専門用語は、特定の実施形態だけを記述するためのものであり、限定することを意図していないことも理解されたい。本明細書で使用される場合、本明細書で参照されるとき、用語「ユーザ機器」およびその略語「ＵＥ」は、（ｉ）以下で述べるものなど、無線送受信ユニット（ＷＴＲＵ）、（ｉｉ）以下で述べるものなど、ＷＴＲＵのいくつかの実施形態のいずれか、（ｉｉｉ）以下で述べるものなど、特にＷＴＲＵのいくつかの、またはすべての構造および機能で構成される無線対応および／または有線対応（接続可能な）デバイス、（ｉｖ）以下で述べるものなど、ＷＴＲＵのすべてに満たない構造および機能で構成された無線対応および／または有線対応デバイス、または（ｖ）同様のものを意味することができる。本明細書で記載された任意のＵＥを表すことのできる例示的なＷＴＲＵの詳細は、図１〜図５に関して以下で提供される。
【０２０１】
いくつかの代表的な実施形態では、本明細書で述べられる主題のいくつかの部分は、特定用途向け集積回路（ＡＳＩＣ）、書替え可能ゲートアレイ（ＦＰＧＡ）、デジタル信号プロセッサ（ＤＳＰ）、および／または他の統合されたフォーマットにより実施され得る。しかし、当業者であれば、本明細書で開示される実施形態のいくつかの態様は、１つまたは複数のコンピュータで動作する１つまたは複数のコンピュータプログラムとして（例えば、１つまたは複数のコンピュータシステムで動作する１つまたは複数のプログラムとして）、１つまたは複数のプロセッサで動作する１つまたは複数のプログラムとして（例えば、１つまたは複数のマイクロプロセッサで動作する１つまたは複数のプログラムとして）、ファームウェアとして、または実質的にそれらの任意の組合せとして、全体的に、または部分的に、集積回路で等価的に実施できること、および回路を設計し、かつ／またはソフトウェアおよび／またはファームウェアに対する符号を書き込むことは、本開示の点から見て、当業者の技術に十分含まれるはずであることが認識されよう。さらに当業者であれば、本明細書で述べられる主題の機構は、様々な形態のプログラム製品として配布され得ること、また本明細書で述べられる主題の例示的な実施形態は、配布を実際に実行するために使用される信号担持媒体の個々のタイプにかかわらず、適用されることが理解されよう。信号担持媒体の例は、これだけに限らないが、以下のものを含む、すなわち、フロッピーディスク、ハードディスクドライブ、ＣＤ、ＤＶＤ、デジタルテープ、コンピュータメモリなどの記録可能なタイプの媒体、およびデジタルおよび／またはアナログ通信媒体（例えば、光ファイバケーブル、導波管、有線通信リンク、無線通信リンクなど）などの送信タイプの媒体である。
【０２０２】
本明細書で述べられる主題は、異なる他の構成要素に含まれる、またはそれに接続される異なる構成要素を示すことがある。このように示されたアーキテクチャは、単に例であること、また実際に、同じ機能を達成する多くの他のアーキテクチャが実施できることを理解されたい。概念的な意味において、同じ機能を達成するための構成要素のいずれの構成も、望ましい機能を達成できるように有効に「関連付けられる」。したがって、特定の機能を達成するために、本明細書で組み合わされる任意の２つの構成要素を、アーキテクチャまたは中間的な構成要素とは無関係に、望ましい機能が達成されるように、それぞれ互いに「関連付けられる」ことが分かる。同様に、そのように関連付けられた任意の２つの構成要素はまた、望ましい機能を達成するために互いに「動作可能に接続される」、または「動作可能に結合される」と見ることができ、そのように関連付けられ得る任意の２つの構成要素はまた、望ましい機能を達成するために、互いに「動作可能に結合可能である」と見ることができる。動作可能に結合可能な特定の例は、これだけに限らないが、物理的に嵌合可能な、かつ／または物理的に相互作用可能な構成要素、かつ／または無線で対話可能な、かつ／または無線で対話する構成要素、および／または論理的に対話する、かつ／または論理的に対話可能な構成要素を含む。
【０２０３】
本明細書における実質的に任意の複数および／または単数の用語の使用に関して、当業者は、コンテキストおよび／または応用に適切であるように、複数から単数に、かつ／または単数から複数に変換することができる。様々な単数／複数変換は、分かりやすいように、本明細書では明確に記載され得る。
【０２０４】
概して、本明細書で、また特に、添付の特許請求の範囲（例えば、添付の請求項の本文）で使用される用語は、一般に、「非限定的な」用語として意図されている（例えば、「含んでいる（ｉｎｃｌｕｄｉｎｇ）」という用語は、「含んでいるがこれだけに限らない」ものと解釈すべきであり、「有する」という用語は、「少なくとも有する」と解釈すべきであり、「含む（ｉｎｃｌｕｄｅｓ）」という用語は、「含むがこれだけに限定されない」と解釈すべきであり、以下同様である）ことが、当業者であれば理解されよう。当業者であれば、導入された請求項に記載の特定の数字が意図される場合、このような意図は、明示的に請求項に記載されることになり、このような記載がない場合、このような意図は存在しないことがさらに理解されよう。例えば、１つの項目だけが意図される場合、用語「単一の」または同様の文言が使用され得る。理解を助けるために、以下の添付された特許請求の範囲、および／または本明細書の記述は、「少なくとも１つの」、および「１つまたは複数の」の導入句を使用して、請求項の記載を導くことを含むことができる。しかし、このような句の使用は、同じ請求項が、導入句「１つまたは複数の」または「少なくとも１つの」、および「１つの（ａ）」、または「１つの（ａｎ）」などの不定冠詞を含む場合であっても、不定冠詞「１つの（ａ）」または「１つの（ａｎ）」による請求項記載の導入が、このように導入された請求項の記載を含む任意の特定の請求項を１つだけのこのような記載を含む実施形態に限定することを示唆するものと解釈すべきではない（例えば、「１つの（ａ）」および／または「１つの（ａｎ）」は、「少なくとも１つの」、または「１つまたは複数の」を意味するものと解釈すべきである）。請求項の記載を導入するために使用される定冠詞の使用についても同じことがいえる。さらに、導入された請求項の記載の特定の数が明示的に記載されている場合であっても、当業者であれば、このような記載は、少なくともその記載された数を意味するものと解釈すべきであることを認識されよう（例えば、他の修飾語のない、「２つの記載」だけの記載は、少なくとも２つの記載、または２つ以上の記載を意味する）。さらに、「Ａ、Ｂ、およびＣのうちの少なくとも１つなど」に類似する表現法が使用される例において、一般に、このような構成は、当業者がその表現法を理解するはずの意味において意図されている（例えば、「Ａ、Ｂ、およびＣのうちの少なくとも１つを有するシステム」は、これだけに限らないが、Ａだけ、Ｂだけ、Ｃだけ、ＡとＢを共に、ＡとＣを共に、ＢとＣを共に、かつ／またはＡ、Ｂ、およびＣを共になどを有するシステムを含むことになる）。「Ａ、Ｂ、またはＣのうちの少なくとも１つなど」に類似する表現法が使用される例において、一般に、このような構成は、当業者がその表現法を理解するはずの意味において意図されている（例えば、「Ａ、Ｂ、またはＣのうちの少なくとも１つを有するシステム」は、これだけに限らないが、Ａだけ、Ｂだけ、Ｃだけ、ＡとＢを共に、ＡとＣを共に、ＢとＣを共に、かつ／またはＡ、Ｂ、およびＣを共になどを有するシステムを含むことになる）。記述、特許請求の範囲、または図面のいずれであっても、２つ以上の代替的用語が提示される実質的に任意の選言的な単語および／または句は、用語の内の１つ、用語のいずれか、または両方の用語を含む可能性が企図されるものと理解すべきであることが当業者であればさらに理解されよう。例えば、「ＡまたはＢ」という句は、「Ａ」もしくは｛Ｂ｝または「ＡおよびＢ」の可能性を含むものと理解されよう。さらに、本明細書で使用される場合、複数の項目および／または複数のカテゴリの項目リストが後に続く「のうちのいずれか」という用語は、項目、および／またはカテゴリの項目の「うちのいずれか」、「のいずれかの組合せ」、「の任意の複数のもの」、および／または「の複数のものの任意の組合せ」を、個々に、または他の項目および／または他のカテゴリの項目と共に含むことが意図される。さらに、本明細書で使用される場合、「セット」、または「グループ」という用語は、ゼロを含む任意の数の項目を含むことが意図されている。加えて、本明細書で使用される場合、「数」という用語は、ゼロを含む任意の数を含むように意図されている。
【０２０５】
加えて、本開示の特徴または態様が、マーカッシュ群に関して述べられる場合、当業者であれば、本開示はまた、それにより、マーカッシュ群の任意の個々の部材、または部材の下位の群に関して述べられることが認識されよう。
【０２０６】
当業者には理解されるように、記載された記述を提供することに関してなど、任意の、かつすべての目的に対して、本明細書で開示されるすべての範囲はまた、任意の、かつすべての可能な下位の範囲、およびその下位の範囲の組合せを包含する。任意の列挙された範囲は、同じ範囲を、少なくとも等しい半分に、３つに、４つに、５つに、１０になど分解することを十分に記述し、かつ可能にするものと容易に理解され得る。非限定的な例では、本明細書で論じられる各範囲は、下側の３分の１，中間の３分の１、および上側の３分の１などへと容易に分解することができる。当業者であればさらに理解されるように、「最高で」、「少なくとも」、「を超える」、「未満の」、および同様のものなどのすべての文言は、記載された数を含み、かつ次いで、上記で論じられた下位の範囲へと分解され得る範囲を指す。最後に、当業者であれば理解されるように、範囲は、各個々の部材を含む。したがって、例えば、１〜３のセルを有する群は、１、２、または３のセルを有する群を指す。同様に、１〜５のセルを有する群は、１、２、３、４、または５セルを有する群を指すなど、以下同様である。
【０２０７】
さらに、特許請求の範囲は、その趣旨で述べられない限り、提供された順序または要素に限定するものと読まれるべきではない。加えて、任意の請求項における「ための手段（ｍｅａｎｓ  ｆｏｒ）」の用語の使用は、米国特許法１１２条第６パラグラフ、またはミーンズプラスファンクション請求項形式を実施することが意図され、また「ための手段（ｍｅａｎｓ  ｆｏｒ）」の用語を含まないいずれの請求項も、そのように意図されない。
【０２０８】
無線送受信ユニット（ＷＴＲＵ）、ユーザ機器（ＵＥ）、端末、基地局、モビリティ管理ユニット（ＭＭＥ）もしくは進化型パケットコア（ＥＰＣ）、または任意のホストコンピュータで使用される無線周波数送受信機を実施するために、ソフトウェアに関連付けられたプロセッサを使用することができる。ＷＴＲＵは、ソフトウェア無線（ＳＤＲ）を含む、ハードウェアおよび／またはソフトウェアで実施されるモジュールと、カメラ、ビデオカメラモジュール、テレビ電話、スピーカフォン、振動デバイス、スピーカ、マイクロフォン、テレビジョン送受信機、手を使用しないヘッドセット、キーボード、Ｂｌｕｅｔｏｏｔｈ（登録商標）モジュール、周波数変調（ＦＭ）無線ユニット、近距離通信（ＮＦＣ）モジュール、液晶表示（ＬＣＤ）ディスプレイユニット、有機発光ダイオード（ＯＬＥＤ）ディスプレイユニット、デジタルミュージックプレーヤ、メディアプレーヤ、ビデオゲームプレーヤモジュール、インターネットブラウザ、および／または任意の無線ローカルエリアネットワーク（ＷＬＡＮ）もしくは超広帯域（ＵＷＢ）モジュールなどの他の構成要素と共に使用することができる。
【０２０９】
本発明は、通信システムに関して述べられているが、システムは、マイクロプロセッサ／汎用コンピュータ（図示せず）上のソフトウェアで実施され得ることが企図される。いくつかの実施形態では、様々な構成要素の機能の１つまたは複数のものは、汎用のコンピュータを制御するソフトウェアで実施することができる。
【０２１０】
加えて、本発明は、特定の実施形態を参照して本明細書で示され、かつ述べられているが、本発明は、示された細部に限定されるようには意図されていない。そうではなくて、本発明から逸脱することなく、特許請求の範囲の等価な形態の範囲および領域に含まれる細部に、様々な変更を行うことができる。
【図１Ａ】
2020519155.tif 000003
【図１Ｂ】
2020519155.tif 000004
【図１Ｃ】
2020519155.tif 000005
【図１Ｄ】
2020519155.tif 000006
【図１Ｅ】
2020519155.tif 000007
【図１Ｆ】
2020519155.tif 000008
【図２】
2020519155.tif 000009
【図３】
2020519155.tif 000010
【図４】
2020519155.tif 000011
【図５】
2020519155.tif 000012
【図６】
2020519155.tif 000013
【図７】
2020519155.tif 000014
【図８】
2020519155.tif 000015
【図９】
2020519155.tif 000016
【図１０】
2020519155.tif 000017
【図１１】
2020519155.tif 000018
【図１２】
2020519155.tif 000019
【図１３】
2020519155.tif 000020
【図１４】
2020519155.tif 000021
【図１５】
2020519155.tif 000022
【図１６】
2020519155.tif 000023
【図１７】
2020519155.tif 000024
【図１８】
2020519155.tif 000025
【図１９】
2020519155.tif 000026
【図２０】
2020519155.tif 000027
【図２１】
2020519155.tif 000028
【図２２】
2020519155.tif 000029
【図２３】
2020519155.tif 000030
【図２４】
2020519155.tif 000031
【図２５】
2020519155.tif 000032
【手続補正書】
【提出日】令和2年1月7日(2020.1.7)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）により実施される方法であって、
ネットワークエンティティ（ＮＥ）と第１の登録を実施するステップであって、前記ＷＴＲＵは、前記ＷＴＲＵがモバイルで開始される通信専用（ＭＩＣＯ）モードで動作することのプリフェレンスを示している、ステップと、
前記ＷＴＲＵが前記ＭＩＣＯモードで動作しており、および、「全ＰＬＭＮ」登録エリアに登録されていない条件で、前記ＷＴＲＵが前記第１の登録に関連付けられた登録エリアの外側にあるかどうかを決定するステップと、
前記ＷＴＲＵによって、サービス要求（ＳＲ）を送るステップと、
前記ＷＴＲＵが前記登録エリアの外側にあると決定される条件で、前記ＳＲの前に、第２の登録または登録更新を実施するステップと
を備える方法。
【請求項２】
前記ＷＴＲＵが前記第１の登録に関連付けられた登録エリアの外側にあるかどうかを決定する前記ステップは、（１）前記ＷＴＲＵの前記第１の登録の後に受信された、前記ＷＴＲＵに関連付けられた位置関連情報、または、（２）ネットワークで提供されるフラグのいずれかに基づく請求項１に記載の方法。
【請求項３】
前記ＷＴＲＵによって、前記ＳＲを送る前記ステップの前に、前記ＷＴＲＵが前記第２の登録または前記登録更新を開始することになることを示す情報を取得するステップをさらに備え、
前記第２の登録または前記登録更新を実施する前記ステップは、前記取得された情報に従って、登録要求を送ることを含む請求項１または２に記載の方法。
【請求項４】
前記第２の登録または前記登録更新を開始するための前記情報を取得する前記ステップは、事前構成によってまたはネットワークシグナリングによって、前記情報を取得することを含む請求項３に記載の方法。
【請求項５】
前記ＷＴＲＵが、「全ＰＬＭＮ」登録エリアに登録されていることを決定するステップと、
前記ＷＴＲＵが前記「全ＰＬＭＮ」登録エリアに登録されている条件で、「常に登録」表示が設定されているかどうかを決定するステップと、
「常に登録」表示が設定されている条件で、前記ＳＲの前に前記第２の登録を実施するための登録要求を送るステップと
をさらに備える請求項１乃至４のいずれかに記載の方法。
【請求項６】
ブロードキャスト信号で示された前記ＷＴＲＵのＴＡのトラッキングエリア（ＴＡ）識別子を取得するステップをさらに含み、
前記ＷＴＲＵが前記登録エリアの外側にあるかどうかを決定する前記ステップは、前記取得されたＴＡ識別子が、前記ＷＴＲＵを最後にサーブしたＮＥに関連付けられた、記憶されたＴＡ識別子に一致するかどうかに基づき、これによって前記第２の登録または前記登録更新を実施する前記ステップは、前記取得されたＴＡ識別子が、前記記憶されたＴＡに一致しないことに条件付けられる請求項１乃至４のいずれかに記載の方法。
【請求項７】
前記取得されたＴＡ識別子が、前記記憶されたＴＡ識別子と一致する条件で、前記ＳＲを送る前に何らかの第２の登録または登録更新をせずに、前記ＳＲを送る請求項６に記載の方法。
【請求項８】
前記識別子は、（１）トラッキングエリア識別子、または、（２）ＡＭＦ識別子の一方である請求項６または７に記載の方法。
【請求項９】
無線送受信ユニット（ＷＴＲＵ）であって、
送受信機と、
前記送受信機と通信をするプロセッサであって、
ネットワークエンティティ（ＮＥ）と第１の登録を実施し、前記ＷＴＲＵがモバイルで開始される通信専用（ＭＩＣＯ）モードで動作することのプリフェレンスを示し、
前記ＷＴＲＵが前記ＭＩＣＯモードで動作しており、および、「全ＰＬＭＮ」登録エリアに登録されていない条件で、前記ＷＴＲＵが前記第１の登録に関連付けられた登録エリアの外側にあるかどうかを決定するよう構成されたプロセッサとを備え、
前記送受信機は、サービス要求（ＳＲ）を送るよう構成され、
前記プロセッサは、前記ＷＴＲＵが前記登録エリアの外側にあると決定される条件で、前記ＳＲの前に、第２の登録または登録更新を実施するよう構成された
ＷＴＲＵ。
【請求項１０】
前記プロセッサは、前記ＷＴＲＵが前記第１の登録に関連付けられた登録エリアの外側にあるかどうかを、（１）前記ＷＴＲＵの前記第１の登録の後に受信された、前記ＷＴＲＵに関連付けられた位置関連情報、または、（２）ネットワークで提供されるフラグのいずれかに基づいて決定するようさらに構成された請求項９に記載のＷＴＲＵ。
【請求項１１】
前記プロセッサが事前構成によって、または、前記送受信機がネットワークシグナリングによって、前記ＳＲを送ることの前に、前記ＷＴＲＵが前記第２の登録または前記登録更新を開始することになることを示す情報を取得するようさらに構成され、
前記送受信機は、前記取得された情報に従って、登録要求を送るようさらに構成された請求項９または１０に記載のＷＴＲＵ。
【請求項１２】
前記プロセッサは、
前記ＷＴＲＵが「全ＰＬＭＮ」登録エリアに登録されていることを決定し、
前記ＷＴＲＵが前記「全ＰＬＭＮ」登録エリアに登録されている条件で、「常に登録」表示が設定されているかどうかを決定するようさらに構成され、
前記送受信機は、「常に登録」表示が設定されている条件で、前記ＳＲの前に前記第２の登録を実施するための登録要求を送るようさらに構成された請求項９乃至１１いずれかに記載のＷＴＲＵ。
【請求項１３】
前記送受信機は、ブロードキャスト信号で示された前記ＷＴＲＵのＴＡのトラッキングエリア（ＴＡ）識別子を取得するようさらに構成され、
前記プロセッサは、前記取得されたＴＡ識別子が、前記ＷＴＲＵを最後にサーブしたＮＥに関連付けられた記憶されたＴＡ識別子に一致するかどうかに基づいて、前記ＷＴＲＵが前記登録エリアの外側にあるかどうかを決定するようさらに構成され、これによって前記第２の登録または前記登録更新を実施することは、前記取得されたＴＡ識別子が前記記憶されたＴＡに一致しないことに条件付けられる請求項９乃至１２のいずれかに記載のＷＴＲＵ。
【請求項１４】
前記取得されたＴＡ識別子が、前記記憶されたＴＡ識別子と一致する条件で、前記送受信機は、前記ＳＲを送る前にいずれの第２の登録または登録更新もせずに、前記ＳＲを送るようさらに構成された請求項１３に記載のＷＴＲＵ。
【国際調査報告】
2020519155.tif 000033
2020519155.tif 000034
2020519155.tif 000035
2020519155.tif 000036
2020519155.tif 000037